(57)【要約】【課題】複数の光を合成して放射可能な発光装置において、これら複数の光の分離を良好に抑制可能な発光装置を提供する。【解決手段】発光装置１は、第１ＬＥＤ１８及び第２ＬＥＤ１９から放射される光の全てが共通蛍光部材２１に入射され、これら第１ＬＥＤ１８及び第２ＬＥＤ１９から波長変換されて放射される光（矢印Ａ２、Ｂ２）と、当該共通蛍光部材２１により波長変換して得られる光（Ｃ）と、共通波長変換部材２１にて波長変換されずに通過した光（Ａ１、Ｂ１）とを含んで合成した光を共通蛍光部材２１から放射する。【選択図】図３
2012199539.tif 000002
【特許請求の範囲】
【請求項１】
第１半導体発光素子及び第２半導体発光素子を発光源として有し、これら第１半導体発光素子及び第２半導体発光素子の発光により得られる合成光を放射する発光装置であって、
前記第１半導体発光素子と、当該第１半導体発光素子が発した光の一部を波長変換する第１波長変換部材とを有し、当該第１半導体発光素子が発した光及び当該第１波長変換部材により波長変換された光を放射する第１発光部と、
前記第２半導体発光素子と、当該第２半導体発光素子が発した光の一部を波長変換する第２波長変換部材とを有し、当該第２半導体発光素子が発した光及び当該第２波長変換部材により波長変換された光を放射する第２発光部と、
前記第１発光部及び第２発光部の放射する光の全てが入射されるように配置され、前記第１半導体発光素子及び前記第２半導体発光素子の少なくとも一方が発した光の一部を波長変換する共通波長変換部材を備え、
前記共通波長変換部材は、当該共通波長変換部材により波長変換して得られた光と、当該共通波長変換部材にて波長変換されずに通過した前記第１半導体発光素子が発した光及び第２半導体発光素子が発した光と、前記第１波長変換部材により波長変換された光及び前記第２波長変換部材により波長変換された光と、を合成した合成光を放射する、
ことを特徴とする発光装置。
【請求項２】
前記第１半導体発光素子及び前記第２半導体発光素子はそれぞれ近紫外光を発する近紫外半導体発光素子であることを特徴とする請求項１記載の発光装置。
【請求項３】
前記第１半導体発光素子及び前記第２半導体発光素子はそれぞれ青色光を発する青色半導体発光素子であることを特徴とする請求項１記載の発光装置。
【請求項４】
前記第１半導体発光素子及び前記第２半導体発光素子のうち、一方は近紫外光を発する近紫外半導体発光素子であり、他方は青色光を発する青色半導体発光素子であることを特徴とする請求項１記載の発光装置。
【請求項５】
前記第１波長変換部材は、前記第１半導体発光素子が発した光により励起され第１のピーク波長の光を発する第１蛍光体を有し、
前記第２波長変換部材は、前記第２半導体発光素子が発した光により励起され第２のピーク波長の光を発する第２蛍光体を有し、
前記共通波長変換部材は、前記第１半導体発光素子及び第２半導体発光素子の少なくとも一方が発した光により励起され、前記第１のピーク波長の光及び前記第２のピーク波長の光よりも短いピーク波長の光を発する蛍光体を有することを特徴とする請求項１〜４のいずれかに記載の発光装置。
【請求項６】
前記第１波長変換部材及び前記第２波長変換部材と、前記共通波長変換部材との間に光導波層を設けたことを特徴とする請求項１〜５のいずれかに記載の発光装置。
【請求項７】
前記第１波長変換部材及び前記第２波長変換部材と、前記共通波長変換部材とのそれぞれの対向面が直接的に接合されていることを特徴とする請求項１〜５のいずれかに記載の発光装置。
【請求項８】
前記第１波長変換部材及び前記第２波長変換部材と、前記共通波長変換部材との間に空間を設けたことを特徴とする請求項１〜５のいずれかに記載の発光装置。
【請求項９】
前記共通波長変換部材は、平板状に形成されていることを特徴とする請求項８記載の発光装置。
【請求項１０】
前記共通波長変換部材は、ドーム状に形成されていることを特徴とする請求項８記載の発光装置。
【請求項１１】
前記共通波長変換部材は、前記第１発光部及び前記第２発光部を覆うように配置されて外殻をなすように形成されていることを特徴とする請求項１０記載の発光装置。
【請求項１２】
前記共通波長変換部材の放射する光の全てが入射され、前記共通波長変換部材を覆うように配置されており、前記合成光を散乱して放射する外装部材を備え、
前記共通波長変換部材は、前記第１発光部及び前記第２発光部を覆うように、かつ、前記第１発光部及び前記第２発光部と前記外装部材との間に形成されていることを特徴とする請求項１０記載の発光装置。
【請求項１３】
前記第１発光部と前記第２発光部との対向面は、直接的に接合されており、
前記共通波長変換部材は、別個の構成部材でなることを特徴とする請求項８〜１２のいずれかに記載の発光装置。
【請求項１４】
前記第１発光部、前記第２発光部及び前記共通波長変換部材は、それぞれ別個の構成部材でなることを特徴とする請求項８〜１２のいずれかに記載の発光装置。
【請求項１５】
前記第１半導体発光素子及び前記第２半導体発光素子はそれぞれ近紫外光を発する近紫外半導体発光素子であり、
前記第１波長変換部材は、前記第１半導体発光素子の発した光により励起され赤色光を発する赤色蛍光体、前記第１半導体発光素子の発した光により励起され緑色光を発する緑色蛍光体及び前記第１半導体発光素子の発した光により励起され青色光を発する青色蛍光体を有し、
前記第２波長変換部材は、前記第２半導体発光素子の発した光により励起され赤色光を発する赤色蛍光体、前記第２半導体発光素子の発した光により励起され緑色光を発する緑色蛍光体及び前記第２半導体発光素子の発した光により励起され青色光を発する青色蛍光体を有し、
前記共通波長変換部材は、前記第１半導体発光素子及び前記第２半導体発光素子の少なくとも一方が発した光により励起され青色光を発する青色蛍光体を有したことを特徴とする請求項２記載の発光装置。
【請求項１６】
前記第１半導体発光素子及び前記第２半導体発光素子はそれぞれ近紫外光を発する近紫外半導体発光素子であり、
前記第１波長変換部材は、前記第１半導体発光素子の発した光により励起され赤色光を発する赤色蛍光体を有し、
前記第２波長変換部材は、前記第２半導体発光素子の発した光により励起され緑色光を発する緑色蛍光体を有し、
前記共通波長変換部材は、前記第１半導体発光素子及び前記第２半導体発光素子の少なくとも一方が発した光により励起され青色光を発する青色蛍光体を有したことを特徴とする請求項２記載の発光装置。
【請求項１７】
前記第１半導体発光素子及び前記第２半導体発光素子はそれぞれ近紫外光を発する近紫外半導体発光素子であり、
前記第１波長変換部材は、前記第１半導体発光素子の発した光により励起され赤色光を発する第１の赤色蛍光体を有し、
前記第２波長変換部材は、前記第２半導体発光素子の発した光により励起され緑色光を発する緑色蛍光体及び前記第２半導体発光素子の発した光により励起され青色光を発する青色蛍光体を有し、
前記共通波長変換部材は、前記第１半導体発光素子及び前記第２半導体発光素子の少なくとも一方が発した光により励起され赤色光を発する第２の赤色蛍光体、及び前記第１半導体発光素子及び前記第２半導体発光素子の少なくとも一方が発した光により励起され青色光を発する青色蛍光体を有し、
前記第２の赤色蛍光体は、前記第１の赤色蛍光体が発する赤色光よりも狭い帯域幅の赤色光を発することを特徴とする請求項２記載の発光装置。
【請求項１８】
前記第１半導体発光素子及び前記第２半導体発光素子はそれぞれ青色光を発する青色半導体発光素子であり、
前記第１波長変換部材は、前記第１半導体発光素子の発した光により励起され赤色光を発する第１の赤色蛍光体を有し、
前記第２波長変換部材は、前記第２半導体発光素子の発した光により励起され緑色光を発する緑色蛍光体を有し、
前記共通波長変換部材は、前記第１半導体発光素子及び前記第２半導体発光素子の少なくとも一方が発した光により励起され赤色光を発する第２の赤色蛍光体、及び前記第１半導体発光素子及び前記第２半導体発光素子の少なくとも一方が発した光により励起され緑色光を発する緑色蛍光体を有し、
前記第２の赤色蛍光体は、前記第１の赤色蛍光体が発する赤色光よりも狭い帯域幅の赤色光を発することを特徴とする請求項３記載の発光装置。
【請求項１９】
前記第１半導体発光素子のみが発光したときに前記共通波長変換部材から放射される合成光は第１色温度の白色光であり、
前記第２半導体発光素子のみが発光したときに前記共通波長変換部材から放射される合成光は、前記第１色温度と異なる第２色温度の白色光であることを特徴とする請求項１〜１８のいずれかに記載の発光装置。
【請求項２０】
前記第１半導体発光素子は近紫外光を発する近紫外半導体発光素子であり、
前記第１波長変換部材は、前記第１半導体発光素子の発した光により励起され赤色光を発する赤色蛍光体及び前記第１半導体発光素子の発した光により励起され青色光を発する青色蛍光体を有し、
前記第２半導体発光素子は青色光を発する青色半導体発光素子であり、
前記第２波長変換部材は、前記第２半導体発光素子の発した光により励起され赤色光を発する赤色蛍光体を有し、
前記共通波長変換部材は、前記第１半導体発光素子及び前記第２半導体発光素子の少なくとも一方が発した光により励起され緑色光を発する緑色蛍光体を有したことを特徴とする請求項４記載の発光装置。
【請求項２１】
前記第１半導体発光素子は近紫外光を発する近紫外半導体発光素子であり、
前記第１波長変換部材は、前記第１半導体発光素子の発した光により励起され赤色光を発する赤色蛍光体、前記第１半導体発光素子の発した光により励起され青色光を発する青色蛍光体、及び前記第１半導体発光素子の発した光により励起され緑色光を発する緑色蛍光体を有し、
前記第２半導体発光素子は青色光を発する青色半導体発光素子であり、
前記第２波長変換部材は、前記第２半導体発光素子の発した光により励起され赤色光を発する赤色蛍光体及び前記第２半導体発光素子の発した光により励起され緑色光を発する緑色蛍光体を有し、
前記共通波長変換部材は、前記第１半導体発光素子及び前記第２半導体発光素子の少なくとも一方が発した光により励起され黄色光を発する黄色蛍光体を有することを特徴とする請求項４記載の発光装置。
【請求項２２】
前記第１発光部は前記第１半導体発光素子が前記第１波長変換部材に取り囲まれて構成され、前記第２発光部は前記第２半導体発光素子が前記第２波長変換部材に取り囲まれて構成されていることを特徴とする請求項１〜２１のいずれかに記載の発光装置。
【請求項２３】
前記第１発光部は前記第１半導体発光素子が第１波長変換部材と離間して設けられており、前記第２発光部は前記第２半導体発光素子が第２波長変換部材と離間して設けられていることを特徴とする請求項１〜２１のいずれかに記載の発光装置。
【請求項２４】
第１半導体発光素子及び第２半導体発光素子を発光源として有し、これら第１半導体発光素子及び第２半導体発光素子の発光により得られる合成光を放射する発光装置であって、
前記第１半導体発光素子と、当該第１半導体発光素子が発した光の一部を波長変換する第１波長変換部材とを有し、当該第１半導体発光素子が発した光及び当該第１波長変換部材により波長変換された光を放射する第１発光部と、
前記第２半導体発光素子を有し、当該第２半導体発光素子が発した光を放射する第２発光部と、
前記第１発光部及び第２発光部の放射する光の全てが入射されるように配置され、前記第１半導体発光素子及び前記第２半導体発光素子の少なくとも一方が発した光の一部を波長変換する共通波長変換部材を備え、
前記共通波長変換部材は、当該共通波長変換部材により波長変換して得られた光と、当該共通波長変換部材にて波長変換されずに通過した前記第１半導体発光素子が発した光及び第２半導体発光素子が発した光と、前記第１波長変換部材により波長変換された光と、を合成した合成光を放射する、
ことを特徴とする発光装置。
【請求項２５】
前記第１半導体発光素子及び前記第２半導体発光素子はそれぞれ青色光を発する青色半導体発光素子であることを特徴とする請求項２４記載の発光装置。
【請求項２６】
前記第１半導体発光素子は近紫外光を発する近紫外半導体発光素子であり、前記第２半導体発光素子は青色光を発する青色半導体発光素子であることを特徴とする請求項２４記載の発光装置。
【請求項２７】
前記第１の波長変換部材は、前記第１半導体発光素子が発した光により励起され第１のピーク波長の光を発する第１の蛍光体を有し、
前記共通波長変換部材は、前記第１半導体発光素子及び第２半導体発光素子の少なくとも一方が発した光により励起され、前記第１のピーク波長の光よりも短いピーク波長の光に変換する蛍光体を有することを特徴とする請求項２４〜２６のいずれかに記載の発光装置。
【請求項２８】
前記第１波長変換部材と前記共通波長変換部材との間に光導波層を設けたことを特徴とする請求項２４〜２７のいずれかに記載の発光装置。
【請求項２９】
前記第１波長変換部材と前記共通波長変換部材との対向面が直接的に接合されていることを特徴とする請求項２４〜２７のいずれかに記載の発光装置。
【請求項３０】
前記第１波長変換部材及び前記第２波長変換部材と、前記共通波長変換部材との間に空間を設けたことを特徴とする請求項２４〜２７のいずれかに記載の発光装置。
【請求項３１】
前記共通波長変換部材は、平板状に形成されていることを特徴とする請求項３０記載の発光装置。
【請求項３２】
前記共通波長変換部材は、ドーム状に形成されていることを特徴とする請求項３０記載の発光装置。
【請求項３３】
前記共通波長変換部材は、前記第１発光部及び前記第２発光部を覆うように配置されて外殻をなすように形成されていることを特徴とする請求項３２記載の発光装置。
【請求項３４】
前記共通波長変換部材の放射する光の全てが入射され、前記共通波長変換部材を覆うように配置されており、前記合成光を散乱して放射する外装部材を備え、
前記共通波長変換部材は、前記第１発光部及び前記第２発光部を覆うように、かつ、前記第１発光部及び前記第２発光部と前記外装部材との間に形成されていることを特徴とする請求項３２記載の発光装置。
【請求項３５】
前記第１発光部と前記第２発光部との対向面は、直接的に接合されており、
前記共通波長変換部材は、別個の構成部材でなることを特徴とする請求項３０〜３４のいずれかに記載の発光装置。
【請求項３６】
前記第１発光部、前記第２発光部及び前記共通波長変換部材は、それぞれ別個の構成部材でなることを特徴とする請求項３０〜３４のいずれかに記載の発光装置。
【請求項３７】
前記第１半導体発光素子及び前記第２半導体発光素子はそれぞれ青色光を発する青色半導体発光素子であり、
前記第１波長変換部材は、前記第１半導体発光素子の発した光により励起され赤色光を発する赤色蛍光体を有し、
前記共通波長変換部材は、前記第１半導体発光素子及び前記第２半導体発光素子の少なくとも一方が発した光により励起され黄色光を発する黄色蛍光体を有することを特徴とする請求項２５記載の発光装置。
【請求項３８】
前記第１半導体発光素子及び前記第２半導体発光素子はそれぞれ青色光を発する青色半導体発光素子であり、
前記第１波長変換部材は、前記第１半導体発光素子の発した光により励起され赤色光を発する赤色蛍光体を有し、
前記共通波長変換部材は、前記第１半導体発光素子及び前記第２半導体発光素子の少なくとも一方が発した光により励起され緑色光を発する緑色蛍光体を有することを特徴とする請求項２５記載の発光装置。
【請求項３９】
前記第１半導体発光素子及び前記第２半導体発光素子はそれぞれ青色光を発する青色半導体発光素子であり、
前記第１波長変換部材は、前記第１半導体発光素子の発した光により励起され赤色光を発する赤色蛍光体を有し、
前記共通波長変換部材は、前記第１半導体発光素子及び前記第２半導体発光素子の少なくとも一方が発した光により励起され黄色光を発する黄色蛍光体、及び前記第１半導体発光素子及び前記第２半導体発光素子の少なくとも一方が発した光により励起され緑色光を発する緑色蛍光体を有することを特徴とする請求項２５記載の発光装置。
【請求項４０】
前記第１半導体発光素子は近紫外光を発する近紫外半導体発光素子であり、
前記第１波長変換部材は、前記第１半導体発光素子の発した光により励起され青色光を発する青色蛍光体を有し、
前記第２半導体発光素子は青色光を発する青色半導体発光素子であり、
前記共通波長変換部材は、前記第１半導体発光素子及び前記第２半導体発光素子の少なくとも一方が発した光により励起され赤色光を発する赤色蛍光体、及び前記第１半導体発光素子及び前記第２半導体発光素子の少なくとも一方が発した光により励起され緑色光を発する緑色蛍光体を有することを特徴とする請求項２６記載の発光装置。
【請求項４１】
前記第１半導体発光素子は近紫外光を発する近紫外半導体発光素子であり、
前記第１波長変換部材は、前記第１半導体発光素子の発した光により励起され青色光を発する青色蛍光体を有し、
前記第２半導体発光素子は青色光を発する青色半導体発光素子であり、
前記共通波長変換部材は、前記第１半導体発光素子及び前記第２半導体発光素子の少なくとも一方が発した光により励起され黄色光を発する黄色蛍光体を有することを特徴とする請求項２６記載の発光装置。
【請求項４２】
前記第１発光部は前記第１半導体発光素子が前記第１波長変換部材に取り囲まれて構成され、前記第２発光部は前記第２半導体発光素子が光導波体に取り囲まれて構成されていることを特徴とする請求項２４〜４１のいずれかに記載の発光装置。
【請求項４３】
前記第１発光部は前記第１半導体発光素子が第１波長変換部材と離間して設けられていることを特徴とする請求項２４〜４１のいずれかに記載の発光装置。
【請求項４４】
前記第１発光部及び前記第２発光部との間には、これら第１発光部及び第２発光部との相互間での光の伝搬を遮断する仕切り部材が設けられていることを特徴とする請求項１〜４３のいずれかに記載の発光装置。
【請求項４５】
前記共通波長変換部材は、入射した光により励起され青色光を発する青色蛍光体を含むことを特徴とする請求項１〜１４、１９、２２〜２９、４２〜４４のいずれかに記載の発光装置。
【請求項４６】
前記共通波長変換部材は、入射した光により励起され黄色光を発する黄色蛍光体を含むことを特徴とする請求項１〜１４、１９、２２〜２９、４２〜４４のいずれかに記載の発光装置。
【請求項４７】
前記共通波長変換部材は、入射した光により励起され緑色光を発する緑色蛍光体を含むことを特徴とする請求項１〜１４、１９、２２〜２９、４２〜４４のいずれかに記載の発光装置。
【請求項４８】
前記第１波長変換部材は、入射した第１半導体発光素子が発した光により励起され赤色光を発する赤色蛍光体を含むことを特徴とする請求項１〜１４、１９、２２〜２９、４２〜４４のいずれかに記載の発光装置。
【請求項４９】
前記共通波長変換部材における前記発光源側の面が、凸形状をなしていることを特徴とする請求項１〜４８のいずれかに記載の発光装置。
【請求項５０】
請求項１〜４９のいずれかに記載の発光装置と、
前記第１半導体発光素子及び前記第２半導体発光素子の発光を制御する制御手段と
を備えることを特徴とする照明装置。
【請求項５１】
前記発光装置は、前記共通波長変換部材が放射する光を入射する入射部と、前記入射部から入射した光を放射する出射部とを有した配光部材を更に備えることを特徴とする請求項５０記載の照明装置。
【請求項５２】
前記配光部材が配光レンズであり、当該配光レンズの焦点が前記共通波長変換部材の発光面上にあることを特徴とする請求項５１記載の照明装置。
【発明の詳細な説明】
【技術分野】
【０００１】
本発明は、複数の光を合成して放射可能な発光装置及びこの発光装置を備えた照明装置に関する。
【背景技術】
【０００２】
半導体発光素子として例えばＬＥＤチップを用いたＬＥＤ発光素子は、さまざまな照明装置や表示装置などの光源として従来より広く用いられている。近年では、単一の発光色のＬＥＤ発光素子を用いるだけではなく、発光色の異なる複数のＬＥＤ発光素子を組み合わせた発光装置も開発され使用されている。例えば、特許文献１には、赤色ＬＥＤ発光素子、緑色ＬＥＤ発光素子及び青色ＬＥＤ発光素子を用いた発光装置が開示されている。この発光装置では、各ＬＥＤ発光素子に供給される駆動電流を調整し、各ＬＥＤ発光素子から発せられた光を合成することによって所望の白色光を得ている。
【０００３】
また、ＬＥＤチップが発する光を蛍光体によって波長変換してから発光するようにしたＬＥＤ発光体が開発され、このようなＬＥＤ発光素子を組み合わせた発光装置が、例えば特許文献２に開示されている。特許文献２の発光装置では、青色ＬＥＤチップを用いて青色光を発する青色ＬＥＤ発光素子と、青色ＬＥＤチップが発した青色光により励起されて緑色光を発する緑色蛍光体を青色ＬＥＤチップに組み合わせた緑色ＬＥＤ発光素子と、青色ＬＥＤチップが発した青色光により励起されて赤色光を発する赤色蛍光体を青色ＬＥＤチップに組み合わせた赤色ＬＥＤ発光素子とが用いられている。そして、これらの青色ＬＥＤ発光素子、緑色ＬＥＤ発光素子及び赤色ＬＥＤ発光素子がそれぞれ発する光の合成によって優れた演色性を確保すると共に、各発光ユニットの光出力を調整することにより発光装置の発光色を多彩に変化させることができるようになっている。
【０００４】
また、赤色蛍光体、緑色蛍光体及び青色蛍光体を混合して形成された波長変換部材でＬＥＤ発光素子が発する光を波長変換することにより、所望の白色光を得るようにした発光装置が特許文献３に開示されている。この発光装置では、近紫外光を発する近紫外ＬＥＤチップが用いられると共に、近紫外ＬＥＤチップが発する近紫外光を所望の白色光に波長変換するように赤色蛍光体、緑色蛍光体及び青色蛍光体が組み合わされた波長変換部材が用いられる。
【０００５】
特許文献３の発光装置において、波長変換部材は、所望の色温度の白色光が得られるように各蛍光体が混合された第１波長変換部材と、この第１波長変換部材とは色温度の異なる白色光が得られるように各蛍光体が混合された第２波長変換部材とからなっている。基板には環状のリフレクタが設けられ、リフレクタの内部が仕切り部材によって２つの領域に分割されている。そして、それぞれの領域にＬＥＤチップが配列されると共に、一方の領域には第１波長変換部材が収容され、他方の領域には第２波長変換部材が収容されている。
【０００６】
このようにして構成された発光装置では、第１波長変換部材から放射される白色光と、第２波長変換部材から放射される白色光とが合成されて得られる合成光が発光装置から放射される。このとき、一方の領域の近紫外ＬＥＤチップに対する供給電力と、他方の領域の近紫外ＬＥＤチップに対する供給電力とを調整することにより、第１の波長変換部材の蛍光体が発する白色光の色温度から、第２の波長変換部材の蛍光体が発する白色光の色温度までの間の任意の色温度に調整した白色光が得られるようになっている。
【０００７】
また、紫外放射又は紫色の可視光を発するＬＥＤチップと、当該紫外放射又は紫色の可視光を吸収して有色光を発する蛍光体を有する波長変換部材とを複数種類備えた構成の発光装置が特許文献４に開示されている。この発光装置では、２つ以上の波長変換部材がその一部分において互いに重なり合って構成されている。
【０００８】
このようにして構成された特許文献４の発光装置は、波長変換部材が互いに重なり合った一部分において、重なり合っている各波長変換部材の発する光が合成されることで、各波長変換部材の発する光の合成光が得られる。特許文献４の発光装置では、この合成光を含めて、各波長変換部材が発した光をさらに合成することで白色光が得られるようになっている。
【先行技術文献】
【特許文献】
【０００９】
【特許文献１】特開２００６−４８３９号公報
【特許文献２】特開２００７−１２２９５０号公報
【特許文献３】国際公開第２００９／０６３９１５号パンフレット
【特許文献４】国際公開第２０１０／０９０２８９号パンフレット
【発明の概要】
【発明が解決しようとする課題】
【００１０】
特許文献３の発光装置では、第１波長変換部材から放射される光と第２波長変換部材から放射される光とがそれぞれ異なる領域から放射される。それぞれの波長変換部材から放射される光を照明光などとして使用した場合、波長変換部材に含まれる蛍光体の特性によって、ＬＥＤチップから発せられる光をそのまま合成して照明光として使用する場合に比べれば、それぞれの波長変換部材から放射される２種類の光の分離が生じにくくなっている。しかしながら、第１波長変換部材から放射される光と第２波長変換領域から放射される光とがそれぞれ異なる領域から放射されるため、２種類の光の分離が十分に抑制されているとはいえず、依然として改善の余地がある。
【００１１】
さらに、第１波長変換部材と第２波長変換部材を含む発光部を覆うように配光レンズを設け、その配光レンズの焦点を前記発光部の発光面に合わせた場合には、配光レンズの特性によって、第１波長変換部材と第２波長変換部材とに区分けされた発光面を強調して照射面に投影してしまい、照射面において色分離が生じてしまうという問題があった。それを防ぐために、配光レンズの焦点を発光面から照射面側にずらして設置した場合には、照射面における色分離は抑制されるものの、配光レンズの設計どおりの配光角とならず、照度や照射領域が大きく変わってしまうという問題があった。
【００１２】
特許文献４の発光装置では、波長変換部材が重なり合っている部分から合成光が発せられることで、各波長変換部材から放射される光の分離が部分的に緩和されることとなる。しかしながら、各波長変換部材において重なり合っていない部分における光の放射は、上記特許文献３の発光装置と同様、各波長変換部材から放射される異なる種類の光がそれぞれ異なる領域から放射されるため、依然として光の分離が生じ得る。このため特許文献４の発光装置においても光の分離が十分に抑制されているとはいえない。
【００１３】
本発明はこのような問題を解決するためになされたもので、その目的とするところは、複数の光を合成して放射可能な発光装置において、これら複数の光の分離を良好に抑制可能な発光装置を提供することにある。
【課題を解決するための手段】
【００１４】
上記した目的を達成するために、本発明の発光装置は、第１半導体発光素子及び第２半導体発光素子を発光源として有し、これら第１半導体発光素子及び第２半導体発光素子の発光により得られる合成光を放射する発光装置であって、前記第１半導体発光素子と、当該第１半導体発光素子が発した光の一部を波長変換する第１波長変換部材とを有し、当該第１半導体発光素子が発した光及び当該第１波長変換部材により波長変換された光を放射する第１発光部と、前記第２半導体発光素子と、当該第２半導体発光素子が発した光の一部を波長変換する第２波長変換部材とを有し、当該第２半導体発光素子が発した光及び当該第２波長変換部材により波長変換された光を放射する第２発光部と、前記第１発光部及び第２発光部の放射する光の全てが入射されるように配置され、前記第１半導体発光素子及び前記第２半導体発光素子の少なくとも一方が発した光の一部を波長変換する共通波長変換部材を備え、前記共通波長変換部材は、当該共通波長変換部材により波長変換して得られた光と、当該共通波長変換部材にて波長変換されずに通過した前記第１半導体発光素子が発した光及び第２半導体発光素子が発した光と、前記第１波長変換部材により波長変換された光及び前記第２波長変換部材により波長変換された光と、を合成した合成光を放射する、ことを特徴とする。
【００１５】
このように構成された発光装置によれば、第１半導体発光素子から発せられる光と、第１波長変換部材にて波長変換されて発せられる光とが、第１発光部から放射される光となる。また、第２半導体発光素子から発せられる光と、第２波長変換部材にて波長変換されて発せられる光とが、第２発光部から放射される光となる。そして、この第１発光部及び第２発光部から放射される光の全てが入射されるよう共通波長変換部材が配置されているので、これら第１発光部及び第２発光部から波長変換されて放射される光と、共通波長変換部材により波長変換して得られる光と、共通波長変換部材にて波長変換されずに通過した光とを含む合成光が当該共通波長変換部材から放射される。
【００１６】
この発光装置の具体的な構成として、例えば前記第１半導体発光素子及び前記第２半導体発光素子は、それぞれ近紫外光を発する近紫外半導体発光素子であってもよい。或いは、前記第１半導体発光素子及び前記第２半導体発光素子はそれぞれ青色光を発する青色半導体発光素子であってもよい。また、これに代えて、前記第１半導体発光素子及び前記第２半導体発光素子のうち、一方は近紫外光を発する近紫外半導体発光素子であり、他方は青色光を発する青色半導体発光素子であってもよい。
【００１７】
前記第１波長変換部材は、前記第１半導体発光素子が発した光により励起され第１のピーク波長の光を発する第１蛍光体を有し、前記第２波長変換部材は、前記第２半導体発光素子が発した光により励起され第２のピーク波長の光を発する第２蛍光体を有し、前記共通波長変換部材は、前記第１半導体発光素子及び第２半導体発光素子の少なくとも一方が発した光により励起され、前記第１のピーク波長の光及び前記第２のピーク波長の光よりも短いピーク波長の光を発する蛍光体を有することが好ましい。
また、前記第１波長変換部材及び前記第２波長変換部材と、前記共通波長変換部材との間に光導波層を設けてもよいし、前記第１波長変換部材及び前記第２波長変換部材と、前記共通波長変換部材とのそれぞれの対向面が直接的に接合されていてもよい。
【００１８】
前記第１波長変換部材及び前記第２波長変換部材と、前記共通波長変換部材との間に空間を設けてもよい。
【００１９】
前記共通波長変換部材は、平板状に形成されていてもよい。
【００２０】
または、前記共通波長変換部材は、ドーム状に形成されていてもよい。そして、前記共通波長変換部材は、前記第１発光部及び前記第２発光部を覆うように配置されて外殻をなすように形成されていてもよいし、もしくは、前記共通波長変換部材の放射する光の全てが入射され、前記共通波長変換部材を覆うように配置されており、前記合成光を散乱して放射する外装部材を備え、前記共通波長変換部材は、前記第１発光部及び前記第２発光部を覆うように、かつ、前記第１発光部及び前記第２発光部と前記外装部材との間に形成されていてもよい。
【００２１】
前記第１発光部と前記第２発光部との対向面は、直接的に接合されており、前記共通波長変換部材は、別個の構成部材でなっていてもよい。または、前記第１発光部、前記第２発光部及び前記共通波長変換部材は、それぞれ別個の構成部材でなっていてもよい。
【００２２】
また例えば、前記第１半導体発光素子のみが発光したときに共通波長変換部材から放射される合成光は第１色温度の白色光であり、前記第２半導体発光素子のみが発光したときに共通波長変換部材から放射される合成光は、前記第１色温度と異なる第２色温度の白色光であってもよい。
【００２３】
このような白色光を得る場合の発光装置の具体的な構成として、前記第１半導体発光素子及び前記第２半導体発光素子はそれぞれ近紫外光を発する近紫外半導体発光素子であり、前記第１波長変換部材は、前記第１半導体発光素子の発した光により励起され赤色光を発する赤色蛍光体、前記第１半導体発光素子の発した光により励起され緑色光を発する緑色蛍光体及び前記第１半導体発光素子の発した光により励起され青色光を発する青色蛍光体を有し、前記第２波長変換部材は、前記第２半導体発光素子の発した光により励起され赤色光を発する赤色蛍光体、前記第２半導体発光素子の発した光により励起され緑色光を発する緑色蛍光体及び前記第２半導体発光素子の発した光により励起され青色光を発する青色蛍光体を有し、前記共通波長変換部材は、前記第１半導体発光素子及び前記第２半導体発光素子の少なくとも一方が発した光により励起され青色光を発する青色蛍光体を有するようにしてもよい。このような構成により、第１半導体発光素子の発した近紫外光は、第１波長変換部材の赤色蛍光体、緑色蛍光体及び青色蛍光体により赤色光、緑色光及び青色光に波長変換されるとともに、当該第１波長変換部材を通過した近紫外光は共通波長変換部材の青色蛍光体により青色光に波長変換され、これら赤色光、緑色光、青色光が合成されて当該共通波長変換部材から放射されることで白色光が得られる。一方、第２半導体発光素子の発した近紫外光は、第２波長変換部材の赤色蛍光体、緑色蛍光体及び青色蛍光体により赤色光、緑色光及び青色光に波長変換され、当該第２波長変換部材を通過した近紫外光は共通波長変換部材の青色蛍光体により青色光に波長変換され、これら赤色光、緑色光、青色光が合成されて当該共通波長変換部材から放射されることで白色光が得られる。従って、これらの白色光を共通波長変換部材から合成して放射することができる。
【００２４】
また、前記第１半導体発光素子及び前記第２半導体発光素子はそれぞれ近紫外光を発する近紫外半導体発光素子であり、前記第１波長変換部材は、前記第１半導体発光素子の発した光により励起され赤色光を発する赤色蛍光体を有し、前記第２波長変換部材は、前記第２半導体発光素子の発した光により励起され緑色光を発する緑色蛍光体を有し、前記共通波長変換部材は、前記第１半導体発光素子及び前記第２半導体発光素子の少なくとも一方が発した光により励起され青色光を発する青色蛍光体を有するようにしてもよい。このような構成により、第１半導体発光素子の発した近紫外光は、第１波長変換部材の赤色蛍光体により赤色光に波長変換されるとともに、当該第１波長変換部材を通過した近紫外光は共通波長変換部材の青色蛍光体により青色光に波長変換され、これら赤色光及び青色光が合成されて当該共通波長変換部材から放射されることで白色光が得られる。一方、第２半導体発光素子の発した近紫外光は、第２波長変換部材の緑色蛍光体により緑色光に波長変換され、当該第２波長変換部材を通過した近紫外光は共通波長変換部材の青色蛍光体により青色光に波長変換され、これら緑色光及び青色光が合成されて当該共通波長変換部材から放射されることで白色光が得られる。従って、これらの白色光を共通波長変換部材から合成して放射することができる。
【００２５】
或いは、前記第１半導体発光素子及び前記第２半導体発光素子はそれぞれ近紫外光を発する近紫外半導体発光素子であり、前記第１波長変換部材は、前記第１半導体発光素子の発した光により励起され赤色光を発する第１の赤色蛍光体を有し、前記第２波長変換部材は、前記第２半導体発光素子の発した光により励起され緑色光を発する緑色蛍光体及び前記第２半導体発光素子の発した光により励起され青色光を発する青色蛍光体を有し、前記共通波長変換部材は、前記第１半導体発光素子及び前記第２半導体発光素子の少なくとも一方が発した光により励起され赤色光を発する第２の赤色蛍光体、及び前記第１半導体発光素子及び前記第２半導体発光素子の少なくとも一方が発した光により励起され青色光を発する青色蛍光体を有し、前記第２の赤色蛍光体は、前記第１の赤色蛍光体が発する赤色光よりも狭い帯域幅の赤色光を発するように構成されていてもよい。このような構成により、第１半導体発光素子の発した近紫外光は、第１波長変換部材の第１の赤色蛍光体により広い帯域幅の赤色光に波長変換されるとともに、当該第１波長変換部材を通過した近紫外光は共通波長変換部材の青色蛍光体及び第２の赤色蛍光体によりそれぞれ青色光及び狭い帯域幅の赤色光に波長変換され、これら青色光、広い帯域幅の赤色光及び狭い帯域幅の赤色光が合成されて当該共通波長変換部材から放射されることで白色光が得られる。一方、第２半導体発光素子の発した近紫外光は、第２波長変換部材の緑色蛍光体及び青色蛍光体によりそれぞれ緑色光及び青色光に波長変換され、当該第２波長変換部材を通過した近紫外光は共通波長変換部材の青色蛍光体及び第２の赤色蛍光体によりそれぞれ青色光及び狭い帯域幅の赤色光に波長変換され、これら緑色光、青色光及び狭い帯域幅の赤色光が合成されて当該共通波長変換部材から放射されることで白色光が得られる。従って、これらの白色光を共通波長変換部材から合成して放射することができる。
【００２６】
また、前記第１半導体発光素子及び前記第２半導体発光素子はそれぞれ青色光を発する青色半導体発光素子であり、前記第１波長変換部材は、前記第１半導体発光素子の発した光により励起され赤色光を発する第１の赤色蛍光体を有し、前記第２波長変換部材は、前記第２半導体発光素子の発した光により励起され緑色光を発する緑色蛍光体を有し、前記共通波長変換部材は、前記第１半導体発光素子及び前記第２半導体発光素子の少なくとも一方が発した光により励起され赤色光を発する第２の赤色蛍光体、及び前記第１半導体発光素子及び前記第２半導体発光素子の少なくとも一方が発した光により励起され緑色光を発する緑色蛍光体を有し、前記第２の赤色蛍光体は、前記第１の赤色蛍光体が発する赤色光よりも狭い帯域幅の赤色光を発するように構成されていてもよい。このような構成により、第１半導体発光素子の発した青色光は、第１波長変換部材の第１の赤色蛍光体により広い帯域幅の赤色光に波長変換されるとともに、当該第１波長変換部材を通過した青色光は、一部が共通波長変換部材の緑色蛍光体及び第２の赤色蛍光体によりそれぞれ緑色光及び狭い帯域幅の赤色光に波長変換されると共に、残部が共通波長変換部材を通過し、これら青色光、緑色光、広い帯域幅の赤色光及び狭い帯域幅の赤色光が合成されて当該共通波長変換部材から放射されることで白色光が得られる。一方、第２半導体発光素子の発した青色光は、第２波長変換部材の緑色蛍光体により緑色光に波長変換され、当該第２波長変換部材を通過した青色光は、一部が共通波長変換部材の緑色蛍光体及び第２の赤色蛍光体によりそれぞれ緑色光及び狭い帯域幅の赤色光に波長変換される共に、残部が共通波長変換部材を通過し、これら青色光、緑色光及び狭い帯域幅の赤色光が合成されて当該共通波長変換部材から放射されることで白色光が得られる。従って、これらの白色光を共通波長変換部材から合成して放射することができる。
【００２７】
また、前記第１半導体発光素子は近紫外光を発する近紫外半導体発光素子であり、前記第１波長変換部材は、前記第１半導体発光素子の発した光により励起され赤色光を発する赤色蛍光体及び前記第１半導体発光素子の発した光により励起され青色光を発する青色蛍光体を有し、前記第２半導体発光素子は青色光を発する青色半導体発光素子であり、前記第２波長変換部材は、前記第２半導体発光素子の発した光により励起され赤色光を発する赤色蛍光体を有し、前記共通波長変換部材は、前記第１半導体発光素子及び前記第２半導体発光素子の少なくとも一方が発した光により励起され緑色光を発する緑色蛍光体を有するようにしてもよい。このような構成により、第１半導体発光素子の発した近紫外光は、第１波長変換部材の赤色蛍光体及び青色蛍光体により赤色光及び青色光に波長変換されるとともに、当該第１波長変換部材を通過した近紫外光は共通波長変換部材の緑色蛍光体により緑色光に波長変換され、これら赤色光、青色光、緑色光が合成されて当該共通波長変換部材から放射されることで白色光が得られる。一方、第２半導体発光素子の発した青色光は、第２波長変換部材の赤色蛍光体により赤色光に波長変換され、当該第２波長変換部材を通過した青色光は、一部が共通波長変換部材の緑色蛍光体により緑色光に波長変換されると共に、残部が共通波長変換部材を通過し、これら青色光、赤色光、緑色光が合成されて当該共通波長変換部材から放射されることで白色光が得られる。従って、これらの白色光を共通波長変換部材から合成して放射することができる。
【００２８】
或いは、前記第１半導体発光素子は近紫外光を発する近紫外半導体発光素子であり、前記第１波長変換部材は、前記第１半導体発光素子の発した光により励起され赤色光を発する赤色蛍光体、前記第１半導体発光素子の発した光により励起され青色光を発する青色蛍光体、及び前記第１半導体発光素子の発した光により励起され緑色光を発する緑色蛍光体を有し、前記第２半導体発光素子は青色光を発する青色半導体発光素子であり、前記第２波長変換部材は、前記第２半導体発光素子の発した光により励起され赤色光を発する赤色蛍光体及び前記第２半導体発光素子の発した光により励起され緑色光を発する緑色蛍光体を有し、前記共通波長変換部材は、前記第１半導体発光素子及び前記第２半導体発光素子の少なくとも一方が発した光により励起され黄色光を発する黄色蛍光体を有するようにしてもよい。この場合には、第１半導体発光素子の発した近紫外光は、第１波長変換部材の赤色蛍光体、青色蛍光体、及び緑色蛍光体により赤色光、青色光、緑色光に波長変換されると共に、当該第１波長変換部材を通過した後に共通波長変換部材の黄色蛍光体により黄色光に波長変換され、これら赤色光、青色光、緑色光、及び黄色光が合成して当該共通波長変換部材から放射されることで白色光が得られる。一方、第２半導体発光素子の発した青色光は、第２波長変換部材の赤色蛍光体及び緑色蛍光体により赤色光及び緑色光に波長変換されると共に、当該第２波長変換部材を通過した後に共通波長変換部材の黄色蛍光体により黄色光に波長変換され、これら青色光、赤色光、緑色光、黄色光が合成されて当該共通波長変換部材から放射されることで白色光が得られる。従って、これらの白色光を共通波長変換部材が合成して放射することができる。
【００２９】
さらに、前記第１発光部は前記第１半導体発光素子が前記第１波長変換部材に取り囲まれて構成され、前記第２発光部は前記第２半導体発光素子が前記第２波長変換部材に取り囲まれて構成されていてもよい。または、前記第１発光部は前記第１半導体発光素子が第１波長変換部材と離間して設けられており、前記第２発光部は前記第２半導体発光素子が第２波長変換部材と離間して設けられていてもよい。
【００３０】
また、上記した目的を達成するために、本発明の発光装置として、第１半導体発光素子及び第２半導体発光素子を発光源として有し、これら第１半導体発光素子及び第２半導体発光素子の発光により得られる合成光を放射する発光装置であって、前記第１半導体発光素子と、当該第１半導体発光素子が発した光の一部を波長変換する第１波長変換部材とを有し、当該第１半導体発光素子が発した光及び当該第１波長変換部材により波長変換された光を放射する第１発光部と、前記第２半導体発光素子を有し、当該第２半導体発光素子が発した光を放射する第２発光部と、前記第１発光部及び第２発光部の放射する光の全てが入射されるように配置され、前記第１半導体発光素子及び前記第２半導体発光素子の少なくとも一方が発した光の一部を波長変換する共通波長変換部材を備え、前記共通波長変換部材は、当該共通波長変換部材により波長変換して得られた光と、当該共通波長変換部材にて波長変換されずに通過した前記第１半導体発光素子が発した光及び第２半導体発光素子が発した光と、前記第１波長変換部材により波長変換された光と、を合成した合成光を放射する、ことを特徴とするものでもよい。
【００３１】
このように構成された発光装置によれば、第１半導体発光素子から発せられる光と、第１波長変換部材にて波長変換されて発せられる光とが、第１発光部から放射される光となる。また、第２半導体発光素子から発せさられる光が、第２発光部から放射される光となる。そして、この第１発光部及び第２発光部から放射される光の全てが入射されるように共通波長変換部材が配置されているので、第１発光部から波長変換されて放射される光と、当該共通波長変換部材により波長変換して得られる光と、共通波長変換部材にて波長変換されずに通過した光と、を含む合成光が当該共通波長変換部材から放射される。
【００３２】
この発光装置の具体的な構成として、例えば前記第１半導体発光素子及び前記第２半導体発光素子はそれぞれ青色光を発する青色半導体発光素子であってもよい。または、前記第１半導体発光素子は近紫外光を発する近紫外半導体発光素子であり、前記第２半導体発光素子は青色光を発する青色半導体発光素子であってもよい。
【００３３】
また、前記第１の波長変換部材は、前記第１半導体発光素子が発した光により励起され第１のピーク波長の光を発する第１の蛍光体を有し、前記共通波長変換部材は、前記第１半導体発光素子及び第２半導体発光素子の少なくとも一方が発した光により励起され、前記第１のピーク波長の光よりも短いピーク波長の光に変換する蛍光体を有することが好ましい。
【００３４】
また、前記第１波長変換部材と前記共通波長変換部材との間に光導波層を設けてもよい。または、前記第１波長変換部材と前記共通波長変換部材との対向面が直接的に接合されていてもよい。
【００３５】
前記第１波長変換部材及び前記第２波長変換部材と、前記共通波長変換部材との間に空間を設けてもよい。
【００３６】
前記共通波長変換部材は、平板状に形成されていてもよい。
【００３７】
または、前記共通波長変換部材は、ドーム状に形成されていてもよい。そして、前記共通波長変換部材は、前記第１発光部及び前記第２発光部を覆うように配置されて外殻をなすように形成されていてもよいし、もしくは、前記共通波長変換部材の放射する光の全てが入射され、前記共通波長変換部材を覆うように配置されており、前記合成光を散乱して放射する外装部材を備え、前記共通波長変換部材は、前記第１発光部及び前記第２発光部を覆うように、かつ、前記第１発光部及び前記第２発光部と前記外装部材との間に形成されていてもよい。
【００３８】
前記第１発光部と前記第２発光部との対向面は、直接的に接合されており、前記共通波長変換部材は、別個の構成部材でなっていてもよい。または、前記第１発光部、前記第２発光部及び前記共通波長変換部材は、それぞれ別個の構成部材でなっていてもよい。
【００３９】
前記第１半導体発光素子及び前記第２半導体発光素子はそれぞれ青色光を発する青色半導体発光素子であり、前記第１波長変換部材は、前記第１半導体発光素子の発した光により励起され赤色光を発する赤色蛍光体を有し、前記共通波長変換部材は、前記第１半導体発光素子及び前記第２半導体発光素子の少なくとも一方が発した光により励起され黄色光を発する黄色蛍光体を有するようにしてもよい。この場合には、第１半導体発光素子の発した青色光は、第１波長変換部材の赤色蛍光体により赤色光に波長変換され、当該第１波長変換部材を通過した青色光は、一部が共通波長変換部材の黄色蛍光体により黄色光に波長変換されると共に、残部が共通波長変換部材を通過し、これら青色光、赤色光及び黄色光が合成して当該共通波長変換部材から放射されることで白色光が得られる。一方、第２半導体発光素子の発した青色光は、一部が共通波長変換部材の黄色蛍光体により黄色光に波長変換されると共に、残部が共通波長変換部材を通過し、これら青色光及び黄色光が合成されて当該共通波長変換部材から放射されることで白色光が得られる。従って、これらの白色光を共通波長変換部材が合成して放射することができる。
【００４０】
また、前記第１半導体発光素子及び前記第２半導体発光素子はそれぞれ青色光を発する青色半導体発光素子であり、前記第１波長変換部材は、前記第１半導体発光素子の発した光により励起され赤色光を発する赤色蛍光体を有し、前記共通波長変換部材は、前記第１半導体発光素子及び前記第２半導体発光素子の少なくとも一方が発した光により励起され緑色光を発する緑色蛍光体を有するようにしてもよい。この場合には、第１半導体発光素子の発した青色光は、第１波長変換部材の赤色蛍光体により赤色光に波長変換され、当該第１波長変換部材を通過した青色光は、一部が共通波長変換部材の緑色蛍光体により緑色光に波長変換されると共に、残部が共通波長変換部材を通過し、これら青色光、赤色光及び緑色光が合成して当該共通波長変換部材から放射されることで白色光が得られる。一方、第２半導体発光素子の発した青色光は、一部が共通波長変換部材の緑色蛍光体により緑色光に波長変換されると共に、残部が共通波長変換部材を通過し、これら青色光及び緑色光が合成されて当該共通波長変換部材から放射されることで白色光が得られる。従って、これらの白色光を共通波長変換部材が合成して放射することができる。
【００４１】
或いは、前記第１半導体発光素子及び前記第２半導体発光素子はそれぞれ青色光を発する青色半導体発光素子であり、前記第１波長変換部材は、前記第１半導体発光素子の発した光により励起され赤色光を発する赤色蛍光体を有し、前記共通波長変換部材は、前記第１半導体発光素子及び前記第２半導体発光素子の少なくとも一方が発した光により励起され黄色光を発する黄色蛍光体、及び前記第１半導体発光素子及び前記第２半導体発光素子の少なくとも一方が発した光により励起され緑色光を発する緑色蛍光体を有するようにしてもよい。この場合には、第１半導体発光素子の発した青色光は、第１波長変換部材の赤色蛍光体により赤色光に波長変換され、当該第１波長変換部材を通過した青色光は、一部が共通波長変換部材の黄色蛍光体及び緑色蛍光体によりそれぞれ黄色光及び緑色光に波長変換されると共に、残部が共通波長変換部材を通過し、これら青色光、赤色光、黄色光及び緑色光が合成して当該共通波長変換部材から放射されることで白色光が得られる。一方、第２半導体発光素子の発した青色光は、一部が共通波長変換部材の黄色蛍光体及び緑色蛍光体によりそれぞれ黄色光及び緑色光に波長変換されると共に、残部が共通波長変換部材を通過し、これら青色光、黄色光及び緑色光が合成されて当該共通波長変換部材から放射されることで白色光が得られる。従って、これらの白色光を共通波長変換部材が合成して放射することができる。
【００４２】
前記第１半導体発光素子は近紫外光を発する近紫外半導体発光素子であり、前記第１波長変換部材は、前記第１半導体発光素子の発した光により励起され青色光を発する青色蛍光体を有し、前記第２半導体発光素子は青色光を発する青色半導体発光素子であり、前記共通波長変換部材は、前記第１半導体発光素子及び前記第２半導体発光素子の少なくとも一方が発した光により励起され赤色光を発する赤色蛍光体、及び前記第１半導体発光素子及び前記第２半導体発光素子の少なくとも一方が発した光により励起され緑色光を発する緑色蛍光体を有するようにしてもよい。
【００４３】
または、前記第１半導体発光素子は近紫外光を発する近紫外半導体発光素子であり、前記第１波長変換部材は、前記第１半導体発光素子の発した光により励起され青色光を発する青色蛍光体を有し、前記第２半導体発光素子は青色光を発する青色半導体発光素子であり、前記共通波長変換部材は、前記第１半導体発光素子及び前記第２半導体発光素子の少なくとも一方が発した光により励起され黄色光を発する黄色蛍光体を有するようにしてもよい。
【００４４】
さらに、前記第１発光部は前記第１半導体発光素子が前記第１波長変換部材に取り囲まれて構成され、前記第２発光部は前記第２半導体発光素子が光導波体に取り囲まれて構成されていてもよい。または、前記第１発光部は前記第１半導体発光素子が第１波長変換部材と離間して設けられていてもよい。
【００４５】
上述したいずれかの発光装置において、前記第１発光部及び前記第２発光部との間には、これら第１発光部及び第２発光部が放射する光を遮断する仕切り部材が設けられているのが好ましい。
また、上述したいずれかの発光装置において、前記共通波長変換部材は、入射した光により励起され青色光を発する青色蛍光体を含んでもよい。または、前記共通波長変換部材は、入射した光により励起され黄色光を発する黄色蛍光体を含んでもよいまたは、前記共通波長変換部材は、入射した光により励起され緑色光を発する緑色蛍光体を含んでもよい。
【００４６】
さらに、上述したいずれかの発光装置において、前記第１波長変換部材は、入射した第１半導体発光素子が発した光により励起され赤色光を発する赤色蛍光体を含んでいてもよい。
【００４７】
また、上述したいずれかの発光装置において、前記共通波長変換部材における前記発光源側の面が、凸形状をなしていてもよい。
また、上述したいずれかの発光装置は、光源として照明装置に適用することが可能である。この場合、この照明装置は、上述したいずれかの発光装置と、前記第１半導体発光素子及び前記第２半導体発光素子の発光を制御する制御手段とを備えるようにしてもよい。
【００４８】
このような照明装置において、前記発光装置は、前記光混合部材が放射する光を入射する入射部と、前記入射部から入射した光を予め定められた方向に放射する出射部とを有した配光部材を更に備えていてもよい。また、配光部材が配光レンズであり、当該配光レンズの焦点が前記共通波長変換部材の発光面上にあってもよい。
【発明の効果】
【００４９】
本発明の発光装置によれば、第２発光部から放射される光が、第２半導体発光素子から発せられる光と第２波長変換部材にて波長変換された光とからなる場合、及び第２発光部から放射される光が第２半導体発光素子から発せられる光のみからなる場合のいずれにおいても、第１発光部及び第２発光部に対して共通して設けられている共通波長変換部材に、第１発光部及び第２発光部が放射する光の全てが入射されて共通波長変換部材に含まれる蛍光体粒子によって散乱されることになるので、第１発光部が放射した光、第２発光部が放射した光、及び共通波長変換部材にて波長変換されて得られた光が十分に混合された合成光として放射され、当該発光装置が放射する光について複数種類の光の分離を良好に抑制することができる。
【００５０】
このような発光装置において、特に、第１半導体発光素子及び第２半導体発光素子をそれぞれ近紫外光を発する近紫外半導体発光素子とした場合、これらの半導体発光素子で発された光は、第１波長変換部材または第２波長変換部材、共通波長変換部材のそれぞれの波長変換部材により波長変換され、発光装置はこれら波長変換して得られた光を合成して放射するため、半導体発光素子が発した光をそのまま発光装置から放射する場合に比べ演色性に優れた光を得ることができる。
【００５１】
これに代えて、第１半導体発光素子及び前記第２半導体発光素子をそれぞれ青色光を発する青色半導体発光素子とした場合、発光装置は半導体発光素子が発した光の一部を波長変換することなく利用して合成光を得るため、波長変換に伴う効率低下を抑え、近紫外光を用いる場合に比べ、発光装置の発光効率を高めることができる。
さらに、前記第１半導体発光素子及び前記第２半導体発光素子のうち、一方を近紫外半導体発光素子とし、他方を青色半導体発光素子とした場合には、演色性に優れた合成光を得られる近紫外光と、発光効率に優れた合成光を得られる青色光との配分を変えることで高演色性モードと高発光効率モードとを必要に応じて切り換えたり、調整したりすることできる。
【００５２】
例えば、第１半導体発光素子を近紫外半導体発光素子、第２半導体素子を青色半導体発光素子とした場合に、第１波長変換部材に赤色蛍光体及び青色蛍光体を有し、第２波長変換部材に赤色蛍光体を有し、共通波長変換部材に緑色蛍光体を有することで、第１半導体発光素子のみを発光させた場合は、第２半導体素子のみを発光させた場合に比べて演色性の高い合成光が得られ、第２半導体発光素子のみを発光させた場合は、第１半導体素子のみを発光させた場合に比べて発光効率の高い合成光が得られる。また、同じく第１半導体発光素子を近紫外半導体発光素子、第２半導体素子を青色半導体発光素子とした場合に、第１波長変換部材に赤色蛍光体、青色蛍光体、及び緑色蛍光体を有し、第２波長変換部材に赤色蛍光体及び緑色蛍光体を有し、共通波長変換部材に黄色蛍光体を有するようにすると、発光装置は４つの発光色を用いてなる合成光を得られることとなり、３つの発光色を用いた合成光よりも、さらに演色性の高い光を放射できる。従って、第１半導体発光素子及び第２半導体素子の発光を調整することで、高演色性モードと高発光効率モードとの調整が可能となる。
【００５３】
このような演色性及び発光効率の調整は、第２発光部に第２波長変換部材を設けず、第２発光部から放射される光が第２半導体発光素子から発せられる光のみからなる場合においても、第１半導体発光素子を近紫外半導体発光素子、第２半導体素子を青色半導体発光素子とすることで可能となる。
【００５４】
具体的には、第１波長変換部材に青色蛍光体を有し、共通波長変換部材に赤色蛍光体及び緑色蛍光体を有することで、第１発光部から放射される光は演色性が高く、第２発光部から放射される光は青色半導体素子から発生される光を用いることから第１発光部から放射される光よりも発光効率が高いものとなる。または、第１波長変換部材に青色蛍光体を有し、共通波長変換部材に黄色蛍光体を有することでも、同様の効果を得ることができる。
【００５５】
このように、第１半導体発光素子を近紫外半導体素子、第２半導体素子を青色半導体素子とした発光装置によれば、例えば発光装置から放射される白色光の色温度を一定にしつつ高演色性モード及び高発光効率モードの使い分けを行うことができる。
また、第１発光部及び第２発光部とも波長変換部材を備えた発光装置の場合、第１半導体発光素子のみを発光させた場合に共通波長変換部材から放射される合成光を第１色温度の白色光とし、第２半導体発光素子のみを発光させた場合に共通波長変換部材から放射される光を第１色温度と異なる第２色温度の白色光とした場合、第１半導体発光素子と第２半導体発光素子の発光を調整することにより、共通波長変換部材から放射される光において、第１色温度から第２色温度までの間の色温度の白色光を得ることができる。これにより、照明装置などで所望の色温度の白色光を得られるようにしたり、色温度の調整が可能な照明光を得られるようにする場合に好適である。
【００５６】
さらに、第１波長変換部材が第１のピーク波長の光を発する第１蛍光体を有し、第２波長変換部材が第２のピーク波長の光を発する第２蛍光体を有し、共通波長変換部材においては、当該第１のピーク波長の光及び第２のピーク波長の光よりも短いピーク波長の光を発する蛍光体を有するようにすることで、当該共通波長変換部材は、すでに１度波長変換されている光を再度波長変換する、いわゆるカスケード励起を低減することができる。従って、発光装置における発光効率の低下を抑制することができる。また、第２発光部が第２波長変換部材を備えていない発光装置においても、第１波長変換部材が第１のピーク波長の光を発する第１蛍光体を有し、共通波長変換部材が当該第１の波長の光よりも短いピーク波長の光を発する蛍光体を有することで、同様の効果が得られる。
【００５７】
また、波長変換部材と共通波長変換部材との間に光導波層を設けた場合には、当該光導波層において第１発光部から放射される光及び第２発光部から放射される光の拡散が生じ、これらの光の混合が促進される。一方、このような光導波層を設けることなく、波長変換部材と共通波長変換部材との対向面を直接的に接合した場合には、発光装置の構成が簡易になり、製造工程の減少やコストの低減を図ることができる。
【００５８】
また、発光部の具体的な構成としては、半導体発光素子を波長変換部材により取り囲んで構成することで、半導体発光素子からの光を当該波長変換部材により確実に取り込むことができるため発光装置の発光効率を向上させることができる。または、半導体発光素子と波長変換部材とを離間して発光部を構成してもよく、この場合は、半導体発光素子の発光により生じる熱が直接波長変換部材に伝達されることがないことから、波長変換部材の熱劣化を抑制することができる。
【００５９】
また、第１発光部及び第２発光部との間に光を遮断する仕切り部材を設けることで、第１発光部から放射された光が第２発光部への入射したり、第２発光部から放射された光が第１発光部への入射したりするのを当該仕切り部材により遮断することができる。これにより、一方の発光部において波長変換された光が他方の発光部において再度波長変換されるようなことを防ぎ、発光装置における発光効率の低下を防ぐことができる。
【００６０】
なお、仕切り部材を、光を透過する材料で形成してもよい。その場合には、第１発光部から放射された光及び第２発光部から放射された光の混合が促進され、当該発光装置が放射する光の分離を良好に抑制することができる。
【００６１】
さらに、第１発光部及び第２発光部との間においては、例えば第１半導体発光素子から発した光が第２波長変換部材に伝搬し、当該第２波長変換部材でも波長変換されて共通波長変換部材に向けて放射されることにより本来得ようとする発光装置の合成光の特性からずれが生じるという悪影響がある。これに対し光を遮断する仕切り部材を設けることで、このような悪影響を考慮せずに済むことから、第１波長変換部材及び第２発光部材の蛍光体の配分量を容易に決定することができる。
【００６２】
また、共通波長変換部材における前記発光源側の面を凸形状とした場合には、当該共通波長変換部材によるレンズ効果が生じ、第１発光部及び第２発光部から放射される光の取り出し性を向上させることができる。
上述したような発光装置を照明装置に適用すれば、上述したような様々な効果により、質の高い照明光を照明装置から得ることができる。
【００６３】
そして、このような照明装置に配光部材を備えるようにした場合、共通波長変換部材にて混合されて放射された光は、配光部材の入射部から配光部材内に入射した後、配光部材の出射部から予め定められた方向に放射される。従って、照明装置から放射される照明光の拡散を、配光部材によって抑えることができる。また、発光装置から放射された光は当該配光部材内でも混合されるため、照明装置から放射された照明光においては光の分離を更に効果的に抑制することができる。
【００６４】
さらに、配光部材としての配光レンズを共通波長変換部材を覆うように設け、そのレンズの焦点を共通波長変換部材の発光面に合わせた場合でも、照射面における色分離を抑制しつつ、レンズの設計どおりの配光角とすることができ、照度や照射領域を設計どおりの所定のものにすることができる。
【図面の簡単な説明】
【００６５】
【図１】本発明の第１実施例に係る発光装置の概略構成を示す斜視図である。
【図２】図１の発光装置を模式的に示す平面図である。
【図３】図２中のIII−III線に沿う発光装置の概略断面図である。
【図４】図１の発光装置を照明装置に適用した場合の電気回路構成を示す回路図である。
【図５】図４の電気回路構成における各トランジスタの作動状態、及び各ＬＥＤチップの駆動電流の一例を示すタイムチャートである。
【図６】発光装置の全体構成の変形例を図３と同様に示す発光装置の概略断面図である。
【図７】発光装置の全体構成の変形例を図３と同様に示す発光装置の概略断面図である。
【図８】発光装置の全体構成の変形例を図３と同様に示す発光装置の概略断面図である。
【図９】発光装置の全体構成の変形例を図３と同様に示す発光装置の概略断面図である。
【図１０】発光装置の全体構成の変形例を図３と同様に示す発光装置の概略断面図である。
【図１１】図１の発光装置を照明装置に適用する場合の変形例を模式的に示す平面図である。
【図１２】図１１中のXI−XI線に沿う発光装置及び配光レンズの概略断面図である。
【図１３】本発明の第２実施例に係る発光装置の図３と同様に示す概略断面図である。
【図１４】本発明の第３実施例に係る発光装置の概略構成を示す斜視図である。
【図１５】図１４の発光装置を模式的に示す平面図である。
【図１６】図１５中のXVI−XVI線に沿う発光装置の概略断面図である。
【図１７】図１６の断面における第１凹部及び第２凹部周辺の要部拡大図である。
【図１８】本発明の第４実施例に係る発光装置を含む照明装置の概略構成を示す側面図である。
【図１９】図１８中のXIX−XIX線に沿う発光装置の概略部分断面図である。
【図２０】図１８中のXIX−XIX線に沿う第４実施例の変形例の発光装置の概略部分断面図である。
【図２１】図１８中のXIX−XIX線に沿う第４実施例の更に他の変形例の発光装置の概略部分断面図である。
【図２２】図１８中のXIX−XIX線に沿う第５実施例の発光装置の概略部分断面図である。
【図２３】図１８中のXIX−XIX線に沿う第５実施例の変形例の発光装置の概略部分断面図である。
【図２４】図１８中のXIX−XIX線に沿う第５実施例の更に他の変形例の発光装置の概略部分断面図である。
【図２５】複数の発光装置を含む照明装置の例の概略構成を示す斜視図である。
【図２６】図２５中のXXVI−XXVI線に沿う照明装置の概略断面図である。
【図２７】図２５に示す複数の発光装置を含む照明装置の例の概略上面図である。
【発明を実施するための形態】
【００６６】
以下、図面を参照し本発明の実施の形態について詳細に説明する。なお、本発明は以下に説明する内容に限定されるものではなく、その要旨を変更しない範囲において任意に変更して実施することが可能である。また、以下の説明に用いる図面は、いずれも本発明による発光装置などを模式的に示すものであって、理解を深めるべく部分的な強調、拡大、縮小、または省略などを行っている場合があり、各構成部材の縮尺や形状等を正確に表すものとはなっていないことがある。更に、以下の説明で用いる様々な数値は、いずれも一例を示すものであり、必要に応じて様々に変更することが可能である。
【００６７】
＜第１実施例＞
（発光装置の全体構成）
図１は、本実施例に係る発光装置１の概略構成を示す斜視図であり、図２は発光装置１を模式的に示す平面図である。また、図３は図２中のIII−III線に沿う発光装置１の概略断面図であり、図４は発光装置１を後述の照明装置に適用した場合の電気回路構成を示す回路図である。図１及び図２に示すように、発光装置１は、電気絶縁性に優れて良好な放熱性を有したアルミナ系セラミックからなる基板２を備えており、この基板２のチップ実装面２ａには、４個の第１ＬＥＤチップ３（第１半導体発光素子）及び４個の第２ＬＥＤチップ４（第２半導体発光素子）が実装されている。
【００６８】
更に、基板２のチップ実装面２ａには、これら第１ＬＥＤチップ３及び第２ＬＥＤチップ４を取り囲むように、環状且つ円錐台形状のリフレクタ５が設けられている。そして、このリフレクタ５の内側は、仕切り部材６によって第１領域７ａと第２領域７ｂとに分割されている。但し、図１に示すように、仕切り部材６の高さはリフレクタ５の高さより低くなっており、リフレクタ５の内側の仕切り部材６より上方の第３領域８においては、第１領域７ａと第２領域７ｂとが一体化している。
【００６９】
これらリフレクタ５及び仕切り部材６は、樹脂、金属、セラミックなどで形成することができ、接着剤などを用いて基板２に固定される。リフレクタ５及び仕切り部材６は全体として光を透過しない材料で形成されているのが好ましい。特に本実施例ではリフレクタ５及び仕切り部材６は光を透過しない材料で形成されている。但し、リフレクタ５及び仕切り部材６に導電性を有した材料を用いる場合は、後述する配線パターンに対して電気的な絶縁性を持たせるための処理が必要となる。また、仕切り部材６を、光を透過する材料で形成しても良い。その場合の材料として、後述する光導波層で例示する材料を用いることができる。
【００７０】
なお、本実施例における第１ＬＥＤチップ３及び第２ＬＥＤチップ４の数は一例であって、必要に応じて増減可能である。即ち、それぞれを１個ずつとすることも可能であり、また両者で数を異ならせることも可能である。また、基板２の材質についても、本実施例で採用したアルミナ系セラミックに限定されるものではなく、基板２に適した様々な材質を採用することが可能であって、例えば、セラミック、樹脂、ガラスエポキシ、樹脂中にフィラーを含有した複合樹脂などから選択された材料を用いてもよい。また、基板２のチップ実装面２ａにおける光の反射性を良くして発光装置１の発光効率を向上させる上では、アルミナ粉末、シリカ粉末、酸化マグネシウム、酸化チタンなどの白色顔料を含むシリコーン樹脂を用いるのが好ましい。更に、放熱性を向上させる上では、銅製基板やアルミ製基板などのような金属製の基板を用いることも可能である。但し、金属製基板を用いる場合には、電気的絶縁を間に介して配線基板に配線パターンを形成する必要がある。
【００７１】
また、上述したリフレクタ５及び仕切り部材６の形状も一例を示すものであって、様々に変更可能である。例えば、予め成形したリフレクタ５及び仕切り部材６に代えて、ディスペンサなどを用い、基板２のチップ実装面２ａにリフレクタ５に相当する環状壁部を形成し、その後に仕切り部材６に相当する仕切り壁を形成するようにしてもよい。この場合、これら環状壁部及び仕切り壁部に用いる材料には、例えばペースト状の熱硬化性樹脂材料またはＵＶ硬化性樹脂材料などがあり、無機フィラーを含有させたシリコーン樹脂が好適である。この場合も、環状壁部及び仕切り壁部には光を透過しない材料を用いるのが好ましい。
【００７２】
図１及び図２に示すように、リフレクタ５内の第１領域７ａには、４個の第１ＬＥＤチップ３が仕切り部材６の延設方向と平行に一列に配置され、リフレクタ５内の第２領域７ｂには、第１ＬＥＤチップ３の配列方向と同方向に４個の第２ＬＥＤチップ４が一列に配置されている。なお、図２では、便宜上リフレクタ５及び仕切り部材６を破線で示している。
【００７３】
基板２のチップ実装面２ａには、第１ＬＥＤチップ３及び第２ＬＥＤチップ４のそれぞれに駆動電流を供給するための配線パターン９及び配線パターン１０が、図２に示すように形成されている。配線パターン９は、その一方の端部に外部接続用の外部接続ランド９ａが形成されており、他方の端部側は、図２に示すように第１ＬＥＤチップ３の配列方向に沿って延設されている。また、配線パターン９は、リフレクタ５内の第２領域７ｂに位置する中間部分から、図２に示すように第２ＬＥＤチップ４の配列方向に沿って分岐されている。
【００７４】
一方、配線パターン１０は、その一方の端部に外部接続用の外部接続ランド１０ａが形成されており、他方の端部側は、図２に示すように第１ＬＥＤチップ３の配列方向に沿って延設されている。また、配線パターン１０は、リフレクタ５内の第２領域７ｂに位置する中間部分から、図２に示すように第２ＬＥＤチップ４の配列方向に沿って分岐されている。
【００７５】
図２に示すように、４個の第１ＬＥＤチップ３は、配線パターン９と配線パターン１０との間に互いに並列に接続されており、いずれもアノードを配線パターン９側としている。また、４個の第２ＬＥＤチップ４も、配線パターン９と配線パターン１０との間に、互いに並列に接続されており、いずれもカソードを配線パターン９側としている。このようにして第１ＬＥＤチップ３及び第２ＬＥＤチップ４が基板２に実装されることにより、発光装置１では図４に示すような電気回路が構成される。即ち、第１ＬＥＤチップ３及び第２ＬＥＤチップ４は互いに極性を逆にして、外部接続ランド９ａと外部接続ランド１０ａとの間に並列に接続されている。
【００７６】
より具体的には、第１ＬＥＤチップ３及び第２ＬＥＤチップ４のそれぞれは、駆動電流供給用の２つの電極（図示省略）を基板２側の面に有している。そして、各第１ＬＥＤチップ３は、その一方の電極（ｐ電極）が配線パターン９に接続されると共に、その他方の電極（ｎ電極）が配線パターン１０に接続されている。また、各第２ＬＥＤチップ４は、その一方の電極（ｐ電極）が配線パターン１０に接続されると共に、その他方の電極（ｎ電極）が配線パターン９に接続されている。
【００７７】
このような第１ＬＥＤチップ３及び第２ＬＥＤチップ４の実装、並びに両電極の配線パターン９及び１０への接続は、フリップチップ実装を採用し、図示しない金属バンプを介し、共晶ハンダを用いて行っている。なお、第１ＬＥＤチップ３及び第２ＬＥＤチップ４の基板２への実装方法は、これに限定されるものではなく、これらＬＥＤチップの種類や構造などに応じて適切な方法を選択することが可能である。例えば、第１ＬＥＤチップ３及び第２ＬＥＤチップ４をそれぞれ上述したような基板２の所定位置に接着固定した後、第１ＬＥＤチップ３及び第２ＬＥＤチップ４のそれぞれの電極をワイヤボンディングで対応する配線パターンに接続するダブルワイヤボンディングを採用してもよいし、一方の電極を上述のように配線パターンに接合すると共に、他方の電極をワイヤボンディングで配線パターンに接続するシングルワイヤボンディングを採用してもよい。
【００７８】
図３に示すように、リフレクタ５内の第１領域７ａには、仕切り部材６の高さまで、第１蛍光部材（第１波長変換部材）１２が４個の第１ＬＥＤチップ３をそれぞれ取り囲むように覆って収容されている。また、リフレクタ５内の第２領域７ｂには、同様に仕切り部材６の高さまで、第２蛍光部材（第２波長変換部材）１３が４個の第２ＬＥＤチップ４をそれぞれ取り囲むように覆って収容されている。なお、図１においては、便宜上これら第１蛍光部材１２及び第２蛍光部材１３を省略している。
【００７９】
第１蛍光部材１２は、第１ＬＥＤチップ３が発する光（矢印Ａ１）によって励起され、第１ＬＥＤチップ３が発する光とは異なる波長の光（矢印Ａ２）を放射する第１蛍光体１４と、この第１蛍光体１４を分散保持する充填材１５とからなる。また、第２蛍光部材１３は、第２ＬＥＤチップ４が発する光（矢印Ｂ１）によって励起され、第２ＬＥＤチップ４が発する光とは異なる波長の光（矢印Ｂ２）を放射する第２蛍光体１６と、この第２蛍光体１６を分散保持する充填材１７とからなる。
【００８０】
従って、本実施例においては、第１ＬＥＤチップ３と第１蛍光部材１２との組み合わせが、本発明の第１発光部に相当する第１ＬＥＤ１８を構成する。また、第２ＬＥＤチップ４と第２蛍光部材１３との組み合わせが、本発明の第２発光部に相当する第２ＬＥＤ１９を構成する。また、第１蛍光部材１２の上面１２ａが第１発光面をなし、第２蛍光部材１３の上面１３ａが第２発光面をなしている。そこで、以下では第１蛍光部材１２の上面１２ａを第１発光面と称すると共に、第２蛍光部材１３の上面１３ａを第２発光面と称する。
【００８１】
上述のようにして、リフレクタ５内の第１領域７ａ内に第１蛍光部材１２が収容されると共に、第２領域７ｂ内に第２蛍光部材１３が収容されることにより、第１発光面１１ａ及び第２発光面１２ａは、図１に示すように、仕切り部材６の高さに対応した一点鎖線の高さにある。従って、上述のように、第１発光面１２ａ及び第２発光面１３ａの上方には、リフレクタ５によって包囲された第３領域８が存在する。
【００８２】
図３に示すように、第３領域８内の下半部分には、第１発光面１２ａ及び第２発光面１３ａの上にディスペンサなどを用いて形成された光導波層２０が設けられている。当該光導波層２０は第１発光面１２ａ及び第２発光面１３ａの全面を覆っており、当該第１発光面１２ａ及び第２発光面１３ａより放射される光（矢印Ａ１、Ａ２、Ｂ１、Ｂ２）の全てを通過させるようになっている。この第１発光面１２ａ及び第２発光面１３ａより放射される光は、当該光導波層２０を通過する際に拡散されるので光の混合が促進される。さらに、光の混合を促進するために、光導波層の第１発光面及び第２発光面と接している面に凹凸を設けてもよく、後述する共通波長変換部材と接している面に凹凸を設けてもよい。凹凸の形状としては、後述する配光レンズの入射面または出射面に形成する凹凸として例示される形状にしてもよい。
【００８３】
また、当該光導波層２０の上面、即ち第３領域８内の上半部分は、ディスペンサなどを用いて形成された共通蛍光部材２１が設けられている。従って、第１発光面１２ａ及び第２発光面１３ａは、間に光導波層２０を介しつつ、第１発光面１１ａ及び第２発光面１２ａに対向する位置に設けられた共通蛍光部材２１によって全体が覆われている。
【００８４】
共通蛍光部材２１は、第１ＬＥＤチップ３が発する光（矢印Ａ１）及び第２ＬＥＤチップ４が発する光（矢印Ａ２）によって励起され、第１ＬＥＤチップ３及び第２ＬＥＤチップ４が発する光とは異なる波長の光（矢印Ｃ）を放射する共通蛍光体２２と、この共通蛍光体２２を分散保持する充填材２３とからなる。そして、共通蛍光部材２１の上面２１ａが共通発光面をなしており、以下では共通発光部材２１の上面２１ａを共通発光面と称する。さらに、光の混合を促進するために、共通発光面に凹凸を設けてもよい。凹凸の形状としては、後述する配光レンズの入射面または出射面に形成する凹凸として例示される形状にしてもよい。
【００８５】
つまり、後に詳述するが、共通蛍光部材２１は、第１ＬＥＤチップ及び第２ＬＥＤチップが同時または交互に発光することで、第１ＬＥＤ１８及び第２ＬＥＤ１９のそれぞれから放射される光（矢印Ａ１、Ａ２、Ｂ１、Ｂ２）のうち、当該第１蛍光体１４及び第２蛍光体１６により波長変換されなかった第１ＬＥＤチップ３及び第２ＬＥＤチップ４が発する光（矢印Ａ１、Ｂ１）を波長変換するために設けられている。この共通蛍光部材２１の共通蛍光体２２により波長変換して得られた光（矢印Ｃ）と、第１蛍光体１４により波長変換された光（矢印Ａ２）及び第２蛍光体１６により波長変換された光（矢印Ｂ２）と、第１蛍光部材１２及び共通蛍光部材２１にて波長変換されずに通過した第１ＬＥＤチップ３の光（矢印Ａ１）及び第２蛍光部材１３及び共通蛍光部材２１にて波長変換されずに通過した第２ＬＥＤチップ４の光（矢印Ｂ１）とを、混合して得られる合成光が共通発光面２１ａから放射される。なお、図１では、説明の便宜上、光導波層２０及び共通蛍光部材２１を省略している。
【００８６】
（ＬＥＤチップ）
本実施例において用いる第１ＬＥＤチップ３及び第２ＬＥＤチップ４は、いずれも４０５ｎｍのピーク波長を有した近紫外光を発するＬＥＤチップである。これらのＬＥＤチップ３、４で発された光の一部は、第１蛍光部材１２または第２蛍光部材１３、共通蛍光部材２１のそれぞれの蛍光体により波長変換され、発光装置１はこれら波長変換して得られた光を合成して放射するため、ＬＥＤチップ３、４が発した光を波長変換せずにそのまま用いる場合に比べ演色性に優れた光を得ることができる。
【００８７】
具体的には、このようなＬＥＤチップとして、ＩｎＧａＮ半導体が発光層に用いられて近紫外領域の光を発するＧａＮ系ＬＥＤチップなどが好ましい。なお、これら第１ＬＥＤチップ３及び第２ＬＥＤチップ４の種類や発光波長特性はこれに限定されるものではなく、本発明の要旨を変更しない限りにおいて、様々なＬＥＤチップを用いることができる。近紫外光を発するＬＥＤチップ以外のＬＥＤチップとして、後に変形例として詳述するが、例えば青色光を発するＬＥＤチップ、緑色光を発するＬＥＤチップを用いることもできる。従って、本実施例において第１ＬＥＤチップ３及び第２ＬＥＤチップ４が発する光のピーク波長は、４００ｎｍ〜４８０ｎｍ、好ましくは４２０ｎｍ〜４７０ｎｍ、５００ｎｍ〜５８０ｎｍ、好ましくは５１５ｎｍ〜５７０ｎｍの波長範囲内にあるものが好適である。
【００８８】
（蛍光部材）
本実施例において、第１蛍光部材１２が有する第１蛍光体１４、第２蛍光部材１６が有する第２蛍光体１６、及び共通蛍光部材２１が有する共通蛍光体２２は、それぞれ異なる波長変換特性を有している。このような異なる波長変換特性の組み合わせは種々可能である。本実施例では、第１蛍光体１４及び第２蛍光体１６はそれぞれ赤色蛍光体、緑色蛍光体及び青色蛍光体の３種類の蛍光体を混合して用い、共通蛍光体２２は青色蛍光体を用いている。
【００８９】
４個の第１ＬＥＤチップ３が発する近紫外光は、その一部が第１蛍光部材１３内に第１蛍光体１４として分散保持されている赤色蛍光体、緑色蛍光体及び青色蛍光体によってそれぞれ赤色光、緑色光及び青色光に波長変換され、これら赤色光、緑色光及び青色光と、波長変換されずに当該第１蛍光部材１３を通過する近紫外光とを含めた合成光が、第１蛍光部材１２の上面、即ち第１発光面１２ａから放射されるようになっている。
【００９０】
また、４個の第２ＬＥＤチップ４が発する近紫外光は、その一部が第２蛍光部材１３内に第２蛍光体１６として分散保持されている赤色蛍光体、緑色蛍光体及び青色蛍光体によってそれぞれ赤色光、緑色光及び青色光に波長変換され、これら赤色光、緑色光及び青色光と、波長変換されずに当該第２蛍光部材１４を通過する近紫外光とを含めた合成光が、第２蛍光部材１３の上面、即ち第２発光面１３ａから放射されるようになっている。
【００９１】
さらに、これら第１発光面１２ａから放射された光及び第２発光面１３ａから放射された光の全ては、光導波層２０を介して当該第１発光面１２ａ及び第２発光面１３ａの全体を覆っている共通蛍光部材２１に入射する。この入射された光のうち、第１ＬＥＤチップ３から発せられ第１蛍光体１４により波長変換されずに第１発光面１２ａから放射された近紫外光、及び第２ＬＥＤチップ３から発せられ第２蛍光体１６により波長変換されずに第２発光面１３ａから放射された近紫外光は、それぞれ共通蛍光部材２１内に共通蛍光体２２として分散保持されている青色蛍光体によって、青色光に波長変換される。そして、この波長変換して得られた青色光及び波長変換されずに通過した近紫外光と、第１蛍光体１４により波長変換されて第１発光面１２ａから放射された赤色光、緑色光、青色光、及び第２蛍光体１６により波長変換されて第２発光面１３ａから放射された赤色光、緑色光、青色光とが、合成されることで共通発光面２１ａから白色光として放射されるようになっている。
【００９２】
ここで、第１蛍光体１４と第２蛍光体１６とでは、赤色蛍光体、緑色蛍光体及び青色蛍光体の蛍光体の混合比率を変えており、第１ＬＥＤチップ３のみを点灯させた場合に共通発光面２１ａから放射される白色光の第１色温度Ｔ１と、第２ＬＥＤチップ４のみを点灯させた場合に共通発光面２１ａから放射される白色光の第２色温度Ｔ２とが異なるようにしている。言い換えれば、第１発光面１２ａから放射される赤色光、緑色光、青色光と共通蛍光部材２１において得られる青色光とを合成して共通発光面２１ａから放射される白色光の第１色温度Ｔ１と、第２発光面１３ａから放射される赤色光、緑色光、青色光と共通蛍光部材２１において得られる青色光とを合成して共通発光面２１ａから放射される白色光の第２色温度Ｔ２とが異なっている。なお、本実施例では、例えば第１色温度Ｔ１を一般的な電球色に対応した２５００Ｋとすると共に、第２色温度Ｔ２を第１色温度Ｔ１より高い昼光色に対応した６５００Ｋに設定している。これら第１色温度Ｔ１及び第２色温度Ｔ２の値は、このような値に限定されるものではなく、発光装置１に求められる特性に応じて様々に設定可能である。
【００９３】
なお、第１蛍光体１４、第２蛍光体１６及び共通蛍光体２２は、本実施例のように第１蛍光体１４及び第２蛍光体１６として赤色蛍光体、緑色蛍光体及び青色蛍光体を混合したもの、及び共通蛍光体２２として青色蛍光体としたもの、に限定されるわけではない。
各蛍光体部材における蛍光体の組み合わせについては、後に本実施例の変形例として詳述するが、蛍光体の種類としては、赤色蛍光体、緑色蛍光体、青色蛍光体の他、橙色蛍光体、黄色蛍光体、青緑色蛍光体を用いてもよい。また、第１蛍光体１４及び第２蛍光体１６についても必ずしも同種の蛍光体を用いる必要もない。
【００９４】
このように、第１蛍光体１４、第２蛍光体１６及び共通蛍光体２２には様々な種類の蛍光体を採用することが可能である。なお、第１ＬＥＤチップ３のみを点灯させた場合に得られる光、及び第２ＬＥＤチップ４のみを点灯させた場合に得られる光はそれぞれ白色光に限定されるものではなく、発光装置１に求められる放射光の色度や輝度などに応じ、第１蛍光体１４及び第２蛍光体１６の種類を適宜選択して、第１発光面１２ａから放射される光の第１の色度と、第２発光面１３ａから放射される光の第２の色度とが異なるようにすればよい。上述した各種蛍光体１４、１６、２２及び充填材１５、１７、２３、光導波層２０の具体例は以下の通りである。
【００９５】
（赤色蛍光体）
赤色蛍光体の発光ピーク波長は、通常は５７０ｎｍ以上、好ましくは５８０ｎｍ以上、より好ましくは５８５ｎｍ以上で、通常は７８０ｎｍ以下、好ましくは７００ｎｍ以下、より好ましくは６８０ｎｍ以下の波長範囲にあるものが好適である。中でも、赤色蛍光体として例えば、（Ｃａ，Ｓｒ，Ｂａ）2Ｓｉ5（Ｎ，Ｏ）8：Ｅｕ、（Ｃａ，Ｓｒ，Ｂａ）Ｓｉ（Ｎ，Ｏ）2：Ｅｕ、（Ｃａ，Ｓｒ，Ｂａ）ＡｌＳｉ（Ｎ，Ｏ）3：Ｅｕ、（Ｓｒ，Ｂａ）3ＳｉＯ5：Ｅｕ、（Ｃａ，Ｓｒ）Ｓ：Ｅｕ、ＳｒＡｌＳｉ4Ｎ7：Ｅｕ、（Ｌａ，Ｙ）2Ｏ2Ｓ：Ｅｕ、Ｅｕ（ジベンゾイルメタン）3・１，１０−フェナントロリン錯体などのβ−ジケトン系Ｅｕ錯体、カルボン酸系Ｅｕ錯体、Ｋ2ＳｉＦ6：Ｍｎが好ましく、（Ｃａ，Ｓｒ，Ｂａ）2Ｓｉ5（Ｎ，Ｏ）8：Ｅｕ、（Ｓｒ，Ｃａ）ＡｌＳｉ（Ｎ，Ｏ）3：Ｅｕ、ＳｒＡｌＳｉ4Ｎ7：Ｅｕ、（Ｌａ，Ｙ）2Ｏ2Ｓ：Ｅｕ、Ｋ2ＳｉＦ6：Ｍｎがより好ましい。
【００９６】
（橙色蛍光体）
発光ピーク波長が５８０ｎｍ以上、好ましくは５９０ｎｍ以上で、６２０ｎｍ以下、好ましくは６１０ｎｍ以下の範囲にある橙色蛍光体は、赤色蛍光体に代えて好適に用いることができる。このような橙色蛍光体としては、（Ｓｒ，Ｂａ）3ＳｉＯ5：Ｅｕ、（Ｓｒ，Ｂａ）2ＳｉＯ4：Ｅｕ、（Ｃａ，Ｓｒ，Ｂａ）2Ｓｉ5（Ｎ，Ｏ）8：Ｅｕ、（Ｃａ，Ｓｒ，Ｂａ）ＡｌＳｉ（Ｎ，Ｏ）3：Ｃｅなどがある。
【００９７】
（緑色蛍光体）
緑色蛍光体の発光ピーク波長は、通常は５００ｎｍ以上、好ましくは５１０ｎｍ以上、より好ましくは５１５ｎｍ以上で、通常は５５０ｎｍ未満、好ましくは５４２ｎｍ以下、より好ましくは５３５ｎｍ以下の波長範囲にあるものが好適である。中でも、緑色蛍光体として例えば、Ｙ3（Ａｌ，Ｇａ）5Ｏ12：Ｃｅ、ＣａＳｃ2Ｏ4：Ｃｅ、Ｃａ3（Ｓｃ，Ｍｇ）2Ｓｉ3Ｏ12：Ｃｅ、（Ｓｒ，Ｂａ）2ＳｉＯ4：Ｅｕ、（Ｓｉ，Ａｌ）6（Ｏ，Ｎ）8：Ｅｕ（β−サイアロン）、（Ｂａ，Ｓｒ）3Ｓｉ6Ｏ12Ｎ2：Ｅｕ、ＳｒＧａ2Ｓ4：Ｅｕ、ＢａＭｇＡｌ10Ｏ17：Ｅｕ，Ｍｎが好ましい。
【００９８】
（青色蛍光体）
青色蛍光体の発光ピーク波長は、通常は４２０ｎｍ以上、好ましくは４３０ｎｍ以上、より好ましくは４４０ｎｍ以上で、通常は５００ｎｍ未満、好ましくは４９０ｎｍ以下、より好ましくは４８０ｎｍ以下、更に好ましくは４７０ｎｍ以下、特に好ましくは４６０ｎｍ以下の波長範囲にあるものが好適である。中でも、青色蛍光体として例えば、（Ｃａ，Ｓｒ，Ｂａ）ＭｇＡｌ10Ｏ17：Ｅｕ、（Ｓｒ，Ｃａ，Ｂａ，Ｍｇ）10（ＰＯ4）6（Ｃｌ，Ｆ）2：Ｅｕ、（Ｂａ，Ｃａ，Ｍｇ，Ｓｒ）2ＳｉＯ4：Ｅｕ、（Ｂａ，Ｃａ，Ｓｒ）3ＭｇＳｉ2Ｏ8：Ｅｕが好ましく、（Ｂａ，Ｓｒ）ＭｇＡｌ10Ｏ17：Ｅｕ、（Ｃａ，Ｓｒ，Ｂａ）10（ＰＯ4）6（Ｃｌ，Ｆ）2：Ｅｕ、Ｂａ3ＭｇＳｉ2Ｏ8：Ｅｕがより好ましく、Ｓｒ10（ＰＯ4）6Ｃｌ2：Ｅｕ、ＢａＭｇＡｌ10Ｏ17：Ｅｕが特に好ましい。
【００９９】
（黄色蛍光体）
黄色蛍光体の発光ピーク波長は、通常は５３０ｎｍ以上、好ましくは５４０ｎｍ以上、より好ましくは５５０ｎｍ以上で、通常は６２０ｎｍ以下、好ましくは６００ｎｍ以下、より好ましくは５８０ｎｍ以下の波長範囲にあるものが好適である。中でも、黄色蛍光体として例えば、Ｙ3Ａｌ5Ｏ12：Ｃｅ、（Ｙ，Ｇｄ）3Ａｌ5Ｏ12：Ｃｅ、（Ｓｒ，Ｃａ，Ｂａ，Ｍｇ）2ＳｉＯ4：Ｅｕ、（Ｃａ，Ｓｒ）Ｓｉ2Ｎ2Ｏ2：Ｅｕ、α−サイアロン、Ｌａ3Ｓｉ6Ｎ11：Ｃｅ（但し、その一部がＣａやＯで置換されていてもよい）が好ましい。
【０１００】
（青緑色蛍光体）
青緑色蛍光体としては、（Ｂａ，Ｃａ，Ｍｇ）10（ＰＯ4）6Ｃｌ2：Ｅｕ2+（ピーク波長４８３ｎｍ）などのハロ燐酸塩系蛍光体、２ＳｒＯ・０．８４Ｐ2Ｏ5・０．１６Ｂ2Ｏ3：Ｅｕ2+（ピーク波長４８０ｎｍ）などの燐酸塩系蛍光体、Ｓｒ2Ｓｉ3Ｏ8・２ＳｒＣｌ2：Ｅｕ2+（ピーク波長４９０ｎｍ）などのケイ酸塩系蛍光体、ＢａＡｌ8Ｏ13：Ｅｕ2+（ピーク波長４８０ｎｍ）、ＢａＭｇ2Ａｌ16Ｏ27：Ｅｕ2+，Ｍｎ2+（ピーク波長４５０ｎｍ，５１５ｎｍ）、ＳｒＭｇＡｌ10Ｏ17：Ｅｕ2+（ピーク波長４８０ｎｍ程度）、Ｓｒ4Ａｌ14Ｏ25：Ｅｕ2+（ピーク波長４８０ｎｍ程度）などのアルミン酸塩系蛍光体、ＢａＳｉ2Ｎ2Ｏ2：Ｅｕ2+（ピーク波長４８０ｎｍ程度）などの酸窒化物系蛍光体などがある。なお、単一種類の青緑色蛍光体に代えて、複数種類の青緑色蛍光体を混合して用いてもよいし、青色蛍光体と緑色蛍光体とを適宜混合して放射光が青緑色となるようにしてもよい。
【０１０１】
（充填材）
第１蛍光体１４を分散保持する充填材１５、第２蛍光体１６を分散保持する充填材１７、共通蛍光体２２を分散保持する充填剤２３には、熱可塑性樹脂、熱硬化性樹脂、光硬化性樹脂などが用いられるが、第１ＬＥＤチップ３や第２ＬＥＤチップ４から発せられる近紫外光に対して十分な透明性と耐久性とを有した材料を用いるのが好ましい。具体的には、例えば、ポリ（メタ）アクリル酸メチルなどの（メタ）アクリル樹脂、ポリスチレンやスチレン−アクリロニトリル共重合体などのスチレン樹脂、ポリカーボネート樹脂、ポリエステル樹脂、フェノキシ樹脂、ブチラール樹脂、ポリビニルアルコール、エチルセルロースやセルロースアセテートやセルロースアセテートブチレートなどのセルロース系樹脂、エポキシ樹脂、フェノール樹脂、シリコーン樹脂などがあげられる。また、無機系材料、例えば、金属アルコキシド、セラミック前駆体ポリマーもしくは金属アルコキシドを含有する溶液をゾル−ゲル法により加水分解重合してなる溶液またはこれらの組み合わせを固化した無機系材料、例えばシロキサン結合を有する無機系材料やガラスを用いることができる。
【０１０２】
（光導波層）
第１ＬＥＤ１８並びに第２ＬＥＤ１９と共通蛍光部材２１との間に設けらた光導波層２０は、上記充填剤１４、１７、２３と同様の材料を用いることができる。（つまり、当該光導波層２０には、熱可塑性樹脂、熱硬化性樹脂、光硬化性樹脂などが用いられるが、第１ＬＥＤチップ３や第２ＬＥＤチップ４から発せられる近紫外光に対して十分な透明性と耐久性とを有した材料を用いるのが好ましい。具体的には、例えば、ポリ（メタ）アクリル酸メチルなどの（メタ）アクリル樹脂、ポリスチレンやスチレン−アクリロニトリル共重合体などのスチレン樹脂、ポリカーボネート樹脂、ポリエステル樹脂、フェノキシ樹脂、ブチラール樹脂、ポリビニルアルコール、エチルセルロースやセルロースアセテートやセルロースアセテートブチレートなどのセルロース系樹脂、エポキシ樹脂、フェノール樹脂、シリコーン樹脂などがあげられる。また、無機系材料、例えば、金属アルコキシド、セラミック前駆体ポリマーもしくは金属アルコキシドを含有する溶液をゾル−ゲル法により加水分解重合してなる溶液またはこれらの組み合わせを固化した無機系材料、例えばシロキサン結合を有する無機系材料やガラスを用いることができる。）
【０１０３】
（照明装置への適用）
本実施例の発光装置１では、第１ＬＥＤチップ３のみを点灯させた場合に共通発光面２１ａから１色温度Ｔ１の白色光を発すると共に、第２ＬＥＤチップ４のみを点灯させた場合に共通発光面２１ａから第１色温度Ｔ１より高い第２色温度Ｔ２の白色光を発し、これら２種類の白色光を混合した合成光を発光装置１から放射するようにしているので、第１ＬＥＤチップ３の発光と第２ＬＥＤチップ４の発光とを調整することにより、第１色温度Ｔ１から第２色温度Ｔ２までの間の任意の色温度の白色光を発光装置１から得ることが可能である。従って、照明装置などで予め定めた所望の色温度の白色光が得られるようにする場合や、色温度の調整が可能な照明光が得られるようにする場合の照明装置の光源として発光装置１は好適である。そこで、本実施例の発光装置１を光源として用いることにより、照明光の色温度を第１色温度Ｔ１から第２色温度Ｔ２までの間で調整可能とした照明装置の例について以下に説明する。
【０１０４】
図４は、本実施例の発光装置１を照明装置１０１に適用した場合の、照明装置１０１の電気回路構成の概略を示す回路図である。上述したようにして第１ＬＥＤチップ３及び第２ＬＥＤチップ４が基板２に実装されることにより、発光装置１は、図４に示すような電気回路構成を有する。即ち、それぞれ４個の第１ＬＥＤチップ３及び第２ＬＥＤチップ４は、基板２に設けられた外部接続ランド９ａ及び１０ａの間にて、第１ＬＥＤチップ３はアノードを外部接続ランド９ａ側とし、第２ＬＥＤチップ４はカソードを外部接続ランド９ａ側として接続されている。図４に示すように、４個の第１ＬＥＤチップ３と４個の第２ＬＥＤチップ４とは、互いに極性が逆となるようにして並列に接続されている。
【０１０５】
発光装置１の第１ＬＥＤチップ３及び第２ＬＥＤチップ４のそれぞれに駆動電流を供給すると共に、この駆動電流の供給を制御するため、照明装置１０１には駆動ユニット１０２が設けられている。この駆動ユニット１０２は、４つのトランジスタＱ１、Ｑ２、Ｑ３及びＱ４によって構成されるフルブリッジタイプの駆動回路を有する。第１ＬＥＤチップ３及び第２ＬＥＤチップ４にそれぞれ電力を供給するために駆動ユニット１０２に設けられている駆動電源１０３の正極には、トランジスタＱ１及びＱ２のコレクタが接続されている。また、駆動電源１０３の負極には、トランジスタＱ３及びＱ４のエミッタが接続されている。
【０１０６】
一方、駆動回路の一方の出力側となるトランジスタＱ１のエミッタとトランジスタＱ３のコレクタとの接続部が電流制限用の抵抗Ｒｓを介して、駆動ユニット１０２の接続端子１０４に接続されている。また、駆動回路の他方の出力側となるトランジスタＱ２のエミッタとトランジスタＱ４のコレクタとの接続部が、駆動ユニット１０２の接続端子１０５に接続されている。そして、駆動ユニット１０２の接続端子１０４は、発光ユニット１側の外部配線ランド９ａ及び１０ａと電気的に接続されている。
【０１０７】
抵抗Ｒｓは、発光装置１における第１ＬＥＤチップ３及び第２ＬＥＤチップ４のそれぞれに流れる電流を適正な大きさ（例えば、ＬＥＤチップ１個あたり６０ｍＡ）に調整するために設けられている。なお、抵抗Ｒｓの挿入位置は、これに限定されるものではなく、例えばトランジスタＱ１と駆動電源１０３の正極との間、及びトランジスタＱ２と駆動電源１０３の正極との間にそれぞれ１つずつ設けるようにしてもよい。また、駆動ユニット１０２側に設けずに、発光装置１側の、例えば基板２に実装するようにしてもよい。
【０１０８】
４つのトランジスタＱ１〜Ｑ４は、いずれもそれぞれのベース信号に応じてオン状態とオフ状態とに切り換え可能であって、それぞれのベースは、このような切り換えを制御するための駆動制御部（制御手段）１０６に接続されている。駆動制御部１０６は、トランジスタＱ２及びＱ３を共にオフ状態としている間にトランジスタＱ１及びＱ４をオン状態とする一方、トランジスタＱ１及びＱ４を共にオフ状態としている間にトランジスタＱ２及びＱ３をオン状態とするようにそれぞれのベース信号を出力する。
【０１０９】
上述の電気回路構成において、駆動制御部１０６からのベース信号によりトランジスタＱ１及びＱ４が共にオン状態になると、駆動電源１０３の正極がトランジスタＱ１及び抵抗Ｒｓを介して発光装置１の外部接続ランド９ａに接続されると共に、駆動電源１０３の負極がトランジスタＱ４を介して発光装置１の外部接続ランド１０ａに接続される。従って、この場合には発光装置１において第１ＬＥＤチップ３にのみ順方向電流が流れることにより、第１ＬＥＤチップ３のみが発光する。
【０１１０】
このような電流の供給によって第１ＬＥＤチップ３から発せられた近紫外光の一部は、第１ＬＥＤチップ３と同じく基板２のリフレクタ５内に収容された第１蛍光部材１２に分散保持されている第１蛍光体１４により上述したようにして波長変換され、この波長変換された光が第１発光面１２ａから放射される。
【０１１１】
一方、駆動制御部１０６からのベース信号によりトランジスタＱ２及びＱ３が共にオン状態になると、駆動電源１０３の正極がトランジスタＱ２を介して発光装置１の外部接続ランド１０ａに接続されると共に、駆動電源１０３の負極が抵抗Ｒｓ及びトランジスタＱ３を介して発光装置１の外部接続ランド９ａに接続される。従って、この場合には発光装置１において第２ＬＥＤチップ４にのみ順方向電流が流れることにより、第２ＬＥＤチップ４のみが発光する。
【０１１２】
このような電流の供給によって第２ＬＥＤチップ４から発せられた近紫外光の一部は、第２ＬＥＤチップ４と同じく基板２のリフレクタ５内に収容された第２蛍光部材１３に分散保持されている第２蛍光体１６により上述のようにして波長変換され、この波長変換された光が第２発光面１３ａから放射される。
【０１１３】
このように駆動ユニット１０２は、当該駆動ユニット１０２に接続されている発光装置１の第１ＬＥＤチップ３に供給する第１駆動電流と、第２ＬＥＤチップ４に供給する第２駆動電流とを独立して制御できるように構成されている。そして、トランジスタＱ１及びＱ４のオン状態とトランジスタＱ２及びＱ３のオン状態とを交互に切り換える場合に、一方のオン期間を長くすると共に、他方のオン期間を短くしていくと、オン期間を短くした方のＬＥＤチップは駆動電流が不足して発光しなくなる。
【０１１４】
従って、例えば、トランジスタＱ２及びＱ３のオン期間を短くして、第２ＬＥＤチップ４が発光可能な大きさの第２駆動電流が第２ＬＥＤチップ４に供給されなくなると、第１蛍光部材１２にて波長変換された赤色光、緑色光、及び青色光と、共通蛍光部材２１にて波長変換された青色光とが、合成されて第１色温度Ｔ１の白色光として発光装置１から放射される。一方、トランジスタＱ１及びＱ４のオン期間を短くして、第１ＬＥＤチップ３が発光可能な大きさの第１駆動電流が第１ＬＥＤチップ３に供給されなくなると、第２蛍光部材１３にて波長変換された赤色光、緑色光、及び青色光と、共通蛍光部材２１にて波長変換された青色光とが、合成されて第２色温度Ｔ２の白色光として発光装置１から放射される。また、トランジスタＱ１及びＱ４のオン期間とトランジスタＱ２及びＱ３のオン期間とを調整し、それぞれ第１ＬＥＤチップ３及び第２ＬＥＤチップ４が発光可能な大きさの第１及び第２駆動電流がそれぞれ第１ＬＥＤチップ３及び第２ＬＥＤチップ４に供給されると、第１蛍光部材１２から放射される合成光と第２蛍光部材１３から放射される合成光と共通蛍光部材２１にて波長変換される青色光とがさらに合成されて第１色温度Ｔ１から第２色温度Ｔ２の間の色温度の白色光が発光装置１から放射される。
【０１１５】
図５は、上述したような各トランジスタＱ１〜Ｑ４の作動状態、及び各ＬＥＤチップの駆動電流の一例を示すタイムチャートである。なお、図５では抵抗Ｒｓに流れる電流を用い、発光装置１における４個の第１ＬＥＤチップ３に流れる電流及び４個の第２ＬＥＤチップ４に流れる電流をそれぞれ示しているので、これら第１ＬＥＤチップ３に流れるトータルの電流Ｉ１は正の値で示され、第２ＬＥＤチップ４に流れるトータルの電流Ｉ２は、−Ｉ２として負の値で示されている。
【０１１６】
図５に示すように、トランジスタＱ１及びＱ４が共にオン状態となると、発光装置１において４個の第１ＬＥＤチップ３にトータルの電流Ｉ１が流れ、第１ＬＥＤチップ３がそれぞれ近紫外光を発する。一方、トランジスタＱ２及びＱ３が共にオン状態となると、発光装置１において４個の第２ＬＥＤチップ４にトータルの電流Ｉ２が流れ、第２ＬＥＤチップ４がそれぞれ近紫外光を発する。このようなオン状態の切り換えは、それぞれのＬＥＤチップの発光の切り換えに伴う発光装置１からの合成光のちらつきが気にならない程度の周期ｔ０（例えば２０ｍｓ）で行われ、図５に示す例では、トランジスタＱ１及びＱ４のオン期間ｔ１の方が、トランジスタＱ２及びＱ３のオン期間ｔ２より長く設定されている（例えば、ｔ１＝１４ｍｓ及びｔ２＝６ｍｓ）。
【０１１７】
このように、トランジスタＱ１及びＱ４のオン状態と、トランジスタＱ２及びＱ３のオン状態とを交互に切り換えた場合、第１ＬＥＤチップ３の１個あたりの第１駆動電流Ｉｄ１及び第２ＬＥＤチップ４の１個あたりの第２駆動電流Ｉｄ２は、下記式（１）及び（２）で表される。
Ｉｄ１＝（ｔ１／ｔ０）・（Ｉ１／４）      ・・・  （１）
Ｉｄ２＝（ｔ２／ｔ０）・（Ｉ２／４）      ・・・  （２）
【０１１８】
従って、トランジスタＱ１及びＱ４のオン期間ｔ１とトランジスタＱ２及びＱ３のオン期間ｔ２との比率ｔ１／ｔ２の変化に応じて、第１駆動電流Ｉｄ１と第２駆動電流Ｉｄ２との比率Ｉｄ１／Ｉｄ２が変化する一方で、１つの周期ｔ０における第１駆動電流Ｉｄ１と第２駆動電流Ｉｄ２との和は一定になる。このため、周期ｔ０を一定に保持しながらオン期間ｔ１及びｔ２を変化させることにより、第１発光面１２ａから放射される合成光の強度と、第２発光面１３ａから放射される合成光の強度との比率が変化する。
【０１１９】
例えば、オン期間ｔ１を増大させると共にオン期間ｔ２を減少させることにより、第１ＬＥＤチップ３のみを発光させ、第２ＬＥＤチップ４を発光させないようにすれば、第１発光面１２ａから放射された合成光と共通蛍光部材２１にて波長変換された青色光とを合成した第１色温度Ｔ１の白色光が照明装置１０１の照明光となる。一方、オン期間ｔ２を増大させると共にオン期間ｔ１を減少させることにより、第２ＬＥＤチップ４のみ発光させ、第１ＬＥＤチップ３を発光させないようにすれば、第２発光面１３ａから放射された合成光と共通蛍光部材２１にて波長変換された青色光とを合成した第２色温度Ｔ２の白色光が照明装置１０１の照明光となる。また、オン期間ｔ１及びオン期間ｔ２を調整して、第１ＬＥＤチップ３及び第２ＬＥＤチップ４をそれぞれ発光させれば、第１発光面１２ａから放射された合成光と共通蛍光部材２１にて波長変換された青色光とを合成した第１色温度Ｔ１の白色光と、第２発光面１３ａから放射された合成光と共通蛍光部材２１にて波長変換された青色光とを合成した第２色温度Ｔ２の白色光とが合成され、第１色温度Ｔ１と第２色温度Ｔ２との間の色温度の白色光が照明装置１０１の照明光となる。
【０１２０】
従って、オン期間ｔ１及びオン期間ｔ２の調整により、第１色温度Ｔ１から第２色温度Ｔ２までの間で色温度を変化させることが可能な白色光を照明装置１０１の照明光として得ることができる。このとき、発光装置１には、第１発光面１２ａ及び第２発光面１３ａから放射される光の全てが入射するように共通蛍光部材２１が設けられており、共通蛍光部材２１に入射した光は共通蛍光体２２によって十分に散乱されるので、第１発光面１２ａから放射された合成光と、第２発光面１３ａから放射された合成光との混合が良好に行われ、これら２種類の合成光の分離が生じにくい優れた白色光を照明装置１０１の照明光として得ることができる。なお、オン期間ｔ１及びオン期間ｔ２の調整は、例えば駆動ユニット１０２に設けた操作部材などを用いて行ってもよいし、周囲の環境や予め定めたパターンなどに従って自動的に行うようにしてもよい。
【０１２１】
また、上述したように、本実施例では第１ＬＥＤチップ３と第１蛍光部材１２とで第１ＬＥＤ１８を構成し、第２ＬＥＤチップ４と第２蛍光部材１３とで第２ＬＥＤ１９を構成し、さらに共通蛍光部材を設けているので、ＬＥＤチップ３、４が発した光を波長変換することなくそのまま用いる場合に比べ、演色性に優れた合成光を照明光として得ることができる。更に、第１ＬＥＤチップ３及び第２ＬＥＤチップ４を用いることで、白熱電灯などを用いる場合に比べ、消費電力を低く抑えることができる。
【０１２２】
（ＬＥＤチップの変形例）
本実施例では、第１ＬＥＤチップ３及び第２ＬＥＤチップ４としてそれぞれ近紫外光を発する、いわゆる近紫外ＬＥＤチップを用いたが、ＬＥＤの種類や、第１ＬＥＤチップ３と第２ＬＥＤチップ４との組み合わせはこれに限定されるものではなく、様々な形態を採用することが可能である。
【０１２３】
例えば、第１ＬＥＤチップ３及び第２ＬＥＤチップ４としてそれぞれ青色光を発する、いわゆる青色ＬＥＤチップを用いてもよい。または、第１ＬＥＤチップ３及び第２ＬＥＤチップ４のうち一方に近紫外ＬＥＤチップ、他方に青色ＬＥＤチップを用いてもよい。なお、青色ＬＥＤの代わりに、緑色光を発するいわゆる緑色ＬＥＤチップを用いることもできる。
【０１２４】
（蛍光部材の変形例）
本実施例では、第１蛍光部材１２が有する第１蛍光体１４及び第２蛍光部材１３が有する第２蛍光体１６としては、それぞれ赤色蛍光体、緑色蛍光体及び青色蛍光体の３種類の蛍光体を混合して用いており、共通蛍光部材２１が有する共通蛍光体２２としては青色蛍光体を用いているが、各蛍光部材１２、１３、２１が有する蛍光体１４、１６、２２の種類や組み合わせはこれに限定されるものではなく、様々な形態を採用することが可能である。特に、本実施例の場合のように、第１蛍光部材１２に第１ＬＥＤチップ３が発した近紫外光を赤色光、緑色光、青色光をなす各ピーク波長の光に波長変換する第１蛍光体１４を有し、第２蛍光部材１３に第２ＬＥＤチップ４が発した近紫外光を赤色光、緑色光、青色光をなす各ピーク波長の光に波長変換する第２蛍光体１６を有する場合に、共通蛍光部材２１において、赤色光、緑色光よりも短い波長の光である青色光を発する共通蛍光体２１を有するようにすることで、当該共通蛍光部材２１は、すでに第１蛍光体１４または第２蛍光体１６により１度波長変換されている光を再度波長変換する、いわゆるカスケード励起を防止し、発光装置１における発光効率の低下を抑制することができる。このようにカスケード励起を生じない第１蛍光部材１２、第２蛍光部材１３、及び共通蛍光部材２１の構成について以下変形例を挙げる。
【０１２５】
（第１変形例）
まず第１変形例として、第１ＬＥＤチップ３及び第２ＬＥＤチップ４に近紫外ＬＥＤチップを用い、第１蛍光体１４及び第２蛍光体１６のそれぞれに黄色蛍光体を用い、共通蛍光体２２には青色蛍光体を用いる。この場合、第１ＬＥＤチップ３が発する近紫外光の一部は、第１蛍光部材１２内に第１蛍光体１４として分散保持されている黄色蛍光体によって黄色光に波長変換され、この黄色光と、波長変換されなかった近紫外光が第１発光面１２ａから放射される。第２蛍光部材１３においても、同様にして第２ＬＥＤチップ４が発する近紫外光の一部は、第２蛍光部材１３内に第１蛍光体１６として分散保持されている黄色蛍光体によって黄色光に波長変換され、この黄色光と、波長変換されなかった近紫外光が第２発光面１３ａから放射される。
【０１２６】
そして、第１蛍光体１４及び第２蛍光体１６により波長変換されずに第１発光面１２ａ及び第２発光面１３ａから放射された近紫外光は、共通蛍光部材２１内に共通蛍光体２２として分散保持されている青色蛍光体によって、青色光に波長変換される。さらに、この波長変換して得られた青色光と、第１蛍光体１４により波長変換されて第１発光面１２ａから放射された黄色光、及び第２蛍光体１６により波長変換されて第２発光面１３ａから放射された黄色光とが、合成された白色光が共通発光面２１ａから放射されるようになっている。
【０１２７】
このように、第１蛍光部材１２及び第２蛍光部材１３ではそれぞれ黄色蛍光体により黄色光をなすピーク波長の光に波長変換され、共通蛍光部材２１が有する共通蛍光体２２は黄色光よりも短いピーク波長の光である青色光を発する青色蛍光体であることから、カスケード励起を防止でき、本変形例における発光層１においても発光効率の低下を抑制することができる。なお、この場合も、第１蛍光体２４と第２蛍光体２６とで、黄色蛍光体の混合比率を変えることにより、第１発光面１２ａから放射される黄色光と共通蛍光体２２により波長変換して得られる青色光とを合成した白色光の第１色温度Ｔ１と、第２発光面１３ａから放射される黄色光と共通蛍光体２２により波長変換して得られる青色光と合成した白色光の第２色温度Ｔ２とを異ならせることで、発光装置１に色温度調節機能を持たせることができる。
【０１２８】
第１変形例では、第１蛍光体１４及び第２蛍光体１６に黄色蛍光体を用い、共通蛍光体２２に青色蛍光体を用いることでカスケード励起を最も効率よく防止できる構成であるが、各蛍光部材に用いる蛍光体の種類はこれに限られるものではない。
（第２変形例）
例えば、第２変形例としては、第１ＬＥＤチップ３及び第２ＬＥＤチップ４に近紫外ＬＥＤチップを用い、第１蛍光体１４及び第２蛍光体１６のそれぞれに赤色蛍光体、緑色蛍光体、青色蛍光体を混合したものを用い、共通蛍光体２２には黄色蛍光体を用いる。この場合、第１実施例同様、第１発光面１２ａ及び第２発光面１３ａからは波長変換された赤色光、緑色光、青色光が放射される。
【０１２９】
そして、共通蛍光体２２の黄色蛍光体により波長変換して得られた黄色光と、第１発光面１２ａ及び第２発光面１３ａにより波長変換された赤色光、緑色光、青色光が合成されることで、共通発光面２１ａから白色光が放射されるようになっている。この場合、発光装置１は４つの発光色を用いてなる合成光を得られることとなり、３つの発光色を用いた合成光よりも、さらに効率の高い光を放射できることとなる。
【０１３０】
（第３変形例）
第１蛍光体１４及び第２蛍光体１６に上述したように必ずしも同色の蛍光体を用いる必要はなく、例えば第３変形例として、第１ＬＥＤチップ３及び第２ＬＥＤチップ４に近紫外ＬＥＤチップを用い、第１第１蛍光体１４に黄色蛍光体を用い、第２蛍光体１６に赤色蛍光体、緑色蛍光体、青色蛍光体を混合したものを用いてもよい。そして、この場合には共通蛍光体２２として、青色蛍光体を用いる。
【０１３１】
このような構成で、第１ＬＥＤチップ３のみが発光した場合、第１ＬＥＤチップ３が発した近紫外光から、第１蛍光部材１２の第１蛍光体１４により波長変換された黄色光と、共通蛍光部材２１の共通蛍光体２２により波長変換された青色光と、が合成されて、共通波長面２１ａから白色光が放射される。一方、第２ＬＥＤチップ４のみが発光した場合、第２ＬＥＤチップ４が発した近紫外光から、第２蛍光部材１３の第２蛍光体１６により波長変換された赤色光、緑色光、青色光と、共通蛍光部材２１の共通蛍光体２２により波長変換された青色光と、が合成されて、共通波長面２１ａから白色光が放射される。そして、第１ＬＥＤチップ及び第２ＬＥＤチップの両方を同時または交互に発光させることで、両者の白色光を合成した白色が得られる。
【０１３２】
このような黄色蛍光体と、赤色蛍光体、緑色蛍光体、及び青色蛍光体との組み合わせに代えて、赤色蛍光体と青緑色（シアン色）蛍光体との組み合わせを、同様の方法で用いることも可能である。即ち、赤色蛍光体と青緑色蛍光体とを混合し、その混合比率を変えて第１蛍光体２４及び第２蛍光体２６にそれぞれ用いてもよい。この場合、共通蛍光体２２としては青色、または青緑色を用いる。
【０１３３】
また、上述したように、第１ＬＥＤチップ３及び第２ＬＥＤチップ４として、近紫外光以外の光を発するＬＥＤチップを用いることも可能であり、各ＬＥＤチップの発光色の組み合わせに応じて、第１蛍光体２４、第２蛍光体１６、及び共通蛍光体２２の組み合わせも異なってくる。
【０１３４】
（第４変形例）
例えば、第４変形例として、第１ＬＥＤチップ３及び第２ＬＥＤチップ４の両方に青色光を発する青色ＬＥＤチップを用いる場合、第１蛍光体２４及び第２蛍光体２６には赤色蛍光体及び緑色蛍光体を混合したものを用いる。そして、共通蛍光体２２としては、緑色蛍光体、または黄色蛍光体を用いるのが好ましい。
【０１３５】
この場合、第１ＬＥＤチップ３が発する青色光の一部は、第１蛍光部材１２内に第１蛍光体１４として分散保持されている赤色蛍光体及び緑色蛍光体によって赤色光及び緑色光に波長変換され、この赤色光及び緑色光と、波長変換されなかった青色光が第１発光面１２ａから放射される。第２蛍光部材１３においても、同様にして第２発光面１３ａから波長変換により得られた赤色光及び緑色光と、波長変換されなかった青色光が放射される。
【０１３６】
そして、第１蛍光体１４及び第２蛍光体１６により波長変換されずに第１発光面１２ａ及び第２発光面１３ａから放射された青色光は、共通蛍光部材２１内に共通蛍光体２２として分散保持されている緑色蛍光体または黄色蛍光体によって、緑色光または黄色光に波長変換される。そして、この波長変換して得られた緑色光または黄色光に、各蛍光部材にて波長変換されずに通過した青色光と、第１蛍光体１４及び第２蛍光体１６により波長変換されて第１発光面１２ａ及び第２発光面１３ａから放射された赤色光及び緑色光とが、合成されることで共通発光面２１ａから白色光として放射されるようになっている。
【０１３７】
この場合も、第１蛍光体２４と第２蛍光体２６とで、赤色蛍光体及び緑色蛍光体の混合比率を変えることにより、第１発光面１２ａから放射される赤色光及び緑色光と共通蛍光体２２により波長変換して得られる緑色光または黄色光とを合成した白色光の第１色温度Ｔ１と、第２発光面１３ａから放射される赤色光及び緑色光と共通蛍光体２２により波長変換して得られる緑色光または黄色光と合成した白色光の第２色温度Ｔ２とを異ならせることで、発光装置１に色温度調節機能を持たせることができる。
【０１３８】
（第５変形例）
第５変形例として、第１ＬＥＤチップ３及び第２ＬＥＤチップ４の両方に青色ＬＥＤチップを用い、第１蛍光体１４及び第２蛍光体１６として、赤色蛍光体と黄色蛍光体とを混合したものを用い、共通蛍光体２２として緑色蛍光体を用いてもよい。或いは、第１蛍光体１４及び第２蛍光体１６は赤色蛍光体のみとして、共通蛍光体に緑色蛍光体または黄色蛍光体を用いてもよい。これらの場合も、カスケード励起を防止でき、且つ第１蛍光体２４と第２蛍光体２６とを調整して白色光とすると共に、これらの蛍光体の混合比率を変えることにより、発光装置１に色温度調節機能を持たせることができる。
【０１３９】
また、第１ＬＥＤチップ３及び第２ＬＥＤチップ４の両方に青色光を発する青色ＬＥＤチップを用いる場合においても、第１蛍光体１４及び第２蛍光体１６に必ずしも同種の蛍光体を用いる必要はなく、例えば上述した赤色蛍光体と緑色蛍光体とを混合したもの、赤色蛍光体と黄色蛍光体との混合したもの、赤色蛍光体のみのうちのいずれか一つを第１蛍光体１４に用い、その他のうちの一つを第２蛍光体に用いるように組み合わせても構わない。そして、共通蛍光体２２としては緑色蛍光体または黄色蛍光体を用いる。
【０１４０】
さらに、例えば第１ＬＥＤチップ３に近紫外ＬＥＤチップを用い、第２ＬＥＤチップ４に青色ＬＥＤチップを用いるというように、それぞれ異なる発光色のＬＥＤチップを用いても構わない。
【０１４１】
（第６変形例）
このような場合における第６変形例としては、第１ＬＥＤチップ３に近紫外ＬＥＤチップ、第２ＬＥＤチップ４に青色ＬＥＤチップを用い、第１蛍光体１４には赤色蛍光体及び青色蛍光体を混合したものを用い、第２蛍光体１６には赤色蛍光体のみを用い、共通蛍光体２２には緑色蛍光体を用いる。この場合も、カスケード励起を防止でき、且つ第１蛍光体２４と第２蛍光体２６とを調整して白色光とすると共に、これらの蛍光体の混合比率を変えることにより、発光装置１に色温度調節機能を持たせることができる。
【０１４２】
（第７変形例）
また第７変形例としては、第１ＬＥＤチップ３に近紫外ＬＥＤチップ、第２ＬＥＤチップ４に青色ＬＥＤチップを用い、第１蛍光体１４には赤色蛍光体、緑色蛍光体、及び青色蛍光体を混合したものを用い、第２蛍光体１６には赤色蛍光体及び緑色蛍光体を混合したものを用い、共通蛍光体２２には黄色蛍光体を用いる。
【０１４３】
このように、第１ＬＥＤチップ３及び第２ＬＥＤチップ４に、一方はＬＥＤチップが発した光を波長変換することなくそのまま合成光に用いるようそれぞれ異なる色のＬＥＤチップを用いた場合は、近紫外ＬＥＤチップのみを発光させた場合は青色ＬＥＤチップのみを発光させた場合に比べて演色性が高く、青色ＬＥＤチップ側は近紫外ＬＥＤチップ側に比べて発光効率が高くなる。これにより、青色ＬＥＤチップよりも演色性に優れた合成光が得られる近紫外光ＬＥＤチップと、近紫外光ＬＥＤチップよりも発光効率に優れた合成光が得られる青色ＬＥＤチップとの発光の配分を変えることで演色性に優れた合成光の放射と発光効率を高めた合成光の放射とを必要に応じて切り換えたり、調整したりすることができる。この場合、合成光をいずれも同じ白色光としてもよいし、それぞれ色温度を変えたり色を変えたりすることもできる。
【０１４４】
（第８変形例）
第８変形例としては、第１ＬＥＤチップ３及び第２ＬＥＤチップ４に近紫外ＬＥＤチップを用い、第１蛍光体１４には赤色蛍光体を用い、第２蛍光体１６に緑色蛍光体を用い、共通蛍光体２２には青色蛍光体を用いる。この場合、第１ＬＥＤチップ３が発する近紫外光の一部は、第１蛍光部材１２内に第１蛍光体１４として分散保持されている赤色蛍光体によって赤色光に波長変換され、この赤色光と、波長変換されなかった近紫外光とが第１発光面１２ａから放射される。第２蛍光部材１３においても、同様にして第２ＬＥＤチップ４が発する近紫外光の一部は、第２蛍光部材１３内に第２蛍光体１６として分散保持されている緑色蛍光体によって緑色光に波長変換され、この緑色光と、波長変換されなかった近紫外光とが第２発光面１３ａから放射される。
【０１４５】
そして、第１蛍光体１４及び第２蛍光体１６により波長変換されずに第１発光面１２ａ及び第２発光面１３ａから放射された近紫外光は、共通蛍光部材２１内に共通蛍光体２２として分散保持されている青色蛍光体によって、青色光に波長変換される。さらに、この波長変換して得られた青色光と、第１蛍光体１４により波長変換されて第１発光面１２ａから放射された赤色光と、第２蛍光体１６により波長変換されて第２発光面１３ａから放射された緑色光とが合成された白色光が、共通発光面２１ａから放射されるようになっている。
【０１４６】
このように、第１蛍光部材１２では赤色蛍光体により赤色光をなすピーク波長の光に波長変換され、第２蛍光部材１３では緑色蛍光体により緑色光をなすピーク波長の光に波長変換される。共通蛍光部材２１が有する共通蛍光体２２は赤色光及び緑色光よりも短いピーク波長の光である青色光を発する青色蛍光体であることから、カスケード励起を防止でき、本変形例における発光層においても発光効率の低下を抑制することができる。なお、この場合も、第１発光面１２ａから放射される赤色光と共通蛍光体２２により波長変換して得られる青色光とを合成した白色光の第１色温度Ｔ１と、第２発光面１３ａから放射される緑色光と共通蛍光体２２により波長変換して得られる青色光と合成した白色光の第２色温度Ｔ２とを異ならせることで、発光装置１に色温度調節機能を持たせることができる。
【０１４７】
（第９変形例）
なお、各蛍光部材の少なくとも１つに一の蛍光体と当該一の蛍光体と異なる光を発する少量の他の蛍光体とを混合させて含ませ、発光装置１が発する光の特性を調整してもよい。次に、そのようにして発光装置１が発する光の特性を調整した変形例について述べる。第９変形例としては、第１ＬＥＤチップ３及び第２ＬＥＤチップ４に近紫外ＬＥＤチップを用い、第１蛍光体１４には赤色蛍光体及び少量の緑色蛍光体を混合したものを用い、第２蛍光体１６に緑色蛍光体及び少量の赤色蛍光体を混合したものを用い、共通蛍光体２２には青色蛍光体及び少量の緑色蛍光体を混合したものを用いる。この場合、第１ＬＥＤチップ３が発する近紫外光の一部は、第１蛍光部材１２内に第１蛍光体１４として分散保持されている赤色蛍光体及び緑色蛍光体によってそれぞれ赤色光および緑色光に波長変換され、この赤色光及び緑色光と、波長変換されなかった近紫外光とが第１発光面１２ａから放射される。第２蛍光部材１３においても、同様にして第２ＬＥＤチップ４が発する近紫外光の一部は、第２蛍光部材１３内に第２蛍光体１６として分散保持されている緑色蛍光体及び赤色蛍光体によってそれぞれ緑色光及び赤色光に波長変換され、この緑色光及び赤色光と、波長変換されなかった近紫外光とが第２発光面１３ａから放射される。
【０１４８】
そして、第１蛍光体１４及び第２蛍光体１６により波長変換されずに第１発光面１２ａ及び第２発光面１３ａから放射された近紫外光は、共通蛍光部材２１内に共通蛍光体２２として分散保持されている青色蛍光体及び緑色蛍光体によって、それぞれ青色光及び緑色光に波長変換される。さらに、この波長変換して得られた青色光及び緑色光と、第１蛍光体１４により波長変換されて第１発光面１２ａから放射された赤色光及び緑色光と、第２蛍光体１６により波長変換されて第２発光面１３ａから放射された緑色光及び赤色光とが合成された白色光が、共通発光面２１ａから放射されるようになっている。
【０１４９】
この場合も、第１蛍光体１４及び第２蛍光体１６に含まれる赤色蛍光体と緑色蛍光体との配合比率を互いに異ならせて、第１発光面１２ａから放射される赤色光及び緑色光と共通蛍光体２２により波長変換して得られる青色光とを合成した白色光の第１色温度Ｔ１と、第２発光面１３ａから放射される赤色光及び緑色光と共通蛍光体２２により波長変換して得られる青色光及び緑色光とを合成した白色光の第２色温度Ｔ２とを異ならせることで、発光装置１に色温度調節機能を持たせることができる。また、共通蛍光体２２に含まれる青色蛍光体と緑色蛍光体との配合比率を調整して、発光装置１が発する白色光の色温度を調整してもよい。
【０１５０】
（第１０変形例）
第１０変形例としては、第１ＬＥＤチップ３及び第２ＬＥＤチップ４に近紫外ＬＥＤチップを用い、第１蛍光体１４に帯域幅が広い赤色光を発する赤色蛍光体である第１の赤色蛍光体を用い、第２蛍光体１６に緑色蛍光体及び青色蛍光体を混合したものを用い、共通蛍光体２２に青色蛍光体及び帯域幅が狭い赤色光を発する赤色蛍光体である第２の赤色蛍光体を混合したものを用いる。この場合、第１ＬＥＤチップ３が発する近紫外光の一部は、第１蛍光部材１２内に第１蛍光体１４として分散保持されている第１の赤色蛍光体によって帯域幅が広い赤色光に波長変換され、この赤色光と、波長変換されなかった近紫外光とが第１発光面１２ａから放射される。第２蛍光部材１３においては、第２ＬＥＤチップ４が発する近紫外光の一部は、第２蛍光部材１３内に第２蛍光体１６として分散保持されている緑色蛍光体及び青色蛍光体によってそれぞれ緑色光及び青色光に波長変換され、この緑色光および青色光と、波長変換されなかった近紫外光とが第２発光面１３ａから放射される。
【０１５１】
そして、第１蛍光体１４及び第２蛍光体１６により波長変換されずに第１発光面１２ａ及び第２発光面１３ａから放射された近紫外光は、共通蛍光部材２１内に共通蛍光体２２として分散保持されている青色蛍光体及び第２の赤色蛍光体によってそれぞれ青色光及び帯域幅が狭い赤色光に波長変換される。さらに、この波長変換によって得られた青色光及び帯域幅が狭い赤色光と、第１蛍光体１４により波長変換されて第１発光面１２ａから放射された帯域幅が広い赤色光と、第２蛍光体１６により波長変換されて第２発光面１３ａから放射された緑色光及び青色光とが合成された白色光が、共通発光面２１ａから放射されるようになっている。
【０１５２】
ここで、発する赤色光の帯域幅が狭い第２の赤色蛍光体は、発する赤色光の帯域幅が広い第１の赤色蛍光体に比べて、一般に発光効率が高い。本実施例では、第１ＬＥＤチップ３及び第２ＬＥＤチップ４と共通蛍光部材２１との間の距離は、第１蛍光部材１２や第２蛍光部材１３との間の距離よりも遠い。従って、第１ＬＥＤチップ３及び第２ＬＥＤチップ４によって発せられて、共通蛍光部材２１に入射する光の密度は低下するので、第２の赤色蛍光体における輝度飽和の発生を良好に抑制することができる。よって、帯域幅が狭い第２の赤色蛍光体を用いない場合や、第２の赤色蛍光体を第１蛍光部材１２や第２蛍光部材１３の蛍光体として用いた場合に比べて、高い効率で、共通発光面２１ａから白色光を放射させることができる。
【０１５３】
なお、帯域幅が狭い赤色光を発する第２の赤色蛍光体が、第１蛍光体１４及び第２蛍光体１６の少なくとも一方に含まれていてもよい。従って、第２の赤色蛍光体が、第１蛍光体１４、第２蛍光体１６及び共通蛍光体２２の全てに含まれていてもよい。また、第２蛍光体１６に青色蛍光体は含まれていなくてもよい。従って、第２蛍光体１６に含まれている蛍光体は、緑色蛍光体のみであってもよい。
【０１５４】
なお、「帯域幅が広い赤色光」とは、例えば、最大ピーク波長の半値幅が６０ｎｍ以上である赤色光をいい、７０ｎｍ以上であることが好ましく、８０ｎｍ以上であることがより好ましい。また、「帯域幅が狭い赤色光」とは、例えば、最大ピーク波長の半値幅が３０ｎｍ未満である赤色光をいい、２０ｎｍ未満であることが好ましく、１０ｎｍ未満であることがより好ましい。
【０１５５】
そして、「帯域幅が広い赤色光」を発する赤色蛍光体は、例えば、（Ｃａ，Ｓｒ，Ｂａ）2Ｓｉ5（Ｎ，Ｏ）8：Ｅｕ、（Ｃａ，Ｓｒ，Ｂａ）Ｓｉ（Ｎ，Ｏ）2：Ｅｕ、（Ｃａ，Ｓｒ，Ｂａ）ＡｌＳｉ（Ｎ，Ｏ）3：Ｅｕ、（Ｓｒ，Ｂａ）3ＳｉＯ5：Ｅｕ、（Ｃａ，Ｓｒ）Ｓ：Ｅｕ、ＳｒＡｌＳｉ4Ｎ7：Ｅｕ、Ｅｕ（ジベンゾイルメタン）3・１，１０−フェナントロリン錯体などのβ−ジケトン系Ｅｕ錯体、カルボン酸系Ｅｕ錯体であり、（Ｃａ，Ｓｒ，Ｂａ）2Ｓｉ5（Ｎ，Ｏ）8：Ｅｕ、（Ｃａ，Ｓｒ，Ｂａ）Ｓｉ（Ｎ，Ｏ）2：Ｅｕ、及び（Ｃａ，Ｓｒ，Ｂａ）ＡｌＳｉ（Ｎ，Ｏ）3：Ｅｕであることが好ましい。また、「帯域幅が狭い赤色光」を発する赤色蛍光体は、例えば、（Ｌａ，Ｙ）2Ｏ2Ｓ：Ｅｕ、Ｋ2ＳｉＦ6：Ｍｎ、及び３．５ＭｇＯ・０．５ＭｇＦ2・ＧｅＯ2：Ｍｎ4+である。
【０１５６】
なお、この場合も、第１発光面１２ａから放射される赤色光と共通蛍光体２２により波長変換して得られる赤色光及び青色光とを合成した白色光の第１色温度Ｔ１と、第２発光面１３ａから放射される緑色光及び青色光と共通蛍光体２２により波長変換して得られる赤色光及び青色光とを合成した白色光の第２色温度Ｔ２とを異ならせることで、発光装置１に色温度調節機能を持たせることができる。また、共通蛍光体２２に含まれる青色蛍光体と赤色蛍光体との配合比率を調整して、発光装置１が発する白色光の色温度を調整してもよい。
【０１５７】
（第１１変形例）
第１１変形例としては、第１ＬＥＤチップ３及び第２ＬＥＤチップ４に近紫外ＬＥＤチップを用い、第１蛍光体１４には青色蛍光体を用い、第２蛍光体１６に赤色蛍光体を用い、共通蛍光体２２には緑色蛍光体を用いる。この場合、第１ＬＥＤチップ３が発する近紫外光の一部は、第１蛍光部材１２内に第１蛍光体１４として分散保持されている青色蛍光体によって青色光に波長変換され、この青色光と、波長変換されなかった近紫外光とが第１発光面１２ａから放射される。第２蛍光部材１３においても、同様にして第２ＬＥＤチップ４が発する近紫外光の一部は、第２蛍光部材１３内に第２蛍光体１６として分散保持されている赤色蛍光体によって赤色光に波長変換され、この赤色光と、波長変換されなかった近紫外光とが第２発光面１３ａから放射される。
【０１５８】
そして、第１蛍光体１４及び第２蛍光体１６により波長変換されずに第１発光面１２ａ及び第２発光面１３ａから放射された近紫外光は、共通蛍光部材２１内に共通蛍光体２２として分散保持されている緑色蛍光体によって、緑色光に波長変換される。さらに、この波長変換して得られた緑色光と、第１蛍光体１４により波長変換されて第１発光面１２ａから放射された青色光と、第２蛍光体１６により波長変換されて第２発光面１３ａから放射された赤色光とが合成された白色光が、共通発光面２１ａから放射されるようになっている。
【０１５９】
このように、第１蛍光部材１２では青色蛍光体により青色光をなすピーク波長の光に波長変換され、第２蛍光部材１３では赤色蛍光体により赤色光をなすピーク波長の光に波長変換される。なお、この場合も、第１発光面１２ａから放射される青色光と共通蛍光体２２により波長変換して得られる緑色光とを合成した白色光の第１色温度Ｔ１と、第２発光面１３ａから放射される赤色光と共通蛍光体２２により波長変換して得られる緑色光と合成した白色光の第２色温度Ｔ２とを異ならせることで、発光装置１に色温度調節機能を持たせることができる。
【０１６０】
（第１２変形例）
また第１２変形例としては、第１ＬＥＤチップ３及び第２ＬＥＤチップ４に青色ＬＥＤチップを用い、第１蛍光体１４に赤色光を発する赤色蛍光体を用い、第２蛍光体１６に緑色蛍光体を用い、共通蛍光体２２に黄色蛍光体を混合したものを用いる。この場合、第１ＬＥＤチップ３が発する青色光の一部は、第１蛍光部材１２内に第１蛍光体１４として分散保持されている赤色蛍光体によって赤色光に波長変換され、この赤色光と、波長変換されなかった青色光とが第１発光面１２ａから放射される。第２蛍光部材１３においては、第２ＬＥＤチップ４が発する青色光の一部は、第２蛍光部材１３内に第２蛍光体１６として分散保持されている緑色蛍光体によって緑色光に波長変換され、この緑色光と、波長変換されなかった青色光とが第２発光面１３ａから放射される。
【０１６１】
そして、第１蛍光体１４及び第２蛍光体１６により波長変換されずに第１発光面１２ａ及び第２発光面１３ａから放射された青色光は、共通蛍光部材２１内に共通蛍光体２２として分散保持されている黄色蛍光体によって黄色光に波長変換される。さらに、この波長変換によって得られた黄色光と、第１蛍光体１４により波長変換されて第１発光面１２ａから放射された赤色光と、第２蛍光体１６により波長変換されて第２発光面１３ａから放射された緑色光と、各蛍光体で波長変換されなかった青色光とが合成された白色光が、共通発光面２１ａから放射されるようになっている。
【０１６２】
このように、第１蛍光部材１２では赤色蛍光体により赤色光をなすピーク波長の光に波長変換され、第２蛍光部材１３では緑色蛍光体により緑色光をなすピーク波長の光に波長変換される。共通蛍光部材２１が有する共通蛍光体２２は赤色光よりも短いピーク波長の光である黄色光を発する黄色蛍光体を含むことから、カスケード励起を良好に抑制でき、本変形例における発光層においても発光効率の低下を抑制することができる。なお、この場合も、第１発光面１２ａから放射される赤色光と共通蛍光体２２により波長変換して得られる黄色光と各蛍光体によって波長変換されなかった青色光とを合成した白色光の第１色温度Ｔ１と、第２発光面１３ａから放射される緑色光と共通蛍光体２２により波長変換して得られる黄色光と各蛍光体によって波長変換されなかった青色光とを合成した白色光の第２色温度Ｔ２とを異ならせることで、発光装置１に色温度調節機能を持たせることができる。
【０１６３】
そして、共通蛍光体２２の黄色蛍光体により波長変換して得られた黄色光と、第１発光面１２ａにより波長変換された赤色光と、第２発光面１３ａにより波長変換された緑色光と、各蛍光体によって波長変換されなかった青色光とが合成されることで、共通発光面２１ａから白色光が放射されるようになっている。この場合、発光装置１は４つの発光色を用いてなる合成光を得られることとなり、３つの発光色を用いた合成光よりも、さらに高い効率で光を放射できることとなる。
【０１６４】
（第１３変形例）
第１３変形例としては、第１ＬＥＤチップ３及び第２ＬＥＤチップ４に青色ＬＥＤチップを用い、第１蛍光体１４には赤色蛍光体及び少量の緑色蛍光体を混合したものを用い、第２蛍光体１６に緑色蛍光体及び少量の赤色蛍光体を混合したものを用い、共通蛍光体２２には黄色蛍光体を用いる。この場合、第１ＬＥＤチップ３が発する青色光の一部は、第１蛍光部材１２内に第１蛍光体１４として分散保持されている赤色蛍光体及び緑色蛍光体によってそれぞれ赤色光および緑色光に波長変換され、この赤色光及び緑色光と、波長変換されなかった青色光とが第１発光面１２ａから放射される。第２蛍光部材１３においても、同様にして第２ＬＥＤチップ４が発する青色光の一部は、第２蛍光部材１３内に第２蛍光体１６として分散保持されている緑色蛍光体及び赤色蛍光体によってそれぞれ緑色光及び赤色光に波長変換され、この緑色光及び赤色光と、波長変換されなかった青色光とが第２発光面１３ａから放射される。
【０１６５】
そして、第１蛍光体１４及び第２蛍光体１６により波長変換されずに第１発光面１２ａ及び第２発光面１３ａから放射された青色光は、共通蛍光部材２１内に共通蛍光体２２として分散保持されている黄色蛍光体によって、黄色光に波長変換される。さらに、この波長変換して得られた黄色光と、第１蛍光体１４により波長変換されて第１発光面１２ａから放射された赤色光及び緑色光と、第２蛍光体１６により波長変換されて第２発光面１３ａから放射された緑色光及び赤色光と、各蛍光体で波長変換されなかった青色光とが合成された白色光が、共通発光面２１ａから放射されるようになっている。
【０１６６】
この場合も、第１蛍光体１４及び第２蛍光体１６に含まれる赤色蛍光体と緑色蛍光体との配合比率を互いに異ならせて、第１発光面１２ａから放射される赤色光及び緑色光と共通蛍光体２２により波長変換して得られる黄色光と各蛍光体によって波長変換されなかった青色光とを合成した白色光の第１色温度Ｔ１と、第２発光面１３ａから放射される赤色光及び緑色光と共通蛍光体２２により波長変換して得られる黄色光と各蛍光体によって波長変換されなかった青色光とを合成した白色光の第２色温度Ｔ２とを異ならせることで、発光装置１に色温度調節機能を持たせることができる。
【０１６７】
本変形例の発光装置１からは、共通蛍光体２２の黄色蛍光体により波長変換して得られた黄色光と、第１発光面１２ａ及び第２発光面１３ａにより波長変換された赤色光及び緑色光と、各蛍光体によって波長変換されなかった青色光が合成されることで、共通発光面２１ａから白色光が放射されるようになっている。この場合、発光装置１は４つの発光色を用いてなる合成光を得られることとなり、３つの発光色を用いた合成光よりも、さらに高い効率で光を放射できることとなる。
【０１６８】
（第１４変形例）
また第１４変形例としては、第１ＬＥＤチップ３及び第２ＬＥＤチップ４に青色ＬＥＤチップを用い、第１蛍光体１４に帯域幅が広い赤色光を発する前述した赤色蛍光体である第１の赤色蛍光体を用い、第２蛍光体１６に緑色蛍光体を用い、共通蛍光体２２に緑色蛍光体及び帯域幅が狭い赤色光を発する前述した赤色蛍光体である第２の赤色蛍光体を混合したものを用いる。この場合、第１ＬＥＤチップ３が発する青色光の一部は、第１蛍光部材１２内に第１蛍光体１４として分散保持されている第１の赤色蛍光体によって帯域幅が広い赤色光に波長変換され、この赤色光と、波長変換されなかった青色光とが第１発光面１２ａから放射される。第２蛍光部材１３においては、第２ＬＥＤチップ４が発する青色光の一部は、第２蛍光部材１３内に第２蛍光体１６として分散保持されている緑色蛍光体によって緑色光に波長変換され、この緑色光と、波長変換されなかった青色光とが第２発光面１３ａから放射される。
【０１６９】
そして、第１蛍光体１４及び第２蛍光体１６により波長変換されずに第１発光面１２ａ及び第２発光面１３ａから放射された青色光は、共通蛍光部材２１内に共通蛍光体２２として分散保持されている緑色蛍光体及び第２の赤色蛍光体によってそれぞれ緑色光及び帯域幅が狭い赤色光に波長変換される。さらに、この波長変換によって得られた緑色光及び帯域幅が狭い赤色光と、第１蛍光体１４により波長変換されて第１発光面１２ａから放射された帯域幅が広い赤色光と、第２蛍光体１６により波長変換されて第２発光面１３ａから放射された緑色光と、各蛍光体で波長変換されなかった青色光とが合成された白色光が、共通発光面２１ａから放射されるようになっている。
【０１７０】
本変形例の場合も、第１１変形例と同様に第１ＬＥＤチップ３及び第２ＬＥＤチップ４との間の距離が遠い共通蛍光部材２１の共通蛍光体に第２の赤色蛍光体が用いられているので、第２の赤色蛍光体における輝度飽和の発生を良好に抑制して、高い効率で共通発光面２１ａから白色光を放射させることができる。
【０１７１】
以上いくつかの例を挙げて説明したが、これらの変形例の他にも蛍光体の色の組み合わせは種々の組み合わせが考えられる。
【０１７２】
（発光装置の全体構成の変形例）
上述した第１実施例では、基板２のチップ実装面２ａに、環状且つ円錐台形状のリフレクタ５が設けられており、その内側が仕切り部材６によって第１領域７ａと第２領域７ｂとに分割されている。従って、第１ＬＥＤ１８から放射された光が第２ＬＥＤ１９への入射したり、第２ＬＥＤ１９から放射された光が第１ＬＥＤ１８への入射したりするのを仕切り部材６により遮断することができる。これにより、一方の蛍光体において波長変換された光が他方の蛍光体において再度波長変換されるようなことを防ぎ、発光装置１における発光効率の低下を防ぐことができる。さらに、第１ＬＥＤ１８及び第２ＬＥＤ１９との間においては、例えば第１ＬＥＤチップ３から発した光が第２蛍光部材１３に伝搬し、当該第２蛍光部材１３でも波長変換された後に共通波長変換部材２１に向けて放射されることにより、本来得ようとする発光装置１の合成光の特性からずれが生じるという悪影響がある。これに対し仕切り部材６を設けることで、このような悪影響を考慮せずに済むことから、第１波長変換部材及び第２発光部材の蛍光体の配分量を容易に決定することができる。一方で、リフレクタ５及び仕切り部材６の形状は一例を示すものであって、様々に変更可能である。
【０１７３】
例えば、図６に示すように、第１実施例のように第１ＬＥＤ１８と第２ＬＥＤ１９との間に仕切り部材６を設けず、ディスペンサなどを用いて、第１ＬＥＤチップ３の配置されているリフレクタ５内の一側にまず第１蛍光部材１２を形成し、その後に第２ＬＥＤチップ４の配置されているリフレクタ５内の他側に第２蛍光部材１３を形成するようにしても構わない。これにより、仕切り部材６を設けない分、部品点数が減少し、製造コストも低減できる。
【０１７４】
また、第１実施例では、第１蛍光部材１２及び第２蛍光部材１３と、共通蛍光部材２１との間に光導波層２０を設けていたが、この光導波層２０は必ずしも設ける必要はない。つまり、図７に示すように、第１蛍光部材１２及び第２蛍光部材１３と共通蛍光部材２１との対向面を直接的に接合させてもよい。この場合、発光装置１の構成が簡易になり、製造工程の減少やコストの低減を図ることができる。この場合には、光の混合を促進するために、第１発光面及び第２発光面に凹凸を設けてもよく、共通発光面に凹凸を設けてもよい。凹凸の形状としては、後述する配光レンズの入射面または出射面に形成する凹凸として例示される形状にしてもよい。
【０１７５】
また、上記第１実施例では、第１ＬＥＤチップ３が第１蛍光部材１２により取り囲まれて第１ＬＥＤ１８が構成され、第２ＬＥＤチップ４が第２蛍光部材１３により取り囲まれて第２ＬＥＤ１９が構成されている。このような構成によりＬＥＤチップ３、４からの光がそれぞれ対応する蛍光部材１２、１３により確実に取り込むようにして発光装置１の発光効率を高めている。
【０１７６】
ただし、第１ＬＥＤ及び第２ＬＥＤの構成はこれに限られるものではなく、例えば、図８に示すように、第１ＬＥＤチップ３を第１蛍光部材１２と離間させて第１ＬＥＤ１８を構成し、第２ＬＥＤチップ４を第２蛍光部材１３と離間させて第２ＬＥＤ１９を構成してもよい。なおＬＥＤチップ３、４と蛍光部材１２、１３との間は空間であってもよいし、充填剤を満たしてもよい。また、このような構成に対しても、図８（ｂ）のように仕切り部材を設けなかったり、図８（ｃ）に示すように第１ＬＥＤ１８及び第２ＬＥＤ１９と共通蛍光部材２１との間に光導波層を設けずそれぞれの対向面を直接的に接合した構成としても構わない。また、この場合、第１蛍光部材１２、第２蛍光部材１３、及び共通蛍光部材２１についてそれぞれ充填剤により蛍光体を分散保持する構成でなく、例えば光導波層をガラス板とし、当該ガラス板の下面に第１蛍光体及び第２蛍光体、上面に共通蛍光体をコーティングした構成としても構わない。さらには、第１蛍光部材１２、第２蛍光部材１３、共通蛍光部材２２のそれぞれについて別個にガラス板に蛍光体を塗布した構成としても構わない。
【０１７７】
このようにＬＥＤチップ３、４と蛍光部材１２、１３を離間させることで、ＬＥＤチップ３、４の発光により生じる熱が直接蛍光部材１２、１３に伝達されることがなくなり、蛍光部材１２、１３の熱劣化を抑制することができる。
【０１７８】
また、上記第１実施例では、図３に示すように共通蛍光部材２１が光導波層２０の上面に断面平板状に設けられているが共通蛍光部材２１の断面形状はこれに限られるものではない。例えば図９に示すように、共通蛍光部材２１’の下面、即ち第１発光面１２ａ及び第２発光面１３ａと対向する面を、発光源である第１ＬＥＤチップ３及び第２ＬＥＤチップ４がある下側に凸状をなした形状としてもよい。なお、共通蛍光部材２１’の下面形状に合わせて、光導波層２０’の上面は凹状をなしている。
【０１７９】
このように共通蛍光部材２１の下面がレンズ形状をなしていることで、当該形状によるレンズ効果が生じ、第１発光面１２ａ及び第２発光面１３ａから放射される光の取り出し性を向上させることができる。
【０１８０】
また、図１０に示すように、第１発光面１２ａ及び第２発光面１３ａと共通蛍光部材２１”との間に光導波層２０を設けず空間を設ける場合等に、予め平板状に形成した共通蛍光部材２１”をリフレクタ５に嵌合させるべく、リフレクタ５の開口周縁部内側に段差部２４を形成してもよい。これにより、発光装置１の製造が容易となる。
【０１８１】
（照明装置に適用する場合の変形例）
上述した第１実施例では、発光装置１を照明装置１０１に適用した場合、発光装置１から放射された合成光をそのまま照明装置１０１の照明光とした。しかし、発光装置１から放射される合成光は、共通蛍光部材２１によって拡散されながら放射されるので、発光装置１から放射された合成光を、配光レンズなどの配光部材で所定の方向に指向させ且つ更に拡散させて混合してから照明光として放射させることも可能である。
【０１８２】
図１１は、このように発光装置１を照明装置に適用する場合の変形例として、配光レンズ（配光部材）３０が装着された発光装置１を模式的に示す平面図である。また、図１２は図１１中のXII−XII線に沿う発光装置１及び配光レンズ３０の概略断面図である。説明の便宜上、図１１では配光レンズ３０を一点鎖線で示している。
【０１８３】
（配光レンズ）
本変形例では発光装置１と配光レンズ３０とが組み合わされて照明装置に適用される。配光レンズ３０は、ガラス或いは透光性を有した樹脂などにより円錐台状に形成される。この配光レンズ３０は、小径側の端部に形成された当接部３０ａが接着剤などを用いて発光装置１の基板２の第１の面２ａに固定されることにより、発光装置１に組み付けられている。また、配光レンズ３０は、大径側に出射面（出射部）３０ｂを有すると共に、小径側に入射面（入射部）３０ｃを有しており、入射面３０ｃは当接部３０ａによって周囲を取り囲まれている。当接部３０ａは、リフレクタ５と配光レンズ３０とが干渉しない程度の長さまで延びている。配光レンズ３０が発光装置１に組み付けられた状態にあるとき、リフレクタ５は当接部３０ａによって包囲された状態となり、配光レンズ３０の入射面３０ｃが共通蛍光部材２１の共通発光面２１ａに対向する位置にある。
【０１８４】
従って、第１ＬＥＤ１８から放射された光及び第２ＬＥＤ１９から放射された光は、上述のようにして共通蛍光部材２１にて波長変換して得た光と共に混合され、合成光として共通発光面２１ａから放射された後、配光レンズ３０の入射面３０ｃから配光レンズ３０内に入射する。配光レンズ３０内に入射した合成光は、配光レンズ３０の大径側端部の出射面３０ｂから配光レンズ３０の外方に向けて、照明装置の照明光として放射される。このとき、照度や照射領域を所定のものにするためには、配光レンズ３０の焦点が共通発光面２１ａ上にあることが好ましい。
【０１８５】
上述したように、発光装置１からは、共通蛍光部材２１を介すことで、第１ＬＥＤ１８から放射される光及び第２ＬＥＤ１９から放射される光の２種類の光の分離が生じにくい優れた合成光が得られるが、この合成光は共通蛍光部材２１の共通発光面２１ａから拡散されながら放射される。このとき、本変形例の照明装置では、共通発光面２１ａに対向する位置に入射面３０ｃを有した配光レンズ３０が設けられているので、共通発光面２１ａから放射された合成光を、予め定められた範囲及び方向に効率良く導くことができる。また、発光装置１から放射された光は当該配光部材３０内でも混合されるため、照明装置から放射された照明光における光の分離を更に効果的に抑制することができる。
【０１８６】
なお、本変形例では、配光レンズ３０の入射面３０ｃ及び出射面３０ｂを、それぞれ平坦に形成したが、少なくともいずれか一方に凹凸を設けるようにしてもよい。例えば入射面３０ｃに凹凸を形成した場合、第１ＬＥＤ１８から放射された光及び第２ＬＥＤ１９から放射された光は、上述のようにして共通蛍光部材２１にて波長変換された光と混合され、合成光として共通発光面２１ａから放射された後、配光レンズ３０の入射面３０ｃから入射する際に、この入射面３０ｃの凹凸によって更に混合される。この結果、第１ＬＥＤ１８から放射された光及び第２ＬＥＤ１９から放射された光は、より一層良好に混合され、照明装置から放射された照明光における、これら２種類の光の分離を更に効果的に抑制することができる。
【０１８７】
また、配光レンズ３０の出射面３０ｂに凹凸を形成した場合も、第１ＬＥＤ１８から放射された光及び第２ＬＥＤ１９から放射された光は、共通蛍光部材２１にて波長変換された光と混合された後、配光レンズ３０の出射面３０ｂから放射される際に、この出射面３０ｂの凹凸によって更に混合される。この結果、第１ＬＥＤ１８から放射された光、第２ＬＥＤ１９から放射された光、及び共通蛍光部２１にて波長変換された光は、より一層良好に混合され、照明装置から放射された照明光における、第１ＬＥＤチップ３及び第２ＬＥＤチップ４から発生される２種類の光の分離を更に効果的に抑制することができる。
【０１８８】
更に、配光レンズ３０の入射面３０ｃ及び出射面３０ｂの両方に凹凸を形成した場合には、第１ＬＥＤ１８から放射された光及び第２ＬＥＤ１９から放射された光は、共通蛍光部材２１にて波長変換された光と混合された後に、配光レンズ３０内への入射の際と、配光レンズ３０内からの出射の際との２度にわたって、更に混合されることになる。この結果、照明装置から放射された照明光における、これら２種類の光の分離を、より一層効果的に抑制することができる。
【０１８９】
配光レンズ３０の入射面３０ｃまたは出射面３０ｂに形成する凹凸は、例えば半球状に形成された複数の突起、或いは断面Ｖ字状の溝などにより実現することができる。また、半球状の突起に代えて、円錐状の突起や、三角錐状、四角錐状などの角錐状の突起などを採用することも可能である。プリズムシートやプリズムレンズによって凹凸を形成してもよい。更に、透明な配光レンズ３０に代えて、乳白色などの有色の透光性材料を用いて配光レンズを形成するようにしてもよい。
【０１９０】
また、発光装置１から放射された合成光を所定の方向に指向させてから照明光として放射させるための配光部材として、上述したような配光レンズ３０に代えて、外形が円錐台の筒状に形成されると共に内壁面を反射面とした第２のリフレクタを配光部材として用いても良い。このような第２のリフレクタを用いる場合においても、発光装置１から放射された合成光を小径側端部（入射部）から入射させ、大径側端部（出射部）から放射するようにすれば、所望の範囲及び方向に合成光を放射させることができる。更に、発光装置１のリフレクタ５を延長し、第２のリフレクタを兼ねるようにすることも可能である。
【０１９１】
＜第２実施例＞
第１実施例の発光装置１では、第１ＬＥＤチップ３と第１蛍光部材１２とにより本発明の第１発光部である第１ＬＥＤ１８を、第２ＬＥＤチップ３と第２蛍光部材１３とにより本発明の第２発光部である第２ＬＥＤ１９を構成するようにした。しかしながら、発光装置の構成はこれに限定されるものではなく、様々な変形或いは置き換えが可能である。そこで、発光装置のもう１つの例を本発明の第２実施例として、以下に説明する。
【０１９２】
（発光装置の全体構成）
図１３は、第２実施例に係る発光装置２０１の概略断面図である。当該第２実施例に係る発光装置２０１は、基板２、リフレクタ５、仕切り部材６の構成は第１実施例と同様であり、第１実施例と同じ構成については同じ符号を用いるとともに詳しい説明は省略する。
基板２のチップ実装面２ａには、４個の第１ＬＥＤチップ２０３（第１半導体発光素子）及び４個の第２ＬＥＤチップ２０４（第２半導体発光素子）が実装されている。第１ＬＥＤチップ２０３及び第２ＬＥＤチップ２０４のそれぞれに駆動電流を供給するための配線パターン９及び配線パターン１０は第１実施例と同様に基板２のチップ実装面２ａに形成されている。
【０１９３】
リフレクタ５内の第１領域７ａには、仕切り部材６の高さまで、第１蛍光部材（第１波長変換部材）２１２が４個の第１ＬＥＤチップ３をそれぞれ取り囲むように覆って収容されている。一方、リフレクタ５内の第２領域７ｂには、仕切り部材６の高さまで、光導波部材２１３が４個の第２ＬＥＤチップ４をそれぞれ取り囲むように覆って収容されている。第１蛍光部材１２は、第１ＬＥＤチップ３が発する光によって励起され、第１ＬＥＤチップ３が発する光とは異なる波長の光を放射する第１蛍光体２１４と、この第１蛍光体２１４を分散保持する充填材１５とからなる一方、光導波部材２１３は蛍光体を有さず充填剤のみから形成されている。
【０１９４】
従って、本実施例においては、第１ＬＥＤチップ２０３と第１蛍光部材２１２との組み合わせが、本発明の第１発光部に相当する第１ＬＥＤ２１８を構成する。また、第２ＬＥＤチップ４と光導波部材２１３との組み合わせが、本発明の第２発光部に相当する第２ＬＥＤ２１９を構成する。また、第１蛍光部材２１２の上面２１２ａが第１発光面をなし、光導波部材２１３の上面２１３ａが第２発光面をなしている。そこで、以下では第１蛍光部材２１２の上面２１２ａを第１発光面と称すると共に、光導波部材２１３の上面２１３ａを第２発光面と称する。
【０１９５】
第１発光面２１２ａ及び第２発光面２１３ａの上方の、リフレクタ５によって包囲された第３領域８においては、下半部分に第１発光面２１２ａ及び第２発光面２１３ａの全面を覆うように光導波層２２０が設けられており、上半部分に共通蛍光部材２２１が設けられている。従って、当該第２実施例においても、第１発光面２１２ａ及び第２発光面２１３ａは、間に光導波層２２０を介しつつ、第１発光面２１１ａ及び第２発光面２１２ａに対向する位置に設けられた共通蛍光部材２２１によって全体が覆われている。
【０１９６】
共通蛍光部材２２１は、第１ＬＥＤチップ２０３及び第２ＬＥＤチップ２０４が発する光によって励起され、第１ＬＥＤチップ２０３及び第２ＬＥＤチップ２０４が発する光とは異なる波長の光を放射する共通蛍光体２２２と、この共通蛍光体２２２を分散保持する充填材２２３とからなる。そして、共通蛍光部材２２１の上面２２１ａが共通発光面をなしており、以下では共通発光部材２２１の上面２２１ａを共通発光面と称する。
【０１９７】
つまり、後に詳述するが、共通蛍光部材２２１は、第１ＬＥＤ２１８及び第２ＬＥＤ２１９のそれぞれから放射される光のうち、当該第１蛍光体２１４により波長変換されなかった第１ＬＥＤチップ２０３が発する光（矢印Ａ１）及び第２ＬＥＤチップ２０４が発する光（矢印Ｂ）を波長変換するために設けられている。この共通蛍光部材２２１の共通蛍光体２２２により波長変換して得られた光（矢印Ｃ）と、第１蛍光体２１４により波長変換された光（矢印Ａ２）と、第１蛍光部材２１２及び共通蛍光部材２２１にて波長変換されずに通過した第１ＬＥＤチップ２０３の光（矢印Ａ１）と、共通蛍光部材２２１にて波長変換されずに通過した第２ＬＥＤ２１９の光（矢印Ｂ）とを、混合して得られる合成光が共通発光面２２１ａから放射される。
【０１９８】
（ＬＥＤチップ）
本実施例において用いる第１ＬＥＤチップ２０３及び第２ＬＥＤチップ２０４は、いずれも４６０ｎｍのピーク波長を有した青色光を発するＬＥＤチップである。
具体的には、このようなＬＥＤチップとして、ＩｎＧａＮ半導体が発光層に用いられて青色領域の光を発するＧａＮ系ＬＥＤチップなどが好ましい。なお、これら第１ＬＥＤチップ２０３及び第２ＬＥＤチップ２０４の種類や発光波長特性はこれに限定されるものではなく、本発明の要旨を変更しない限りにおいて、様々なＬＥＤチップを用いることができる。青色光を発するＬＥＤチップ以外のＬＥＤチップとして、後に変形例として詳述するが、例えば近紫外光を発するＬＥＤチップ、緑色光を発するＬＥＤチップを用いることもできる。従って、本実施例において第１ＬＥＤチップ３及び第２ＬＥＤチップ４が発する光のピーク波長は、３６０ｎｍ〜４２０ｎｍ、好ましくは４００ｎｍ〜４１５ｎｍ、５００ｎｍ〜５８０ｎｍ、好ましくは５１５ｎｍ〜５７０ｎｍの波長範囲内にあるものが好適である。
【０１９９】
（蛍光部材）
本実施例において、第１蛍光部材２１２が有する第１蛍光体２１４、及び共通蛍光部材２１が有する共通蛍光体２２２は、それぞれ異なる波長変換特性を有している。このような異なる波長変換特性の組み合わせは種々可能である。本実施例では、第１蛍光体２１４は赤色蛍光体のみを用い、共通蛍光体２２２は黄色蛍光体のみを用いている。
【０２００】
４個の第１ＬＥＤチップ２０３が発する青色光（矢印Ａ１）は、その一部が第１蛍光部材２１２内に第１蛍光体２１４として分散保持されている赤色蛍光体によって赤色光に波長変換され、この赤色光（矢印Ａ２）と波長変換されずに通過する青色光（矢印Ａ１）を含めた合成光が、第１蛍光部材２１２の上面、即ち第１発光面２１２ａから放射されるようになっている。
また、４個の第２ＬＥＤチップ２０４が発する青色光（矢印Ｂ）は、蛍光体を有さない光導波部材２１３内をそのまま通過して、光導波部材２１３の上面、即ち第２発光面２１３ａから放射されるようになっている。
【０２０１】
さらに、これら第１発光面２１２ａから放射された光（矢印Ａ１、Ａ２）及び第２発光面２１３ａから放射された光（矢印Ｂ）の全ては、光導波層２２０を介して当該第１発光面１２ａ及び第２発光面１３ａの全体を覆っている共通蛍光部材２２１に入射する。この入射された光のうち、第１ＬＥＤチップ２０３から発せられ第１蛍光体２１４により波長変換されずに第１発光面１２ａから放射された青色光の一部、及び第２ＬＥＤチップ３から発せられそのまま第２発光面１３ａから放射された青色光の一部は、それぞれ共通蛍光部材２２１内に共通蛍光体２２として分散保持されている黄色蛍光体によって、黄色光に波長変換される（矢印Ｃ）。そして、この波長変換して得られた黄色光（矢印Ｃ）と、第１蛍光部材２１２及び共通波長変換部材２２１にて波長変換されずに通過した第１ＬＥＤチップ２０３が発した青色光（矢印Ａ１）及び第２ＬＥＤチップ２０４が発した青色光（矢印Ｂ）と、第１蛍光体２１４により波長変換して得られた赤色光（矢印Ａ２）と、が合成されることで共通発光面２１ａから白色光として放射されるようになっている。
【０２０２】
ここで、第２実施例においても、第１蛍光体２１４としての赤色蛍光体と共通蛍光部材２２１の黄色蛍光体の混合比率は、例えば、まず第２ＬＥＤチップ２０４のみを点灯させた場合に共通発光面２２１ａから放射される白色光が第２色温度Ｔ２となるよう共通蛍光部材２２１の蛍光体の混合比率を決定する。そして、第１ＬＥＤチップ２０３のみを点灯された場合に共通発光面２１２ａから放射される白色光が第２色温度Ｔ２と異なる第１色温度Ｔ１となるよう第１蛍光体２１４の混合比率を決定する。第１実施例同様、第１ＬＥＤチップ２０３の発光と第２ＬＥＤチップ２０４の発光とを調整することにより、第１色温度Ｔ１から第２色温度Ｔ２までの間の任意の色温度の白色光を発光装置２０１から得ることが可能である。なお、これら第１色温度Ｔ１及び第２色温度Ｔ２の値は、このような値に限定されるものではなく、発光装置２０１に求められる特性に応じて様々に設定可能である。
【０２０３】
なお、第１蛍光体２１４及び共通蛍光体２２２は、本実施例のように第１蛍光体２１４としての赤色蛍光体、共通蛍光体２２２として黄色蛍光体に限定されるわけではない。
各蛍光体部材における蛍光体の組み合わせについては、後に変形例として詳述するが、蛍光体の種類としては、前述した赤色蛍光体、緑色蛍光体、青色蛍光体、橙色蛍光体、黄色蛍光体、青緑色蛍光体を用いてもよい。なお、第１ＬＥＤ２１８から共通蛍光部材２２１を介して得られる光、及び第２ＬＥＤ２１９から共通蛍光部材２２１を介して得られる光はそれぞれ白色光に限定されるものではなく、発光装置２０１に求められる放射光の色度や輝度などに応じ、第１蛍光体２１４及び共通蛍光部材２２１の種類を適宜選択して、第１発光面２１２ａから放射される光の第１の色度と、第２発光面２１３ａから放射される光の第２の色度とが異なるようにすればよい。上述した各種蛍光体、充填材２１５、２２３、光導波層２２０の具体例は第１実施例で記載したものと同様であり、光導波部材２１３の具体例は以下の通りである。
【０２０４】
（光導波部材）
第２ＬＥＤチップ２０４を取り囲む光導波部材２１３は、光導波層２２０と同様の材料、即ち充填剤２１５、２２３と同様の材料を用いることができる。つまり、当該光導波部材には、熱可塑性樹脂、熱硬化性樹脂、光硬化性樹脂などが用いられるが、第２ＬＥＤチップ２０４から発せられる青色光に対して十分な透明性と耐久性とを有した材料を用いるのが好ましい。具体的には、例えば、ポリ（メタ）アクリル酸メチルなどの（メタ）アクリル樹脂、ポリスチレンやスチレン−アクリロニトリル共重合体などのスチレン樹脂、ポリカーボネート樹脂、ポリエステル樹脂、フェノキシ樹脂、ブチラール樹脂、ポリビニルアルコール、エチルセルロースやセルロースアセテートやセルロースアセテートブチレートなどのセルロース系樹脂、エポキシ樹脂、フェノール樹脂、シリコーン樹脂などがあげられる。また、無機系材料、例えば、金属アルコキシド、セラミック前駆体ポリマーもしくは金属アルコキシドを含有する溶液をゾル−ゲル法により加水分解重合してなる溶液またはこれらの組み合わせを固化した無機系材料、例えばシロキサン結合を有する無機系材料やガラスを用いることができる。なお、当該光導波部材２１３の代わりに空間としてもよい。
【０２０５】
（照明装置への適用）
本実施例の発光装置２０１では、上述のように第１ＬＥＤ２０３のみを点灯させた場合に共通発光面２２１ａから放射される第１色温度Ｔ１の白色光、及び第２ＬＥＤチップ２０４のみを点灯させた場合に共通発光面２２１ａから放射される第１色温度Ｔ１より高い第２色温度Ｔ２の白色光の、２種類の白色光を混合した合成光を発光装置２０１から放射するようにしているので、第１色温度Ｔ１から第２色温度Ｔ２までの間の任意の色温度の白色光を発光装置２０１から得ることが可能である。従って、本実施例の発光装置２０１についても、第１実施例と同様に、照明光の色温度を第１色温度Ｔ１から第２色温度Ｔ２までの間で調整可能とした照明装置として適用可能である。照明装置に適用した場合の電気回路構成等は第１実施例で説明した通りであり、ここでの説明は省略する。
【０２０６】
（ＬＥＤチップの変形例）
本実施例では、第１ＬＥＤチップ２０３及び第２ＬＥＤチップ２０４としてそれぞれ青色光を発する、いわゆる青色ＬＥＤチップを用いたが、ＬＥＤの種類や、第１ＬＥＤチップと第２ＬＥＤチップとの組み合わせはこれに限定されるものではなく、様々な形態を採用することが可能である。
例えば、第１ＬＥＤチップ及び第２ＬＥＤチップとして、それぞれ近紫外光を発する近紫外ＬＥＤチップを用いた構成であってもよく、近紫外光を発する近紫外ＬＥＤチップを用い、第２ＬＥＤチップには青色ＬＥＤチップを用いた構成であってもよい。なお、青色ＬＥＤの代わりに、緑色光を発するいわゆる緑色ＬＥＤチップを用いることもできる。
【０２０７】
（蛍光部材の変形例）
本実施例では、第１蛍光部材２１２が有する第１蛍光体２１４として赤色蛍光体を用い、共通蛍光部材２２１が有する共通蛍光体２２２として黄色蛍光体を用いているが、各蛍光部材が有する蛍光体の種類や組み合わせはこれに限定されるものではなく、様々な形態を採用することが可能である。本実施例においては、第１蛍光部材２１２に第１ＬＥＤチップが発した青色光を、赤色光をなすピーク波長の光に波長変換する第１蛍光体２１４を有する場合に、共通蛍光部材２２１において、赤色光をなすピーク波長よりも短い波長の光である黄色光を発する共通蛍光体２１を有するようにすることで、カスケード励起を防止でき、発光装置２０１における発光効率の低下を抑制することができる。以下に本実施例の変形例について述べる。
【０２０８】
（第１５変形例）
第１５変形例としては、第１ＬＥＤチップ３及び第２ＬＥＤチップ４に近紫外ＬＥＤチップを用い、第１蛍光部材２１２が有する第１蛍光体２１４として赤色蛍光体を用い、共通蛍光部材２２１が有する共通蛍光体として青色蛍光体及び緑色蛍光体を混合したものを用いる。この場合、第１ＬＥＤチップ２０３が発した近紫外光の一部は、第１蛍光部材２１２内に第１蛍光体２１４として分散保持されている赤色蛍光体によって赤色光に波長変換され、この赤色光と、波長変換されなかった近紫外光とが第１発光面２１２ａから放射される。第２発光面２１３ａからは、第２ＬＥＤチップ２０４が発した近紫外光が放射される。
【０２０９】
そして、第１蛍光体２１４により波長変換されずに第１発光面１２ａから放射された近紫外光及び第２発光面２１３ａから放射された近紫外光は、共通蛍光部材２２１内に共通蛍光体２２２として分散保持されている青色蛍光体及び緑色蛍光体によってそれぞれ青色光及び緑色光に波長変換される。さらに、この波長変換によって得られた青色光及び緑色光と、第１蛍光体２１４により波長変換されて第１発光面２１２ａから放射された赤色光とが合成された白色光が、共通発光面２２１ａから放射されるようになっている。
【０２１０】
このように、第１蛍光部材２１２では赤色蛍光体により赤色光をなすピーク波長の光に波長変換される。共通蛍光部材２１が有する共通蛍光体２２２は赤色光よりも短いピーク波長の光である青色光及び緑色光を発する青色蛍光体及び緑色蛍光体であることから、カスケード励起を防止でき、本変形例における発光層においても発光効率の低下を抑制することができる。なお、この場合も、第１発光面２１２ａから放射される赤色光と共通蛍光体２２２により波長変換して得られる青色光及び緑色光とを合成した白色光と、第２発光面２１３ａから放射された近紫外光が共通蛍光体２２２により波長変換されて得られる青色光及び緑色光を合成した特殊色光との間で、発光装置１が発する光の特性を異ならせる光特性調節機能を持たせることができる。
【０２１１】
なお、第１発光面２１２ａから放射される赤色光と共通蛍光体２２２により波長変換して得られる青色光及び緑色光とを合成した場合に、第２発光面２１３ａから放射された近紫外光が共通蛍光体２２２により波長変換されて得られる青色光及び緑色光を合成した特殊色光とは異なる他の特殊色光が放出される場合には、当該特殊色光と当該他の特殊色光との間で、発光装置１が発する光の特性を異ならせる光特性調節機能を持たせることができる。
【０２１２】
（第１６変形例）
第１６変形例としては、第１ＬＥＤチップ３及び第２ＬＥＤチップ４に近紫外ＬＥＤチップを用い、第１蛍光部材２１２が有する第１蛍光体２１４として赤色蛍光体及び緑色蛍光体を混合したものを用い、共通蛍光部材２２１が有する共通蛍光体として青色蛍光体を用いる。この場合、第１ＬＥＤチップ２０３が発した近紫外光の一部は、第１蛍光部材２１２内に第１蛍光体２１４として分散保持されている赤色蛍光体及び緑色蛍光体によってそれぞれ赤色光及び緑色光に波長変換され、この赤色光及び緑色光と、波長変換されなかった近紫外光とが第１発光面２１２ａから放射される。第２発光面２１３ａからは、第２ＬＥＤチップ２０４が発した近紫外光が放射される。
【０２１３】
そして、第１蛍光体２１４により波長変換されずに第１発光面１２ａから放射された近紫外光及び第２発光面１３ａから放射された近紫外光は、共通蛍光部材２２１内に共通蛍光体２２２として分散保持されている青色蛍光体によって青色光に波長変換される。さらに、この波長変換によって得られた青色光と、第１蛍光体２１４により波長変換されて第１発光面２１２ａから放射された赤色光及び緑色光とが合成された白色光が、共通発光面２２１ａから放射されるようになっている。
【０２１４】
このように、第１蛍光部材２１２では赤色蛍光体及び緑色蛍光体によりそれぞれ赤色光及び緑色光をなすピーク波長の光に波長変換される。共通蛍光部材２２１が有する共通蛍光体２２２は赤色光及び緑色光よりも短いピーク波長の光である青色光を発する青色蛍光体であることから、カスケード励起を防止でき、本変形例における発光層においても発光効率の低下を抑制することができる。なお、この場合も、第１発光面２１２ａから放射される赤色光及び緑色光と共通蛍光体２２２により波長変換して得られる青色光とを合成した白色光と、第２発光面２１３ａから放射された近紫外光が共通蛍光体２２２により波長変換されて得られる青色光との間で、発光装置１が発する光の特性を異ならせる光特性調節機能を持たせることができる。
【０２１５】
なお、第１発光面２１２ａから放射される赤色光及び緑色光と共通蛍光体２２２により波長変換して得られる青色光とを合成して特殊色光が得られた場合に、当該特殊色光と第２発光面２１３ａから放射された近紫外光が共通蛍光体２２２により波長変換されて得られる青色光との間で、発光装置１が発する光の特性を異ならせる光特性調節機能を持たせることができる。
【０２１６】
（第１７変形例）
第１７変形例としては、第１ＬＥＤチップ３及び第２ＬＥＤチップ４に近紫外ＬＥＤチップを用い、第１蛍光部材２１２が有する第１蛍光体２１４として青色蛍光体を用い、共通蛍光部材２２１が有する共通蛍光体として赤色蛍光体及び緑色蛍光体を混合したものを用いる。この場合、第１ＬＥＤチップ２０３が発した近紫外光の一部は、第１蛍光部材２１２内に第１蛍光体２１４として分散保持されている青色蛍光体によって青色光に波長変換され、この青色光と、波長変換されなかった近紫外光とが第１発光面２１２ａから放射される。第２発光面２１３ａからは、第２ＬＥＤチップ２０４が発した近紫外光が放射される。
【０２１７】
そして、第１蛍光体２１４により波長変換されずに第１発光面２１２ａから放射された近紫外光及び第２発光面２１３ａから放射された近紫外光は、共通蛍光部材２２１内に共通蛍光体２２２として分散保持されている赤色蛍光体及び緑色蛍光体によってそれぞれ赤色光及び緑色光に波長変換される。さらに、この波長変換によって得られた赤色光及び緑色光と、第１蛍光体２１４により波長変換されて第１発光面２１２ａから放射された青色光とが合成された白色光が、共通発光面２２１ａから放射されるようになっている。
【０２１８】
なお、この場合も、第１発光面２１２ａから放射される青色光と共通蛍光体２２２により波長変換して得られる赤色光及び緑色光とを合成した白色光と、第２発光面２１３ａから放射された近紫外光が共通蛍光体２２により波長変換されて得られる赤色光及び緑色光を合成した特殊色光との間で、発光装置１が発する光の特性を異ならせる光特性調節機能を持たせることができる。
【０２１９】
なお、第１発光面２１２ａから放射される青色光と共通蛍光体２２２により波長変換して得られる赤色光及び緑色光とを合成した場合に、第２発光面２１３ａから放射された近紫外光が共通蛍光体２２により波長変換されて得られる赤色光及び緑色光を合成した特殊色光とは異なる他の特殊色光が放出される場合には、当該特殊色光と当該他の特殊色光との間で、発光装置１が発する光の特性を異ならせる光特性調節機能を持たせることができる。
【０２２０】
（第１８変形例）
第１８変形例としては、第１ＬＥＤチップ３及び第２ＬＥＤチップ４に青色ＬＥＤチップを用い、第１蛍光部材２１２が有する第１蛍光体２１４として赤色蛍光体及び緑色蛍光体を混合したものを用い、共通蛍光部材２２１が有する共通蛍光体として黄色蛍光体を用いる。この場合、第１ＬＥＤチップ２０３が発した青色光の一部は、第１蛍光部材２１２内に第１蛍光体２１４として分散保持されている赤色蛍光体及び緑色蛍光体によってそれぞれ赤色光及び緑色光に波長変換され、この赤色光及び緑色光と、波長変換されなかった青色光とが第１発光面２１２ａから放射される。第２発光面２１３ａからは、第２ＬＥＤチップ２０４が発した青色光が放射される。
【０２２１】
そして、第１蛍光体２１４により波長変換されずに第１発光面２１２ａから放射された青色光及び第２発光面２１３ａから放射された青色光は、共通蛍光部材２２１内に共通蛍光体２２２として分散保持されている黄色蛍光体によって黄色光に波長変換される。さらに、この波長変換によって得られた黄色光と、第１蛍光体２１４により波長変換されて第１発光面２１２ａから放射された赤色光及び緑色光と、第２発光面２１３ａから放射された青色光と、各蛍光体によって波長変換されなかった青色光とが合成された白色光が、共通発光面２２１ａから放射されるようになっている。
【０２２２】
この場合も、第１発光面２１２ａから放射される赤色光及び緑色光と共通蛍光体２２２により波長変換して得られる黄色光と各蛍光体によって波長変換されなかった青色光とを合成した白色光と、第２発光面１３ａから放射された青色光が共通蛍光体２２２により波長変換されて得られる黄色光と共通蛍光体２２２によって波長変換されなかった青色光とを合成した白色光との間で、発光装置１が発する光の特性を異ならせる光特性調節機能を持たせることができる。
【０２２３】
（第１９変形例）
第１９変形例としては、第１ＬＥＤチップ３及び第２ＬＥＤチップ４に青色ＬＥＤチップを用い、第１蛍光部材２１２が有する第１蛍光体２１４として赤色蛍光体を用い、共通蛍光部材２２１が有する共通蛍光体として黄色蛍光体と緑色蛍光体とを混合したものを用いる。この場合、第１ＬＥＤチップ２０３が発した青色光の一部は、第１蛍光部材２１２内に第１蛍光体２１４として分散保持されている赤色蛍光体によって赤色光に波長変換され、この赤色光と、波長変換されなかった青色光とが第１発光面２１２ａから放射される。第２発光面２１３ａからは、第２ＬＥＤチップ２０４が発した青色光が放射される。
【０２２４】
そして、第１蛍光体２１４により波長変換されずに第１発光面２１２ａから放射された青色光及び第２発光面２１３ａから放射された青色光は、共通蛍光部材２２１内に共通蛍光体２２２として分散保持されている黄色蛍光体及び緑色蛍光体によってそれぞれ黄色光及び緑色光に波長変換される。さらに、この波長変換によって得られた黄色光及び緑色光と、第１蛍光体２１４により波長変換されて第１発光面２１２ａから放射された赤色光と、第２発光面２１３ａから放射された青色光と、各蛍光体によって波長変換されなかった青色光とが合成された白色光が、共通発光面２２１ａから放射されるようになっている。
【０２２５】
このように、第１蛍光部材２１２では赤色蛍光体により赤色光をなすピーク波長の光に波長変換される。共通蛍光部材２２１が有する共通蛍光体２２２は赤色光よりも短いピーク波長の光である黄色光及び緑色光を発する黄色蛍光体及び緑色蛍光体であることから、カスケード励起を防止でき、本変形例における発光層においても発光効率の低下を抑制することができる。なお、この場合も、第１発光面２１２ａから放射される赤色光と共通蛍光体２２２により波長変換して得られる黄色光及び緑色光と各蛍光体によって波長変換されなかった青色光とを合成した白色光と、第２発光面１３ａから放射された青色光が共通蛍光体２２２により波長変換されて得られる黄色光及び緑色光と共通蛍光体２２２によって波長変換されなかった青色光とを合成した白色光との間で、発光装置１が発する光の特性を異ならせる光特性調節機能を持たせることができる。
【０２２６】
（第２０変形例）
第２０変形例としては、第１ＬＥＤチップ３及び第２ＬＥＤチップ４に青色ＬＥＤチップを用い、第１蛍光部材２１２が有する第１蛍光体２１４として赤色蛍光体を用い、共通蛍光部材２２１が有する共通蛍光体として緑色蛍光体を用いる。この場合、第１ＬＥＤチップ２０３が発した青色光の一部は、第１蛍光部材２１２内に第１蛍光体２１４として分散保持されている赤色蛍光体によって赤色光に波長変換され、この赤色光と、波長変換されなかった青色光とが第１発光面２１２ａから放射される。第２発光面２１３ａからは、第２ＬＥＤチップ２０４が発した青色光が放射される。
【０２２７】
そして、第１蛍光体２１４により波長変換されずに第１発光面２１２ａから放射された青色光及び第２発光面２１３ａから放射された青色光は、共通蛍光部材２２１内に共通蛍光体２２２として分散保持されている緑色蛍光体によって緑色光に波長変換される。さらに、この波長変換によって得られた緑色光と、第１蛍光体２１４により波長変換されて第１発光面２１２ａから放射された赤色光と、第２発光面２１３ａから放射された青色光と、各蛍光体によって波長変換されなかった青色光とが合成された白色光が、共通発光面２２１ａから放射されるようになっている。
【０２２８】
このように、第１蛍光部材２１２では赤色蛍光体により赤色光をなすピーク波長の光に波長変換される。共通蛍光部材２２１が有する共通蛍光体２２２は赤色光よりも短いピーク波長の光である緑色光を発する緑色蛍光体であることから、カスケード励起を防止でき、本変形例における発光層においても発光効率の低下を抑制することができる。なお、この場合も、第１発光面２１２ａから放射される赤色光と共通蛍光体２２２により波長変換して得られる緑色光と各蛍光体によって波長変換されなかった青色光とを合成した白色光と、第２発光面１３ａから放射された青色光が共通蛍光体２２２により波長変換されて得られる緑色光と共通蛍光体２２２によって波長変換されなかった青色光とを合成した白色光との間で、発光装置１が発する光の特性を異ならせる光特性調節機能を持たせることができる。
【０２２９】
（第２１変形例）
第２１変形例としては、第１ＬＥＤチップ３及び第２ＬＥＤチップ４に青色ＬＥＤチップを用い、第１蛍光部材２１２が有する第１蛍光体２１４として赤色蛍光体を用い、共通蛍光部材２２１が有する共通蛍光体として赤色蛍光体と黄色蛍光体とを混合したものを用いる。この場合、第１ＬＥＤチップ２０３が発した青色光の一部は、第１蛍光部材２１２内に第１蛍光体２１４として分散保持されている赤色蛍光体によって赤色光に波長変換され、この赤色光と、波長変換されなかった青色光とが第１発光面２１２ａから放射される。第２発光面２１３ａからは、第２ＬＥＤチップ２０４が発した青色光が放射される。
【０２３０】
そして、第１蛍光体２１４により波長変換されずに第１発光面２１２ａから放射された青色光及び第２発光面２１３ａから放射された青色光は、共通蛍光部材２２１内に共通蛍光体２２２として分散保持されている赤色蛍光体及び黄色蛍光体によってそれぞれ赤色光及び黄色光に波長変換される。さらに、この波長変換によって得られた赤色光及び黄色光と、第１蛍光体２１４により波長変換されて第１発光面２１２ａから放射された赤色光と、第２発光面２１３ａから放射された青色光と、各蛍光体によって波長変換されなかった青色光とが合成された白色光が、共通発光面２２１ａから放射されるようになっている。
【０２３１】
この場合も、第１発光面２１２ａから放射される赤色光と共通蛍光体２２２により波長変換して得られる赤色光及び黄色光と各蛍光体によって波長変換されなかった青色光とを合成した白色光の第１色温度Ｔ１と、第２発光面１３ａから放射された青色光が共通蛍光体２２２により波長変換されて得られる赤色光及び黄色光と共通蛍光体２２２によって波長変換されなかった青色光とを合成した白色光の第２色温度Ｔ２とを異ならせることで、発光装置１が発する白色光の色温度を異ならせる色温度調節機能を持たせることができる。
【０２３２】
本変形例では、第１蛍光体２１４に赤色蛍光体が用いられているが、第１蛍光体に赤色蛍光体及び緑色蛍光体を混合したものが用いられてもよいし、黄色蛍光体が用いられてもよい。
【０２３３】
（第２２変形例）
第２２変形例としては、第１ＬＥＤチップ３及び第２ＬＥＤチップ４に青色ＬＥＤチップを用い、第１蛍光部材２１２が有する第１蛍光体２１４として赤色蛍光体を用い、共通蛍光部材２２１が有する共通蛍光体として赤色蛍光体と黄色蛍光体と緑色蛍光体とを混合したものを用いる。この場合、第１ＬＥＤチップ２０３が発した青色光の一部は、第１蛍光部材２１２内に第１蛍光体２１４として分散保持されている赤色蛍光体によって赤色光に波長変換され、この赤色光と、波長変換されなかった青色光とが第１発光面２１２ａから放射される。第２発光面２１３ａからは、第２ＬＥＤチップ２０４が発した青色光が放射される。
【０２３４】
そして、第１蛍光体２１４により波長変換されずに第１発光面２１２ａから放射された青色光及び第２発光面２１３ａから放射された青色光は、共通蛍光部材２２１内に共通蛍光体２２２として分散保持されている赤色蛍光体、黄色蛍光体及び緑色蛍光体によってそれぞれ赤色光、黄色光及び緑色光に波長変換される。さらに、この波長変換によって得られた赤色光、黄色光及び緑色光と、第１蛍光体２１４により波長変換されて第１発光面２１２ａから放射された赤色光と、第２発光面２１３ａから放射された青色光と、各蛍光体によって波長変換されなかった青色光とが合成された白色光が、共通発光面２２１ａから放射されるようになっている。
【０２３５】
この場合も、第１発光面２１２ａから放射される赤色光と共通蛍光体２２２により波長変換して得られる赤色光、黄色光及び緑色光と各蛍光体によって波長変換されなかった青色光とを合成した白色光の第１色温度Ｔ１と、第２発光面１３ａから放射された青色光が共通蛍光体２２２により波長変換されて得られる赤色光、黄色光及び緑色光と共通蛍光体２２２によって波長変換されなかった青色光とを合成した白色光の第２色温度Ｔ２とを異ならせることで、発光装置１が発する白色光の色温度を異ならせる色温度調節機能を持たせることができる。
【０２３６】
本変形例では、第１蛍光体２１４に赤色蛍光体が用いられているが、第１蛍光体に緑色蛍光体が用いられてもよいし、黄色蛍光体が用いられてもよい。
【０２３７】
その他の蛍光部材の変形例としては、第１ＬＥＤチップ２０３に近紫外ＬＥＤチップ、第２ＬＥＤチップ２０４に青色ＬＥＤチップを用い、第１蛍光体２１２に青色蛍光体、共通蛍光体２２２に黄色蛍光体を用いた構成としてもよい。
【０２３８】
この場合、第１ＬＥＤチップ２０３が発する近紫外光の一部は、第１蛍光部材２１２内に第１蛍光体２１４として分散保持されている青色蛍光体によって青色光に波長変換され、この得られた青色光が第１発光面２１２ａから放射される。第２ＬＥＤ２１９については、第２ＬＥＤチップ２０４が発する青色光がそのまま第２発光面２１３ａから放射される。そして、第１蛍光部材２１２にて波長変換されずに通過した近紫外光の一部、及び第２発光面２１３ａから放射された青色光の一部は、共通蛍光部材２２１内に共通蛍光体２２２として分散保持されている黄色蛍光体によって、それぞれ黄色光に波長変換される。この波長変換して得られた黄色光と、第１ＬＥＤ２１９から放射される青色光と、第２ＬＥＤチップが発した青色光と、が合成されて得られる白色光が共通蛍光部材２２１の上面、即ち共通発光面２２１ａから放射されるようになっている。第１ＬＥＤチップ２０３を近紫外ＬＥＤチップ、第２ＬＥＤチップ２０４を青色ＬＥＤチップとした当該変形例の発光装置２０１によれば、高演色性モード及び高発光効率モードの使い分けを行うことができる。
【０２３９】
（発光装置の全体構成の変形例）
第２実施例における発光装置２０１は、第１実施例と同様に、種々の構成を採用することができる。図示しないが、例えば、第１ＬＥＤ２１８及び第２ＬＥＤ２１９との間に仕切り部材６を設けない構成としてもよい。また、光導波層２２０を設けず、第１蛍光部材２１２及び光導波部材２１３と共通蛍光部材２２１との対向面を直接的に接合させた構成としてもよい。さらに、第１ＬＥＤチップ２０３を第１蛍光部材１２と離間させて第１ＬＥＤ１８を構成してもよい。他にも、共通蛍光部材２２１の下面を断面凸状のレンズ形状としてもよいし、リフレクタの開口周縁部内側に予め平板状に形成した共通蛍光部材２２１を嵌合可能な段差部を形成してもよい。また照明装置へ適用する場合に、発光装置２０１から放射された合成光を配光レンズなどの配光部材で、所定の方向に指向させてから照明光として放射させてもよい。また、本実施例においては、第２ＬＥＤチップを光導波部材２１３で覆うようにしているが、光導波部材２１３と光導波層２２０を一体的に形成してもよい。
【０２４０】
＜第３実施例＞
第１実施例の発光装置１及び第２実施例の発光装置２０１では、いずれも基板２のチップ実装面２ａに第１ＬＥＤチップ３、２０３及び第２ＬＥＤチップ４、２０４を実装し、これらのＬＥＤチップを取り囲むようにリフレクタ５を設けて構成するようにした。しかしながら、発光装置の構成はこれに限定されるものではなく、様々な変形或いは置き換えが可能である。そこで、発光装置の更なる例を本発明の第３実施例として、以下に説明する。
【０２４１】
（発光装置の全体構成）
図１４は、本発明の第３実施例に係る発光装置３０１の概略構成を示す斜視図であり、図１５は発光装置３０１を模式的に示す平面図である。また、図１６は、図１５中のXVI−XVI線に沿う発光装置３０１の概略断面図である。これらの図１４〜図１６に示すように、発光装置３０１は、電気絶縁性に優れて良好な放熱性を有したアルミナ系セラミックからなる基板３０２を備えている。
【０２４２】
基板３０２には、その第１の面３０２ａにそれぞれ開口する第１凹部３０３及び第２凹部３０４が形成されている。これら第１凹部３０３及び第２凹部３０４は、基板３０２の第１の面３０２ａにおける開口面積及び開口形状が実質的に同一となるように形成され、基板３０２の一部である仕切り壁３０２ｂ（仕切り部材）を間に挟んで互いに隣設されている。本実施例では、これら第１凹部３０３及び第２凹部３０４の開口形状を長方形としているが、開口形状はこれに限定されるものではなく様々に変更可能である。例えば、基板３０２の第１の面３０２ａにおける両者の開口面積及び開口形状が実質的に同一となっているのが好ましい。
【０２４３】
なお、基板３０２には、基板３０２を貫通する１対の円孔３０５が形成されている。この円孔３０５は、発光装置３０１を照明装置など各種装置の光源として用いる場合に、この発光装置３０１を照明装置などの本体や冷却機構などに固定するための取付孔として用いられる。円孔３０５の数、形状、配置などは本実施例で示すものに限定されるわけではなく、必要に応じて様々に変更が可能である。また、このような円孔３０５を省略することもできる。
【０２４４】
図１４及び図１５に示すように、第１凹部３０３の底面には、４個の第１ＬＥＤチップ３０６が仕切り壁３０２ｂに沿って一列に配列されており、第２凹部３０４の底面には、４個の第２ＬＥＤチップ３０７が仕切り壁３０２ｂに沿って一列に配列されている。また、基板３０２の第１の面３０２ａには、これらの第１ＬＥＤチップ３０６及び第２ＬＥＤチップ３０７に駆動電流を供給するため、それぞれ銅箔などの導電性に優れた金属からなる第１配線パターン３０８、第２配線パターン３０９、第３配線パターン３１０及び第４配線パターン３１１が形成されている。
【０２４５】
なお、本実施例における第１ＬＥＤチップ３０６及び第２ＬＥＤチップ３０７の数は一例であって、必要に応じて増減が可能である。従って、それぞれを１個ずつとすることも可能であり、また両者で数を異ならせることも可能である。基板３０２の材質についても、第１実施例同様これに限定されるものではない。
【０２４６】
第１配線パターン３０８及び第２配線パターン３０９には、それぞれの一端に、外部からの配線を接続するための外部接続ランド３０８ａ及び３０９ａが設けられている。一方、第１配線パターン３０８及び第２配線パターン３０９の他端側は、図１４及び図１５に示すように、第１凹部３０３に沿ってそれぞれ延設されている。また、第３配線パターン３１０及び第４配線パターン３１１にも、それぞれの一端に、外部からの配線を接続するための外部接続ランド３１０ａ及び３１１ａが設けられている。一方、第３配線パターン３１０及び第４配線パターン３１１の他端側は、図１４及び図１５に示すように、第２凹部３０４に沿ってそれぞれ延設されている。
【０２４７】
第１凹部３０３内には、図１５及び図１６に示すように、第１ＬＥＤチップ３０６が発した光の一部を波長変換する第１蛍光部材（第１波長変換部材）３１２が、４個の第１ＬＥＤチップ３０６を取り囲んで覆うようにして充填されている。同様に、第２凹部３０４内には、第２ＬＥＤチップ３０７が発した光の一部を波長変換する第２蛍光部材（第２波長変換部材）３１３が、４個の第２ＬＥＤチップ３０７を取り囲んで覆うようにして充填されている。なお、図１では、説明の便宜上、これらの第１蛍光部材３１２及び第２蛍光部材３１３を省略している。
【０２４８】
このようにして第１凹部３０３内に第１ＬＥＤチップ３０６及び第１蛍光部材３１２を設けることにより、第１ＬＥＤチップ３０６が発光すると、第１ＬＥＤチップ３０６が発した光の一部が第１蛍光部材３１２によって波長変換され、この波長変換で得られた光が波長変換されなかった光と共に第１蛍光部材３１２から、第１凹部３０３の開口を介して放射される。また、第２ＬＥＤチップ３０７が発光すると、第２ＬＥＤチップ３０７が発した光の一部が第２蛍光部材３１３によって波長変換され、この波長変換で得られた光がこの波長変換で得られた光が波長変換されなかった光と共に第２蛍光部材３１３から、第２凹部３０４の開口を介して放射される。
【０２４９】
従って、第１ＬＥＤチップ３０６と第１蛍光部材３１２との組み合わせが、本発明の第１発光部に相当する第１ＬＥＤ３１４を構成する。また、第２ＬＥＤチップ３０７と第２蛍光部材３１３との組み合わせが、本発明の第２発光部に相当する第２ＬＥＤ３１５を構成する。そして、基板３０２の第１の面３０２ａにおいて、第１凹部３０３の開口に露出する第１蛍光部材３１２の上面３１２ａが本発明の第１発光面に相当し、第２凹部３０４の開口に露出する第２蛍光部材３１３の上面３１３ａが本発明の第２発光面に相当する。そこで、以下では第１蛍光部材３１２の上面３１２ａを第１発光面と称し、第２蛍光部材３１３の上面３１３ａを第２発光面と称する。
【０２５０】
図１４及び図１５に示すように、基板３０２の第１の面３０２ａには、第１凹部３０３及び第２凹部３０４を取り囲んで凸状枠３１６が設けられている。この凸状枠３１６は、樹脂、金属、セラミックなどで形成され、接着剤などを用いて基板３０２の第１の面３０２ａに固定されている。但し、導電性を有した材料で凸状枠３１６を形成する場合には、基板３０２の第１の面３０２ａに形成される配線パターンに対して電気的絶縁性を確保するための処理が必要となる。
【０２５１】
なお、本実施例では四角形に形成した凸状枠３１６を採用しているが、凸状枠３１６の形状は四角形に限定されるものではなく、様々な形状を適用可能である。即ち、第１凹部３０３及び第２凹部３０４を取り囲むように、基板３０２の第１の面３０２ａから突出して設けられていれば、どのような形状でも適用可能である。また、凸状枠３１６は、予め枠状に成形した上で、基板３０２の第１の面３０２ａに接着剤などを用いて固定するようにしてもよいし、熱可塑性樹脂、熱硬化性樹脂、光硬化性樹脂などからなるペースト状の材料を、ディスペンサなどを用いて基板３０２の第１の面３０２ａに塗布して形成するようにしてもよい。
【０２５２】
図１６に示すように、凸状枠３１６の内側は、ディスペンサなどを用いて塗布された共通蛍光部材３１７により満たされている。従って、第１発光面３１２ａ及び第２発光面３１３ａは、このようにして第１発光面３１２ａ及び第２発光面３１３ａに対向する位置に設けられた共通蛍光部材３１７によって全体的に被覆されている。
【０２５３】
図１７は、図１６の断面における第１凹部３０３及び第２凹部３０４の周辺の要部拡大図である。図１７に示すように、第１ＬＥＤチップ３０６は、第１凹部３０３の底面に接着剤３１８を介して接着固定されると共に、上面に有するｐ電極及びｎ電極の２つの電極のそれぞれが、対応する配線パターンにワイヤボンディングで接続されている。具体的には、第１ＬＥＤチップ３０６のｐ電極が金属ワイヤ３１９によって第１配線パターン３０８に接続され、ｎ電極が金属ワイヤ３２０によって第２配線パターン３０９に接続されている。図１７では、１個の第１ＬＥＤチップ３０６の接続状態を示しているが、４個の第１ＬＥＤチップ３０６は、いずれも同様にして第１配線パターン３０８と第２配線パターン３０９とに接続されている。従って、第１配線パターン３０８と第２配線パターン３０９との間には、４個の第１ＬＥＤチップ３０６がそれぞれアノードを第１配線パターン３０８側にして、互いに並列に接続されている。
【０２５４】
同様に、第２ＬＥＤチップ３０７も、第２凹部３０４の底面に接着剤３２１を介して接着固定されると共に、上面に有するｐ電極及びｎ電極の２つの電極のそれぞれが、対応する配線パターンにワイヤボンディングで接続されている。具体的には、第２ＬＥＤチップ３０７のｎ電極が金属ワイヤ３２２によって第３配線パターン３１０に接続され、ｐ電極が金属ワイヤ３２３によって第４配線パターン３１１に接続されている。図１７では、１個の第２ＬＥＤチップ３０７の接続状態を示しているが、４個の第２ＬＥＤチップ３０７は、いずれも同様にして第３配線パターン３１０と第４配線パターン３１１とに接続されている。従って、第３配線パターン３１０と第４配線パターン３１１の間には、４個の第２ＬＥＤチップ３０７がそれぞれアノードを第４配線パターン３１１側にして、互いに並列に接続されている。
【０２５５】
このように構成された発光装置３０１は第１実施例と同様に図４の回路図に基づき照明装置１０１に適用することができる。なお、第１ＬＥＤチップ３０６及び第２ＬＥＤチップ３０７の基板３０２への実装及び配線パターンへの接続は、これに限定されるものではなく、これらＬＥＤチップの種類や構造などに応じて適切な方法を選択することが可能である。例えば、フリップチップ実装を採用し、各ＬＥＤチップ下面の２つの電極を、第１凹部３０３や第２凹部３０４の底面に形成した配線パターンに接合するようにしてもよい。或いは、各ＬＥＤチップ下面の１つの電極を、第１凹部３０３や第２凹部３０４の底面に形成した配線パターンに接合すると共に、各ＬＥＤチップ上面の１つの電極を、基板３０２の第１の面３０２ａに形成した配線パターンにワイヤボンディングにより接続するようにしてもよい。
【０２５６】
上述したように本実施例では、第１凹部３０３内に、第１ＬＥＤチップ３０６が発した光の一部を波長変換する第１蛍光部材３１２が第１ＬＥＤチップ３０６を取り囲んで覆うように充填されている。この第１蛍光部材３１２は、第１ＬＥＤチップ３０６が発した光によって励起され、第１ＬＥＤチップ３０６が発した光とは異なる波長の光を放射する第１蛍光体３２４と、この第１蛍光体３２４を分散保持する充填材３２５とからなる。一方、第２凹部３０４内に、第２ＬＥＤチップ３０７が発した光の一部を波長変換する第２蛍光部材３１３が第２ＬＥＤチップ３０７を取り囲んで覆うように充填されている。この第２蛍光部材３１３は、第２ＬＥＤチップ３０７が発した光によって励起され、第２ＬＥＤチップ３０７が発した光とは異なる波長の光を放射する第２蛍光体３２６と、この第２蛍光体３２６を分散保持する充填材３２７とからなる。
【０２５７】
また、これら第１ＬＥＤチップ３０６と第１蛍光部材３１２とからなる第１ＬＥＤ３１４の第１発光面３１２ａ、及び第２ＬＥＤチップ３０７と第２蛍光部材３１３とからなる第２ＬＥＤ３１５の第２発光面３１３ａは、図１７には示されていない凸状枠３１６の内側に充填された共通蛍光部材３１７によって被覆されている。このとき、第１ＬＥＤチップ３０６及び第２ＬＥＤチップ３０７のそれぞれに接続され、第１発光面３１２ａ及び第２発光面３１３ａから基板３０２の第１の面３０２ａより上方に突出する金属ワイヤ３１９、３２０、３２２及び３２３は、いずれも共通蛍光部材３１７によって覆われ、共通蛍光部材３１７内に位置している。
【０２５８】
共通蛍光部材３１７は、第１ＬＥＤチップ３０６が発する光及び第２ＬＥＤチップ３０７が発する光によって励起され、第１ＬＥＤチップ３０６及び第２ＬＥＤチップ３０７が発する光とは異なる波長の光を放射する共通蛍光体３２８と、この共通蛍光体３１７を分散保持する充填材３２９とからなる。そして、共通蛍光部材３１７の上面３１７ａが共通発光面をなしており、以下では共通発光部材３１７の上面３１７ａを共通発光面と称する。
【０２５９】
つまり、共通蛍光部材３１７は、第１ＬＥＤ３１４及び第２ＬＥＤ３１５のそれぞれから放射される光のうち、当該第１蛍光体３１２及び第２蛍光体３１３により波長変換されなかった第１ＬＥＤチップ３０６及び第２ＬＥＤチップ３０７が発する光の一部を波長変換するために設けられている。この共通蛍光部材３１７の共通蛍光体３２８により波長変換して得られた光と、第１蛍光体３２４により波長変換された光及び第２蛍光体３２６により波長変換された光と、第１蛍光部材３１２及び共通蛍光部材３１７にて波長変換されずに通過した第１ＬＥＤチップ３０６の光及び第２蛍光部材３１３及び共通蛍光部材３１７にて波長変換されずに通過した第２ＬＥＤチップ３０７の光とを、混合して得られる合成光が共通発光面３１７ａから放射される。
【０２６０】
これら第１ＬＥＤチップ３０６及び第２ＬＥＤチップ３０７、第１蛍光部材３１２及び第２蛍光部材３１３、並びに共通蛍光部材３１７の具体的構成については変形例も含めて第１実施例で説明した通りである。つまり、本実施例の第１ＬＥＤチップ３０６は第１実施例の第１ＬＥＤ１８に、第２ＬＥＤチップ３０７は第１実施例の第１ＬＥＤ１９に、第１蛍光部材３１２は第１実施例の第１蛍光部材１２に、第２蛍光部材３１３は第１実施例の第２蛍光部材１３に、共通蛍光部材３１７は第１実施例の共通蛍光部材２１にそれぞれ対応しており、本実施例の発光装置３０１は第１実施例の発光装置１と同様の作用効果を奏する。
【０２６１】
また、当該第３実施例の発光装置３０１には第２実施例の発光装置２０１のように、第２蛍光部材３１３を光導波部材または空間に置き換えた構成としてもよい。この場合は、本実施例の第１ＬＥＤチップ３０６は第２実施例の第１ＬＥＤ２１８に、第２ＬＥＤチップ３０７は第２実施例の第２ＬＥＤ２１９に、第１蛍光部材３１２は第２実施例の第１蛍光部材２１２に、共通蛍光部材３１７は第２実施例の共通蛍光部材２１３にそれぞれ対応しており、本実施例の発光装置３０１は第２実施例の発光装置２０１と同様の作用効果を奏する。
【０２６２】
＜第４実施例＞
第１実施例の発光装置１、第２実施例の発光装置２０１、及び第３実施例の発光装置３０１では、共通蛍光部材２１、２２１、３１７が平板状に形成されて構成されていた。しかしながら、発光装置における共通蛍光部材の構成はこれに限定されるものではなく、様々な変形或いは置き換えが可能である。そこで、発光装置の更なる例を本発明の第４実施例として、以下に説明する。
【０２６３】
図１８は、本発明の第４実施例に係る発光装置４０１を含む照明装置９００の概略構成を示す側面図である。図１８に示すように、発光装置４０１は、照明装置９００において、当該発光装置４０１が発した熱を放散する下部筐体９１０の上部に接続されている。また、図１８に示すように、下部筐体９１０の下部には、電力が供給される口金部９２０が接続されている。駆動ユニット１０２（図１８において図示せず）には、口金部９２０を介して電力が供給される。
【０２６４】
図１９は、図１８中のXIX−XIX線に沿う発光装置４０１の概略部分断面図である。第４実施例に係る発光装置４０１は、基板２及びリフレクタ５の構成は第１実施例と同様であり、第１実施例と同じ構成については同じ符号を用いるとともに詳しい説明は省略する。なお、本実施例では、第1実施例における仕切り部材６とは高さが異なり、リフレクタの高さと同程度である仕切り部材６’が用いられるとする。また、基板２は支持部材７２の上面に配置され、支持部材７２の端部は、ビス７３ａ，７３ｂによって下部筐体９１０の上部と締結されている。なお、図１９に示す例では、支持部材７２の上面には基板２、第１ＬＥＤチップ３及び第２ＬＥＤチップ４等が１組配置されることが示されているが、支持部材７２の上面には基板２、第１ＬＥＤチップ３及び第２ＬＥＤチップ４等の組が複数配置されてもよい。
【０２６５】
支持部材７２には、第１ＬＥＤチップ３及び第２ＬＥＤチップ４のそれぞれに駆動電流を供給するための図示しない配線パターンが形成されている。当該配線パターンは、例えば、支持部材７２の上面側配線パターン、下面側配線パターン、及び上面側配線パターンと下面側配線パターンとを電気的に接続するスルーホールを含む。そして、上面側配線パターンは、図２に示す第１実施例の発光装置１における基板２のチップ実装面２ａに形成されている外部接続ランド９ａ，１０ａに、例えば、当該基板２に形成されたスルーホールを介して電気的に接続されている。下面側配線パターンは、口金部９２０を介して電力が供給される駆動ユニット１０２（図１９において図示せず）に図示しない電線を介して電気的に接続されている。
【０２６６】
そして、第１ＬＥＤチップ３は、アノードが配線パターン９に接続され、カソードが配線パターン１０に接続されている。また、第２ＬＥＤチップ４は、アノードが配線パターン１０に接続され、カソードが配線パターン９に接続されている。従って、第１ＬＥＤチップと第２ＬＥＤチップ１０とは互いに極性が逆になるようにして配線パターン９，１０にそれぞれ接続されている。
【０２６７】
図１９に示すように、第１実施例と同様に、リフレクタ５内の第１領域７ａには、仕切り部材６’の高さまで、第１蛍光部材１２が４個の第１ＬＥＤチップ３をそれぞれ取り囲むように覆って収容されている。また、リフレクタ５内の第２領域７ｂには、同様に仕切り部材６’の高さまで、第２蛍光部材１３が４個の第２ＬＥＤチップ４をそれぞれ取り囲むように覆って収容されている。
【０２６８】
第１蛍光部材１２は、第１実施例と同様に、第１ＬＥＤチップ３が発する光によって励起され、第１ＬＥＤチップ３が発する光とは異なる波長の光を放射する第１蛍光体１４と、この第１蛍光体１４を分散保持する充填材１５とからなる。また、第２蛍光部材１３は、第１実施例と同様に、第２ＬＥＤチップ４が発する光によって励起され、第２ＬＥＤチップ４が発する光とは異なる波長の光を放射する第２蛍光体１６と、この第２蛍光体１６を分散保持する充填材１７とからなる。
【０２６９】
従って、本実施例においても、第１ＬＥＤチップ３と第１蛍光部材１２との組み合わせが、本発明の第１発光部に相当する第１ＬＥＤ１８を構成する。また、第２ＬＥＤチップ４と第２蛍光部材１３との組み合わせが、本発明の第２発光部に相当する第２ＬＥＤ１９を構成する。また、第１蛍光部材１２の上面１２ａが第１発光面をなし、第２蛍光部材１３の上面１３ａが第２発光面をなしている。そこで、以下では第１蛍光部材１２の上面１２ａを第１発光面と称すると共に、第２蛍光部材１３の上面１３ａを第２発光面と称する。第１発光面１２ａ及び第２発光面１３ａは、発せられる光を散乱させて混合を促進するために凹凸が設けられていてもよい。
【０２７０】
第１実施例の発光装置１では、リフレクタ５内において、第１発光面１２ａ及び第２発光面１３ａの上方に平板状の共通蛍光部材２１が設けられている。それに対して、本実施例の発光装置４０１の共通蛍光部材４２１は、ドーム状に形成され、第１ＬＥＤ１８及び第２ＬＥＤ１９を覆うように配置されて、当該発光装置４０１の外殻をなすように形成されている。
【０２７１】
具体的には、共通蛍光部材４２１は、例えば、図１９に示すように、下方に略円形状の開口部４３１を有する中空な略球形状であるドーム状をなしている。そして、共通蛍光部材４２１の開口部４３１は、下部筐体９１０の上端部の外延に接している。従って、共通蛍光部材４２１は、第１発光面１２ａ及び第２発光面１３ａの上方が頂部となり、開口部４３１が裾部となるようなドーム状に成型されている。なお、共通蛍光部材４２１は、例えば、開口部４３１が下部筐体９１０の上端部の内側に嵌め込まれて固定される。
【０２７２】
そして、共通蛍光部材４２１は、第１実施例の共通蛍光部材２１と同様に、第１ＬＥＤチップ３が発する光及び第２ＬＥＤチップ４が発する光によって励起され、第１ＬＥＤチップ３及び第２ＬＥＤチップ４が発する光とは異なる波長の光を放射する共通蛍光体２２と、この共通蛍光体２２を分散保持する基材４２３とからなる。そして、共通蛍光部材４２１の外面４２１ａが共通発光面をなしており、以下では共通発光部材４２１の外面４２１ａを共通発光面と称する。そして、光の混合を促進するために、共通発光面に凹凸を設けてもよい。
【０２７３】
図１９に示す例では、共通蛍光体２２は、基材４２３に練り込まれ、共通蛍光部材４２１として成型されていることが示されているが、共通蛍光体２２が、ドーム状に成型された基材４２３の表面（外面または内面）に塗布されていてもよい。なお、共通蛍光体２２が練り込まれる基材４２３の例に、ポリカーボネートがある。基材４２３にポリカーボネートを採用した場合に、発光装置４０１の外殻を堅固にすることができる。また、共通蛍光体２２が表面に塗布される基材４２３の例に、硝子がある。基材４２３に硝子を採用した場合に、発光装置４０１のデザイン性を向上させることができる。
【０２７４】
また、本実施例によれば、共通蛍光部材４２１が発光装置４０１の外殻をなすように形成されているので、例えば、図１８及び図１９に示すように、下部筐体９１０や口金部９２０と組み合わせて、照明装置９００を構成することが容易になる。
【０２７５】
本実施例によれば、共通蛍光部材４２１が発光装置４０１の外殻をなすように形成されているので、共通蛍光部材４２１が外部に放射される光を散乱したり、共通蛍光部材４２１の内面が発光装置４０１の上方に放射される光の一部を下方等の様々な方向に反射したりして、下部筐体９１０の側方を通り発光装置４０１から見て下方等の様々な方向に光を放射することができる。
【０２７６】
共通蛍光部材４２１、後述する共通蛍光部材５２１、及び後述する外装部材５５０（以下、共通蛍光部材４２１等という）の形状は図１８に示す形状に限定されず、他の形状であってもよい。具体的には、例えば、下部筐体９１０の上面よりも十分に大きい直径の略球形状のドーム状をなしていてもよい。そのような構成によれば、下部筐体９１０が上方に投影された範囲の外側にも共通蛍光体４２１等が存在するので、発光装置４０１及び後述する発光装置５０１（以下、発光装置４０１等という）が発した光を、下部筐体９１０に遮られる範囲を良好に減少させて下部筐体９１０の側方を通り発光装置４０１等から見た下方に放射することができる。
【０２７７】
また、図１８及び図１９に示す下部筐体９１０は、底部が口金部９２０に接している。そして、下部筐体９１０が、当該底部から共通蛍光部材４２１等に接する上部に近づくほど当該底部に沿う断面積が大きくなるように構成された略逆円錐形状であることに応じて、共通蛍光部材４２１等の外形形状が、当該略円錐形状の側面に沿う側面を有して上部に近づくほど当該底部に沿う断面積が大きくなるように構成されていてもよい。そして、共通蛍光部材４２１等の上部が当該底部に沿う方向に延びる平面状であってもよい。そのような構成によっても、下部筐体９１０に遮られることなく、発光装置４０１等が発した光を下部筐体９１０の側方を通り発光装置４０１等から見て下方に放射することができる。
【０２７８】
また、共通蛍光部材４２１等が、開口部４３１を円周とする面に直交する直線に沿う長辺を有する楕円形を断面積とする楕円体状であってもよく、下部筐体９１０の側面と共通蛍光部材４２１等の側面とによって当該楕円体の側面が構成されていてもよい。
【０２７９】
本実施例の発光装置４０１において、第１ＬＥＤチップ３、第２ＬＥＤチップ４、第１蛍光部材１２及び第２蛍光部材１３の構成は第１実施例における構成とそれぞれ同様であり、共通蛍光部材４２１は第１実施例の共通蛍光部材２１に対応している。そして、これら第１ＬＥＤチップ６及び第２ＬＥＤチップ７、第１蛍光部材１２及び第２蛍光部材１３の具体的な構成、並びに第１蛍光部材１２、第２蛍光部材１３及び共通蛍光部材４２１にそれぞれ含まれる蛍光体の組み合わせについては変形例も含めて第１実施例で説明した通りである。従って、本実施例の発光装置４０１は、第１実施例の発光装置１と同様の作用効果も奏する。
【０２８０】
また、当該第４実施例の発光装置４０１には第２実施例の発光装置２０１のように、第２蛍光部材１３を光導波部材または空間に置き換えた構成としてもよい。この場合は、本実施例の第１ＬＥＤ１８は第２実施例の第１ＬＥＤ２１８に、第２ＬＥＤ１９は第２実施例の第２ＬＥＤ２１９に、第１蛍光部材１２は第２実施例の第１蛍光部材２１２に、共通蛍光部材４２１は第２実施例の共通蛍光部材２１３にそれぞれ対応しており、本実施例の発光装置４０１は、第２実施例の発光装置２０１と同様の作用効果も奏する。
【０２８１】
（変形例）
以上に述べた第４実施例の発光装置４０１では、第１ＬＥＤ１８及び第２ＬＥＤ１９はリフレクタ５内に収容されていた。しかし、リフレクタ５や仕切り部材６’は、必ずしも用いられなくてもよい。図２０は、図１８中のXIX−XIX線に沿う本変形例の発光装置４０２の概略部分断面図である。図２０に示すように、本変形例の発光装置４０２は、リフレクタ５及び仕切り部材６’が用いられることなく、支持部材７２の上面上に、基板２−１、第１蛍光部材１２及び第１ＬＥＤチップ３と、基板２−２、第２蛍光部材１３及び第２ＬＥＤチップ４とがそれぞれ配置されている。具体的には、第１蛍光部材１２は、第１ＬＥＤチップ３が主に光を放射する上側を含む周囲を覆うように配置されている。そして、当該第１蛍光部材１２と当該第１ＬＥＤチップ３とによって第１ＬＥＤ１８が構成される。また、第２蛍光部材１３は、第２ＬＥＤチップ４が主に光を放射する上側を含む周囲を覆うように、第１蛍光部材１２に離間して配置されている。そして、当該第２蛍光部材１３と当該第２ＬＥＤチップ４とによって第２ＬＥＤ１９が構成される。なお、図２０に示す例では、１組の基板２−１及び第１ＬＥＤ１８と、１組の基板２−２及び第２ＬＥＤ１９とが支持部材７２の上面上に配置されることが示されているが、更に多くの基板と蛍光部材とＬＥＤチップとの組が支持部材７２の上面上に配置されてもよい。
【０２８２】
以上に述べた第４実施例の発光装置４０１に対して、本変形例の発光装置４０２は第１ＬＥＤ１８及び第２ＬＥＤ１９を収容するリフレクタ５を有しない点で相違しているが、その他の構成要素は当該発光装置４０１と同様であるので、本変形例の発光装置４０２は、当該発光装置４０１と同様な作用効果を奏する。従って、本変形例の発光装置４０２は、第１実施例の発光装置１、第２実施例の発光装置２０１及び第４実施例の発光装置４０１と同様の作用効果を奏する。
【０２８３】
また、共通蛍光部材４２１が発光装置４０２の外殻をなすように形成されているので、共通蛍光部材４２１が外部に放射される光を散乱したり、共通蛍光部材４２１の内面が発光装置４０２の上方に放射される光の一部を下方等の様々な方向に反射したりして、下部筐体９１０の側方を通り発光装置４０２から見て下方等の様々な方向に光を放射することができる。
【０２８４】
なお、図２０に示す変形例では、第１蛍光部材１２と第２蛍光部材１３とが離間して配置されているが、第１蛍光部材１２と第２蛍光部材１３とは、互いに対向する面において直接的に接合されていてもよい。図２１は、図１８中のXIX−XIX線に沿う更に他の変形例の発光装置４０３の概略部分断面図である。
【０２８５】
図２１に示す更に他の変形例の発光装置４０３では、発光装置４０２と同様に、第１蛍光部材１２は、第１ＬＥＤチップ３が主に光を放射する上側を含む周囲を覆うように配置されている。そして、発光装置４０２と同様に、当該第１蛍光部材１２と当該第１ＬＥＤチップ３とによって第１ＬＥＤ１８が構成される。また、第２蛍光部材１３は、発光装置４０２と同様に、第２ＬＥＤチップ４が主に光を放射する上側を含む周囲を覆うように配置されているが、第２蛍光部材１３と第１蛍光部材１２とが離間して配置されている発光装置４０２とは異なり、発光装置４０３では、第２蛍光部材１３と第１蛍光部材１２とにおいて対向する面が直接的に接続されて配置されている。当該第２蛍光部材１３と当該第２ＬＥＤチップ４とによって第２ＬＥＤ１９が構成される。なお、図２１に示す例では、支持部材７２の上面上に、第１ＬＥＤ１８と第２ＬＥＤ１９とがそれぞれ形成されている１個の基板２が配置されているが、支持部材７２の上面上には、第１ＬＥＤ１８と第２ＬＥＤ１９とがそれぞれ形成されている複数の基板２が配置されていてもよい。
【０２８６】
以上に述べた変形例の発光装置４０２に対して、更に他の変形例の発光装置４０３は第１蛍光部材１２と第２蛍光部材１３とにおいて対向する面が直接的に接続されて配置されている点で相違しているが、その他の構成要素は当該発光装置４０２と同様であるので、当該発光装置４０３は、当該発光装置４０２と同様な作用効果を奏する。従って、当該発光装置４０３は、第１実施例の発光装置１、第２実施例の発光装置２０１及び第４実施例の発光装置４０１と同様の作用効果を奏する。
【０２８７】
また、共通蛍光部材４２１が発光装置４０３の外殻をなすように形成されているので、共通蛍光部材４２１が外部に放射される光を散乱したり、共通蛍光部材４２１の内面が発光装置４０３の上方に放射される光の一部を下方等の様々な方向に反射したりして、下部筐体９１０の側方を通り発光装置４０３から見て下方等の様々な方向に光を放射することができる。
【０２８８】
＜第５実施例＞
第１実施例の発光装置１、第２実施例の発光装置２０１、及び第３実施例の発光装置３０１では、共通蛍光部材２１、２２１、３１７が平板状に形成されて構成されていた。また、第４実施例の発光装置４０１では、共通蛍光部材４２１が当該発光装置４０１の外殻をなすように構成されていた。しかしながら、発光装置における共通蛍光部材の構成はこれらに限定されるものではなく、更に様々な変形或いは置き換えが可能である。そこで、発光装置の他の更なる例を本発明の第５実施例として、以下に説明する。
【０２８９】
本発明の第５実施例に係る発光装置５０１を含む照明装置９００の概略構成を示す側面図は、図１８に示す本発明の第４実施例に係る発光装置４０１を含む照明装置９００の概略構成を示す側面図と同様である。発光装置５０１は、図１８に示す発光装置４０１と同様に、照明装置９００において、当該発光装置５０１が発した熱を放散する下部筐体９１０の上部に接続されている。また、発光装置５０１は、図１８に示す発光装置４０１と同様に、下部筐体９１０の下部には、電力が供給される口金部９２０が接続されている。駆動ユニット１０２（図１８において図示せず）には、口金部９２０を介して電力が供給される。
【０２９０】
図２２は、図１８中のXIX−XIX線に沿う発光装置５０１の概略部分断面図である。第５実施例に係る発光装置５０１は、共通蛍光部材４２１以外の構成である基板２や、リフレクタ５、仕切り部材６’、第１ＬＥＤ１８、第２ＬＥＤ１９等の構成は第４実施例と同様であり、第４実施例と同じ構成については同じ符号を用いるとともに詳しい説明は省略する。なお、図２２に示す例では、支持部材７２の上面には基板２、第１ＬＥＤチップ３及び第２ＬＥＤチップ４等が１組配置されることが示されているが、支持部材７２の上面には基板２、第１ＬＥＤチップ３及び第２ＬＥＤチップ４等の組が複数配置されてもよい。
【０２９１】
図２２に示すように、本実施例の発光装置５０１は、第４実施例の共通蛍光部材４２１に代えて、共通蛍光部材５２１及び外装部材５５０を含む。外装部材５５０の形状は、第４実施例の共通蛍光部材４２１における形状と同様である。よって、外装部材５５０の形状についての詳しい説明を省略する。
【０２９２】
共通蛍光部材５２１は、例えば、図２２に示すように、外装部材５５０の内側において、下方に略円形状の開口部５３１を有する中空な略球形状であるドーム状をなしている。そして、共通蛍光部材５２１の開口部５３１は、基板２のチップ実装面２ａに接している。従って、共通蛍光部材５２１は、第１発光面１２ａ及び第２発光面１３ａの上方が頂部となり、開口部５３１が裾部となるようなドーム状に成型されている。なお、外装部材５５０の開口部５５１は、例えば、下部筐体９１０の上端部の内側に嵌め込まれて固定される。また、共通蛍光部材５２１は、例えば、開口部５３１の下面が基板２のチップ実装面２ａに接着剤等によって接着されて固定される。
【０２９３】
そして、共通蛍光部材５２１は、第４実施例の共通蛍光部材４２１と同様に、第１ＬＥＤチップ３が発する光及び第２ＬＥＤチップ４が発する光によって励起され、第１ＬＥＤチップ３及び第２ＬＥＤチップ４が発する光とは異なる波長の光を放射する共通蛍光体２２と、この共通蛍光体２２を分散保持する基材５２３とからなる。そして、共通蛍光部材５２１の外面５２１ａが共通発光面をなしており、以下では共通発光部材５２１の外面５２１ａを共通発光面と称する。そして、光の混合を促進するために、共通発光面に凹凸を設けてもよい。
【０２９４】
本実施例における基材５２３には、第４実施例における基材４２３と同様に、共通蛍光体２２が練り込まれて成型されることが可能なポリカーボネートが採用されてもよいし、共通蛍光体２２が表面に塗布されることが可能な硝子が採用されてもよい。
【０２９５】
そして、外装部材５５０は、第１ＬＥＤチップ３が発する光、第２ＬＥＤチップ４が発する光、共通蛍光体２２が発する光、第１蛍光体１４が発する光、及び第２蛍光体１６が発する光を散乱させて光の混合を促進するための散乱剤５２と、この散乱剤５２を分散保持する外装基材５５３とからなる。更に光の混合を促進するために、外装部材５５０の外面に凹凸を設けてもよい。また、外装基材５５３には、例えば、ポリカーボネートが採用されて散乱剤５２が練り込まれて成形されてもよいし、硝子が採用されて表面（外面または内面）に散乱剤５２が塗布されてもよい。
【０２９６】
光の混合を促進するために用いられる散乱剤５２の例として、シリカ、アルミナ、チタニア、イットリア、ジルコニア、酸化亜鉛、酸化マグネシウム、酸化セリウム、酸化チタン、酸化ニオブ、リン酸チタン、チタン酸マグネシウム、チタン酸マグネシウム、チタン酸バリウム、炭酸カルシウム、炭酸バリウム、炭酸マグネシウム、硫酸バリウム、水酸化アルミニウム、水酸化カルシウム、水酸化マグネシウム、窒化硼素、アルミナホワイト、コロイダルシリカ、珪酸アルミニウム、珪酸ジルコニウム、硼酸アルミニウム、クレー、タルク、カオリン、雲母、合成雲母、シリコーンゴム状弾性体、シリコーン樹脂粒子、ポリメチルシルセスオキサン、弗素樹脂粒子、グアナミン樹脂粒子、メラミン樹脂粒子、アクリル樹脂粒子がある。
【０２９７】
本実施例の発光装置５０１は、外装部材５５０が当該発光装置５０１の外殻をなすように形成されているので、例えば、図１８及び図２２に示すように、下部筐体９１０や口金部９２０と組み合わせて、照明装置９００を構成することが容易になる。
【０２９８】
本実施例の発光装置５０１において、第１ＬＥＤチップ３、第２ＬＥＤチップ４、第１蛍光部材１２及び第２蛍光部材１３の構成は第１実施例及び第４実施例における構成とそれぞれ同様であり、共通蛍光部材５２１は第１実施例の共通蛍光部材２１及び第４実施例の共通蛍光部材４２１に対応している。そして、これら第１ＬＥＤチップ６及び第２ＬＥＤチップ７、第１蛍光部材１２及び第２蛍光部材１３の具体的な構成、並びに第１蛍光部材１２、第２蛍光部材１３及び共通蛍光部材５２１にそれぞれ含まれる蛍光体の組み合わせについては変形例も含めて第１実施例で説明した通りである。従って、本実施例の発光装置５０１は、第１実施例の発光装置１及び第４実施例の発光装置４０１と同様の作用効果も奏する。
【０２９９】
また、当該第５実施例の発光装置５０１には第２実施例の発光装置２０１のように、第２蛍光部材１３を光導波部材または空間に置き換えた構成としてもよい。この場合は、本実施例の第１ＬＥＤ１８は第２実施例の第１ＬＥＤ２１８に、第２ＬＥＤ１９は第２実施例の第２ＬＥＤ２１９に、第１蛍光部材１２は第２実施例の第１蛍光部材２１２に、共通蛍光部材５２１は第２実施例の共通蛍光部材２１３にそれぞれ対応しており、本実施例の発光装置５０１は、第２実施例の発光装置２０１と同様の作用効果も奏する。
【０３００】
更に、本実施例の発光装置５０１は、共通蛍光部材５２１の外側に散乱剤５２が分散保持されている外装部材５５０を含むので、各光（図２２における、第１ＬＥＤチップ３が発する光、第２ＬＥＤチップ４が発する光、共通蛍光体２２が発する光、第１蛍光体１４が発する光、及び第２蛍光体１６が発する光）の混合を促進させることができる。
【０３０１】
また、外装部材５５０が発光装置５０１の外殻をなすように形成されているので、外装部材５５０が外部に放射される光を散乱したり、外装部材５５０の内面が発光装置５０１の上方に放射される光の一部を下方等の様々な方向に反射したりして、下部筐体９１０の側方を通り発光装置５０１から見て下方等の様々な方向に光を放射することができる。
【０３０２】
（変形例）
以上に述べた第５実施例の発光装置５０１では、第１ＬＥＤ１８及び第２ＬＥＤ１９はリフレクタ５内に収容されていた。しかし、リフレクタ５や仕切り部材６’は、必ずしも用いられなくてもよい。図２３は、図１８中のXIX−XIX線に沿う本変形例の発光装置５０２の概略部分断面図である。図２３に示すように、本変形例の発光装置５０２は、リフレクタ５及び仕切り部材６’が用いられることなく、支持部材７２の上面上に、基板２−１、第１蛍光部材１２及び第１ＬＥＤチップ３と、基板２−２、第２蛍光部材１３及び第２ＬＥＤチップ４とがそれぞれ配置されている。具体的には、第１蛍光部材１２は、第１ＬＥＤチップ３が主に光を放射する上側を含む周囲を覆うように配置されている。そして、当該第１蛍光部材１２と当該第１ＬＥＤチップ３とによって第１ＬＥＤ１８が構成される。また、第２蛍光部材１３は、第２ＬＥＤチップ４が主に光を放射する上側を含む周囲を覆うように、第１蛍光部材１２に離間して配置されている。そして、当該第２蛍光部材１３と当該第２ＬＥＤチップ４とによって第２ＬＥＤ１９が構成される。なお、図２３示す例では、１組の基板２−１及び第１ＬＥＤ１８と、１組の基板２−２及び第２ＬＥＤ１９とが配置されることが示されているが、更に多くの基板と蛍光部材とＬＥＤチップとの組が支持部材７２の上面上に配置されてもよい。基板２−１及び基板２−２は、それぞれ第１実施例等のおける基板２と同様な構成である。
【０３０３】
以上に述べた第５実施例の発光装置５０１に対して、本変形例の発光装置５０２は第１ＬＥＤ１８及び第２ＬＥＤ１９を収容するリフレクタ５を有しない点で相違しているが、その他の構成要素は当該発光装置５０１と同様であるので、本変形例の発光装置５０２は、当該発光装置５０１と同様な作用効果を奏する。従って、本変形例の発光装置５０２は、第１実施例の発光装置１、第２実施例の発光装置２０１、第４実施例の発光装置４０１、及び第５実施例の発光装置５０１と同様の作用効果を奏する。
【０３０４】
また、外装部材５５０が発光装置５０２の外殻をなすように形成されているので、外装部材５５０が外部に放射される光を散乱したり、外装部材５５０の内面が発光装置５０２の上方に放射される光の一部を下方等の様々な方向に反射したりして、下部筐体９１０の側方を通り発光装置５０２から見て下方等の様々な方向に光を放射することができる。
【０３０５】
なお、図２３に示す変形例では、第１蛍光部材１２と第２蛍光部材１３とが離間して配置されているが、第１蛍光部材１２と第２蛍光部材１３とは、互いに対向する面において直接的に接合されていてもよい。図２４は、図１８中のXIX−XIX線に沿う更に他の変形例の発光装置５０３の概略部分断面図である。
【０３０６】
図２４に示す更に他の変形例の発光装置５０３では、発光装置５０２と同様に、第１蛍光部材１２は、第１ＬＥＤチップ３が主に光を放射する上側を含む周囲を覆うように配置されている。そして、発光装置５０２と同様に、当該第１蛍光部材１２と当該第１ＬＥＤチップ３とによって第１ＬＥＤ１８が構成される。また、第２蛍光部材１３は、発光装置５０２と同様に、第２ＬＥＤチップ４が主に光を放射する上側を含む周囲を覆うように配置されているが、第１蛍光部材１２と第２蛍光部材１３とが離間して配置されている発光装置５０２とは異なり、発光装置５０３では、第２蛍光部材１３と第１蛍光部材１２とにおいて対向する面が直接的に接続されて配置されている。当該第２蛍光部材１３と当該第２ＬＥＤチップ４とによって第２ＬＥＤ１９が構成される。なお、図２４に示す例では、支持部材７２の上面上に、第１ＬＥＤ１８と第２ＬＥＤ１９とがそれぞれ形成されている１個の基板２が配置されているが、支持部材７２の上面上には、第１ＬＥＤ１８と第２ＬＥＤ１９とがそれぞれ形成されている複数の基板２が配置されていてもよい。
【０３０７】
以上に述べた変形例の発光装置５０２に対して、更に他の変形例の発光装置５０３は第２蛍光部材１３と第１蛍光部材１２とにおいて対向する面が直接的に接続されて配置されている点で相違しているが、その他の構成要素は当該発光装置５０２と同様であるので、当該発光装置５０３は、当該発光装置５０２と同様な作用効果を奏する。従って、当該発光装置５０３は、第１実施例の発光装置１、第２実施例の発光装置２０１、第４実施例の発光装置４０１、及び第５実施例の発光装置５０１と同様の作用効果を奏する。
【０３０８】
また、外装部材５５０が発光装置５０３の外殻をなすように形成されているので、外装部材５５０が外部に放射される光を散乱したり、外装部材５５０の内面が発光装置５０３の上方に放射される光の一部を下方等の様々な方向に反射したりして、下部筐体９１０の側方を通り発光装置５０３から見て下方等の様々な方向に光を放射することができる。
【０３０９】
＜第６実施例＞
本実施例では、本発明に係る発光装置１が適用される照明装置の例について説明する。図２５は、複数の発光装置１を含む照明装置８００の概略構成を示す斜視図である。図２６は、図２５中のXXVI−XXVI線に沿う照明装置８００の概略断面図である。図２7は、図２５に示す照明装置８００の概略上面図である。図２５〜２７に示す照明装置８００は、第１実施例の複数の発光装置１と、図４に示す回路構成の駆動ユニット１０２（図２５〜図２７において図示せず）とを含む。なお、後述する板状体８０１は、図２６のみに示す。
【０３１０】
図２５及び図２７に示すように、照明装置８００において、複数の発光装置１は、各発光装置１の各仕切り部材６の面が平行になるようにして、設置部材７４上に直線状に並べられている。なお、本実施例の照明装置８００に含まれる各発光装置１は、図１等に示す第１実施例の発光装置１と同様な構成のため、各構成要素には図１等と同様な符号を付して詳細な説明を省略する。
【０３１１】
図２６に示すように、本実施例の照明装置８００には、各発光装置１の光の出射方向を覆う板状体８０１が設置されている。板状体８０１が床材である場合には、照明装置８００は、光の出射方向が上方になるように設置されて、上方に光を出射することができる。板状体８０１が壁材である場合には、例えば、光の出射方向が横方向になるように設置されて、横方向に光を出射することができる。また、板状体が天井材である場合には、光の出射方向が下方になるように設置されて、下方に光を出射することができる。
【０３１２】
本実施例の照明装置８００に含まれる発光装置１は、第１実施例における発光装置１と同様な構成であるので、本実施例の照明装置８００に含まれる発光装置１は、第１実施例の発光装置１と同様の作用効果を奏する。
【０３１３】
また、本実施例の照明装置８００に含まれる発光装置１には第２実施例の発光装置２０１のように、第２蛍光部材１３を光導波部材または空間に置き換えた構成としてもよい。この場合は、本実施例の第１ＬＥＤチップ３は第２実施例の第１ＬＥＤチップ３に、第２ＬＥＤチップ４は第２実施例の第２ＬＥＤチップ４に、第１蛍光部材１２は第２実施例の第１蛍光部材２１２に、第３領域８に分散保持される共通蛍光体２２は第２実施例の共通蛍光体２２２にそれぞれ対応しており、本実施例の発光装置１は、第２実施例の発光装置２０１と同様の作用効果も奏する。
【０３１４】
従って、本実施例の照明装置８００の各発光装置１は、第１ＬＥＤ１８が発した光、第２ＬＥＤ１９が発した光、及び共通蛍光体２２によって波長変換された光が十分に混合された合成光を放射し、当該照明装置８００が放射する光について複数種類の光の分離を良好に抑制することができる。
【０３１５】
単に、発する光の色温度が互いに異なる複数のＬＥＤ発光素子が組み合わされて照明装置が構成された場合、各ＬＥＤ発光素子が発する光が分離してしまっているので、各ＬＥＤ発光素子に流れる電流を変化させて各ＬＥＤ発光素子が発する光の強度を変化させると、光源が移動しているかのように認識されることがある。
【０３１６】
しかし、本実施例の照明装置８００は、各発光装置１が放射する光について複数種類の光の分離を良好に抑制することができるので、駆動ユニット１０２によって各発光装置１の各第１ＬＥＤチップ３と各第２ＬＥＤチップ４との発光状態が制御されることにより第１ＬＥＤ１８が発した光の強度と第２ＬＥＤ１９が発した光の強度とをそれぞれ変化させた場合であっても、光源が移動しているかのように認識されることを防ぐことができる。
【０３１７】
板状体８０１に散乱剤が練り込まれていたり、板状体８０１の表面に散乱剤が塗布されていたりした場合には、各発光装置１が放射する光について複数種類の光の分離を更に良好に抑制することができるので、光源が移動しているかのように認識されることを更に防ぐことができる。
【０３１８】
本実施例では、第１実施例の発光装置１が直線状に並べられ、当該発光装置１が直線状に並べられたラインモジュールとしての照明装置８００に適用される場合について説明したが、本発明に係る発光装置１は他の態様の照明装置に適用されてもよい。例えば、発光装置１が同心円状に並べられて照明装置が構成された場合（更に当該同心円の中央部にも発光装置１が配置されていてもよい）には、天井に設けられた凹部または穴の開口方向に、発光装置１が発した光が出射するように当該凹部または穴に照明装置の本体を収容させて当該照明装置を設置することにより、当該照明装置をダウンライトとして用いることもできる。なお、照明装置が収容される凹部や穴が壁や床面に設けられている場合には、横方向や上方を照射するように設定することができる。
【０３１９】
以上で本発明の実施形態に係る発光装置及び照明装置についての説明を終えるが、本発明は上述した各実施例及び変形例に限定されるものではない。例えば、ＬＥＤチップに代えて、有機ＥＬ素子（ＯＬＥＤ）などの発光素子を用いることも可能であり、ＬＥＤチップ以外の発光素子を用いる場合にも、各実施例や変形例と同様の効果を得ることが可能である。また、第１ＬＥＤチップのみを点灯させた場合の共通発光面から放射される光及び第２ＬＥＤチップのみを点灯させた場合の共通発光面から放射される光を色温度の異なる２種類の白色光としたが、２種類の白色光に限定されるものではなく、様々な色度の光を放射するものに用いることが可能である。
【０３２０】
各実施例及び変形例における第１ＬＥＤチップ及び第２ＬＥＤチップの回路構成も、様々に変更可能である。即ち、これらＬＥＤチップを並列に接続する代わりに、直列に接続するようにしてもよいし、並列接続と直列接続とを併用するようにしてもよい。更に、基板における配線パターンや外部接続ランドも、各実施例や変形例の形態に限定されるものではなく、様々に変更が可能である。
【０３２１】
また、各ＬＥＤチップに駆動電流を供給するための駆動回路も、図４の電気回路の構成に限定されるものではなく、様々な回路構成を採用することが可能である。例えば、トランジスタＱ１〜Ｑ４のオン・オフ作動に代えて、駆動制御部１０６からのベース信号によりこれらトランジスタＱ１〜Ｑ４に流れる電流も併せて制御するようにしてもよい。この場合には電流調整用の抵抗Ｒｓが不要となる。また、抵抗Ｒｓに代えて定電流回路を挿入し、駆動制御部１０６のベース信号によってトランジスタＱ１〜Ｑ４をそれぞれオン・オフ作動させるようにしてもよい。
【産業上の利用可能性】
【０３２２】
本発明は、各実施例や変形例で述べたように、照明装置などの光源として利用することができる。
【符号の説明】
【０３２３】
１、２０１、３０１、４０１、４０２、４０３、５０１、５０２、５０３  発光装置
２、３０２  基板
３、２０３、３０６  第１ＬＥＤチップ
４、２０４、３０７  第２ＬＥＤチップ
５  リフレクタ
６、６’  仕切り部材
１２、２１２、３１２  第１蛍光部材（第１波長変換部材）
１２ａ、２１２ａ、３１２ａ  第１発光面（上面）
１３、３１３  第２蛍光部材（第２波長変換部材）
１３ａ、２１３ａ、３１３ａ  第２発光面（上面）
１４、２１４、３２４  第１蛍光体
１６、３２６  第２蛍光体
１８、２１８、３１４  第１ＬＥＤ（第１発光部）
１９、２１９、３１５  第２ＬＥＤ（第２発光部）
２０、２２０  光導波層
２１、２２１、３１７、４２１、５２１  共通蛍光部材（共通波長変換部）
２１ａ、２１２ａ、３１７ａ  共通発光面（上面）
２２、２２２、３２８  共通蛍光体
２４  段差部
２１３  光導波部材
３０２ｂ  仕切り壁（仕切り部材）
３１６  凸状枠
４２３、５２３  基材
４３１、５３１  開口部
５５０  外装部材
５５３  外装基材
８００、９００  照明装置
８０１  板状体
９１０  下部筐体
９２０  口金部
９２９、９３０  電線
【図１】
2012199539.tif 000003
【図４】
2012199539.tif 000004
【図５】
2012199539.tif 000005
【図７】
2012199539.tif 000006
【図１１】
2012199539.tif 000007
【図１８】
2012199539.tif 000008
【図２５】
2012199539.tif 000009
【図２６】
2012199539.tif 000010
【図２】
2012199539.tif 000011
【図３】
2012199539.tif 000012
【図６】
2012199539.tif 000013
【図８】
2012199539.tif 000014
【図９】
2012199539.tif 000015
【図１０】
2012199539.tif 000016
【図１２】
2012199539.tif 000017
【図１３】
2012199539.tif 000018
【図１４】
2012199539.tif 000019
【図１５】
2012199539.tif 000020
【図１６】
2012199539.tif 000021
【図１７】
2012199539.tif 000022
【図１９】
2012199539.tif 000023
【図２０】
2012199539.tif 000024
【図２１】
2012199539.tif 000025
【図２２】
2012199539.tif 000026
【図２３】
2012199539.tif 000027
【図２４】
2012199539.tif 000028
【図２７】
2012199539.tif 000029